(57)【要約】【課題】  ワイシャツを始めとするシャツの首回りを目立つ動作をすることなく好みの長さに調節でき、快適に長時間着用でき、さらに縫製が容易でデザイン的にも優れること。【解決手段】  台襟下前３Ｂの上地には第２のボタンホール６が設けられ、下地にはゴムテープが左端で縫付けられ右端には移動布が縫付けられ、移動布の右端には裏地が縫付けられてその右端は台襟下前３Ｂの下地内に縫込まれて、移動布には最上部のボタン４がしっかりと縫付けられて第２のボタンホール６内を想像線で示されるように移動自在になっている。そして、台襟下前３Ｂの先端がシャツの下前本体１Ｂから突出しているため、第２のボタンホール６を長くしても第２のボタンホール６の右端と突出部３Ｃの先端との間には充分な余裕があり、第２のボタンホール６とその内部の縫製が容易になる。さらに、突出部３Ｃの形状を工夫することによって、デザインとしても優れたものになる。【選択図】        図１
2006037326.tif 000002
【特許請求の範囲】
【請求項１】
シャツの台襟（襟のあるシャツでは襟の下に隠れる首回りの部分、外襟のあるシャツでは外襟の下に隠れる首回りの部分）の下前を前記シャツの下前本体から突出させ、最上部のボタンを前記台襟下前に設けた第２のボタンホール内部の移動布に取付け、前記最上部のボタンを首回り方向に前記第２のボタンホール内で移動可能としたことを特徴とする首回り調節機能付シャツ。
【請求項２】
前記台襟の上前をも前記シャツの上前本体から突出させたことを特徴とする請求項１に記載の首回り調節機能付シャツ。
【請求項３】
前記台襟下前の突出部及び前記台襟上前の突出部の先端形状を角張った形状にしたことを特徴とする請求項１または請求項２に記載の首回り調節機能付シャツ。
【請求項４】
前記台襟下前の突出部及び前記台襟上前の突出部を三角形にしたことを特徴とする請求項１または請求項２に記載の首回り調節機能付シャツ。
【請求項５】
前記最上部のボタンを伸縮自在の弾性材に直接または前記弾性材の先端に前記移動布を縫付けて前記移動布に取付け、前記弾性材の他端を前記台襟下前の下地に縫付けたことを特徴とする請求項１乃至請求項４のいずれか１つに記載の首回り調節機能付シャツ。
【請求項６】
前記弾性材または前記移動布の上下方向への振れを規制するために前記台襟下前の下地に縦テープを取付けて前記弾性材または前記移動布の裏側に横方向テープを前記縦テープの下を横方向に移動可能に通して縫付けたことを特徴とする請求項５に記載の首回り調節機能付シャツ。
【請求項７】
前記弾性材または前記移動布の下の前記台襟下前の下地の前記第２のボタンホールに相当する位置に横長のテープを前記第２のボタンホール長さ分だけ空けた両端を縫付け、前記弾性材または前記移動布の裏側に前記横長のテープの空けた部分に縦方向テープを通して上下端を縫付けたことを特徴とする請求項５に記載の首回り調節機能付シャツ。
【請求項８】
前記弾性材または前記移動布の下の前記台襟下前の下地の前記第２のボタンホールに相当する位置に横長のテープを左端だけ縫付け、前記弾性材または前記移動布の裏側に前記横長のテープの下側に縦方向テープを通して上下端を縫付け、前記第２のボタンホールの右端に相当する位置に前記台襟下前の下地に縦テープを取付けて前記弾性材または前記移動布の裏側に前記横長のテープの右端を縫付けたことを特徴とする請求項５に記載の首回り調節機能付シャツ。
【請求項９】
前記弾性材または前記移動布に「く」の字形に折り曲げたテープを折り曲げ線において縫付け、前記テープの両端は前記台襟下前の下地に縫付け、前記縫付けられた折り曲げ線の左右の余ったテープはタックに折りたたんだことを特徴とする請求項５に記載の首回り調節機能付シャツ。
【請求項１０】
前記縦テープ及び／または前記横長のテープ或いは「く」の字形に折り曲げたテープを前記台襟下前の下地の内側に縫付けられる裏地のみに縫付けたことを特徴とする請求項６乃至請求項９のいずれか１つに記載の首回り調節機能付シャツ。
【請求項１１】
前記台襟下前の中に前記台襟下前とは分離して移動可能な移動布を設け、該移動布に前記最上部のボタンを適当な長さの糸足または根巻き（ボタンの糸足に硬く巻き付けて止めたもの）を持たせて縫付けて、内側から前記第２のボタンホールの周囲に前記第２のボタンホール部分に長穴を開けた硬めの芯を貼り付け、前記最上部のボタンを前記第２のボタンホールより外側に位置するようにしたことを特徴とする請求項１乃至請求項４のいずれか１つに記載の首回り調節機能付シャツ。
【請求項１２】
前記移動布は芯をシャツの布地と共布の布地またはその他の布地で包（くる）んでなることを特徴とする請求項１乃至請求項１１のいずれか１つに記載の首回り調節機能付シャツ。
【請求項１３】
前記台襟下前の中に前記台襟下前とは分離して移動可能な芯のみからなる移動布を設け、該移動布に前記最上部のボタンを適当な長さの糸足または根巻き（ボタンの糸足に硬く巻き付けて止めたもの）を持たせて縫付けて、
前記台襟下前の上地内側から前記第２のボタンホールが形成される周囲に大きめの硬めの芯を取付け、またはさらにその上から前記第２のボタンホールが形成される部分に前記第２のボタンホールの長さ程度に切った小さめの硬めの芯を取付け、
前記大きめの硬めの芯の上から全体を覆う大きさの、または前記第２のボタンホールが形成される部分に前記第２のボタンホールの長さ程度の大きさのシャツの布地と共布の布地またはその他の布地を貼り付けまたは縫付けて、
若しくは前記小さめの硬めの芯の上から前記大きめの硬めの芯全体を覆う大きさの、または前記小さめの硬めの芯を覆う大きさのシャツの布地と共布の布地またはその他の布地を貼り付けまたは縫付けて、
前記第２のボタンホールを形成し、
前記最上部のボタンを前記第２のボタンホールから外側に位置するようにしたことを特徴とする請求項１乃至請求項１１のいずれか１つに記載の首回り調節機能付シャツ。
【請求項１４】
前記移動布は布地または硬めの芯に布地を接着したものを前記移動布の形状にレーザカットまたはヒートカットで切り出してなることを特徴とする請求項１乃至請求項１１のいずれか１つに記載の首回り調節機能付シャツ。
【請求項１５】
前記台襟下前の前記突出部を含む先端部分の前記第２のボタンホール側全体に前記第２のボタンホール部分に長穴を開けた前記硬めの芯を貼り付けたことを特徴とする請求項１１に記載の首回り調節機能付シャツ。
【請求項１６】
前記移動布の裏側に前記硬めの芯を縫付けたことを特徴とする請求項１乃至請求項５，請求項１１または請求項１５のいずれか１つに記載の首回り調節機能付シャツ。
【請求項１７】
前記硬めの芯の代わりに薄い耐熱性プラスティック板を用いたことを特徴とする請求項１１乃至請求項１６のいずれか１つに記載の首回り調節機能付シャツ。
【請求項１８】
前記移動布の代わりに耐熱性プラスティック板を用いて前記最上部のボタンを適当な長さの糸足または根巻きを持たせて縫付けて前記第２のボタンホールから外側に位置するようにしたことを特徴とする請求項１乃至請求項４のいずれか１つに記載の首回り調節機能付シャツ。
【請求項１９】
前記移動布の代わりの耐熱性プラスティック板に布テープを縫付けて、該布テープまたは該布テープ及び前記耐熱性プラスティック板に前記最上部のボタンを適当な長さの糸足または根巻きを持たせて縫付けて前記第２のボタンホールから外側に位置するようにしたことを特徴とする請求項１８に記載の首回り調節機能付シャツ。
【請求項２０】
前記移動布、前記裏側に硬めの芯を縫付けた移動布、前記裏側に耐熱性プラスティック板を縫付けた移動布、または前記耐熱性プラスティック板に伸縮自在の弾性材を縫付け、前記弾性材の他端を前記台襟下前の下地に縫付けたことを特徴とする請求項１１乃至請求項１９のいずれか１つに記載の首回り調節機能付シャツ。
【請求項２１】
前記移動布、前記裏側に硬めの芯を縫付けた移動布、前記裏側に耐熱性プラスティック板を縫付けた移動布、または前記耐熱性プラスティック板の一端に伸縮自在の弾性材を縫付け、前記最上部のボタンを首回りが締まる方向へ付勢するように前記弾性材の他端を前記台襟下前の下地に縫付け、前記移動布、前記裏側に硬めの芯を縫付けた移動布、前記裏側に耐熱性プラスティック板を縫付けた移動布、または前記耐熱性プラスティック板の他端に伸縮性のない生地からなるストッパーを縫付け、前記最上部のボタンの首回りが締まる方向への移動を規制するように前記ストッパーの他端を前記台襟下前の下地に縫付けたことを特徴とする請求項１乃至請求項１９のいずれか１つに記載の首回り調節機能付シャツ。
【請求項２２】
前記移動布、前記裏側に硬めの芯を縫付けた移動布、前記裏側に耐熱性プラスティック板を縫付けた移動布、または前記耐熱性プラスティック板を伸縮自在の長い弾性材の上に縫付け、前記弾性材の両端をそれぞれ前記台襟下前の下地に縫付けたことを特徴とする請求項１乃至請求項１９のいずれか１つに記載の首回り調節機能付シャツ。
【請求項２３】
前記弾性材の端部を直接前記台襟下前の下地に縫付けず、芯材に縫付けて前記芯材を前記台襟下前の下地に接着し、前記台襟下前の下地と上地を縫い合せるときに前記芯材の上下端もともに縫付けることを特徴とする請求項５乃至請求項２２のいずれか１つに記載の首回り調節機能付シャツ。
【請求項２４】
前記弾性材の端部を台襟芯に縫付けてから前記台襟芯を台襟下地の内側に接着することを特徴とする請求項５乃至請求項２２のいずれか１つに記載の首回り調節機能付シャツ。
【請求項２５】
前記耐熱性プラスティック板を布地で包んだことを特徴とする請求項１８乃至請求項２４のいずれか１つに記載の首回り調節機能付シャツ。
【請求項２６】
前記耐熱性プラスティック板の表面に微細な凹凸を付けたことを特徴とする請求項１８乃至請求項２４のいずれか１つに記載の首回り調節機能付シャツ。
【請求項２７】
前記弾性材または前記移動布に前記最上部のボタンを適当な長さの糸足または根巻きを持たせて縫付けて前記第２のボタンホールから外側に位置するようにして、前記第２のボタンホールに熱硬化性樹脂を含浸して熱硬化させたことを特徴とする請求項５乃至請求項１５のいずれか１つに記載の首回り調節機能付シャツ。
【請求項２８】
前記弾性材または前記移動布に前記最上部のボタンを適当な長さの糸足または根巻きを持たせて縫付けて、合成樹脂の糸で穴かがりをした前記第２のボタンホールから前記最上部のボタンを外側に位置するようにしたことを特徴とする請求項５乃至請求項１５のいずれか１つに記載の首回り調節機能付シャツ。
【請求項２９】
前記弾性材の両端に前記弾性材の伸びを規制する伸び止め材を縫付けたことを特徴とする請求項５乃至請求項１０、請求項１２乃至請求項１４、請求項１６または請求項１７、または請求項２０乃至請求項２８のいずれか１つに記載の首回り調節機能付シャツ。
【請求項３０】
前記台襟下前の中に前記第２のボタンホールの位置に前記第２のボタンホールより長く横テープを張って両端を前記台襟下前の下地に縫付け、前記横テープの中空部分を挟むように２枚の縦方向テープを前記横テープの上下のきわで縫付け、前記横テープに沿って移動可能とし、前記２枚の縦方向テープのうち表側にボタンを縫付けて前記第２のボタンホールから外に出したことを特徴とする請求項１乃至請求項４のいずれか１つに記載の首回り調節機能付シャツ。
【請求項３１】
前記横テープを２本とし、前記２枚の縦方向テープを前記２本の横テープの上下のきわでそれぞれ縫付け、前記２本の横テープに沿って移動可能としたことを特徴とする請求項３０に記載の首回り調節機能付シャツ。
【請求項３２】
前記横テープを前記台襟下前の下地の内側に縫付けられる裏地のみに縫付けたことを特徴とする請求項３０または請求項３１に記載の首回り調節機能付シャツ。
【請求項３３】
前記移動布または前記耐熱性プラスティック板の一端に通常は前記移動布または前記耐熱性プラスティック板の動きを規制しないストッパーを縫付け、前記ストッパーの他端を前記台襟下前の端に縫付けたことを特徴とする請求項１乃至請求項３２のいずれか１つに記載の首回り調節機能付シャツ。
【請求項３４】
前記移動布またはその役割をするものに力が掛かっていない状態で前記最上部のボタンが位置する台襟下前裏側の下地にほつれない貫通孔を設けたことを特徴とする請求項１乃至請求項３３のいずれか１つに記載の首回り調節機能付シャツ。
【請求項３５】
前記最上部のボタンまたはその役割をするものと前記移動布またはその役割をするものと両者を接続する糸足または根巻きの役割をするもののいずれかまたは全てが金属製、プラスティック製、エラストマー製、ゴム製、木製、セラミックス製、ガラス製のいずれかであることを特徴とする請求項１乃至請求項３４のいずれか１つに記載の首回り調節機能付シャツ。
【請求項３６】
シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を拡げてプラスティック板に接着し、さらに該プラスティック板の周囲にエラストマー板を接着して、該エラストマー板を前記台襟下前の下地に縫付けたことを特徴とする首回り調節機能付シャツ。
【請求項３７】
シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を拡げてプラスティック板に接着し、さらに該プラスティック板の一端に弾性材を接着して、該弾性材を前記台襟下前の下地に縫付けたことを特徴とする首回り調節機能付シャツ。
【請求項３８】
シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を小型の薄いプラスティック板に接着し、前記短い棒状のエラストマーの下端部がスライドする長円形の溝と前記小型の薄いプラスティック板がスライドする長方形の溝とを有するガイド板を被せて、該ガイド板の裏側を薄いプラスティック板または硬めの芯材で塞いだことを特徴とする首回り調節機能付シャツ。
【請求項３９】
前記第２のボタンホールは前記台襟下前の内端側がやや下がって斜めになっていることを特徴とする請求項１乃至請求項３８のいずれか１つに記載の首回り調節機能付シャツ。
【請求項４０】
前記第２のボタンホールは前記台襟下前と前記外襟の付け根部分の真下から前記第２のボタンホール内端が前記台襟下前の外側へ離れて設けられていることを特徴とする請求項１乃至請求項３９のいずれか１つに記載の首回り調節機能付シャツ。
【請求項４１】
シャツの台襟下前を前記シャツの下前本体から突出させ、またはシャツの台襟下前を前記シャツの下前本体から及び台襟上前を前記シャツの上前本体から突出させ、前記シャツの最上部のボタンを前記台襟下前上地に設けた第２のボタンホールを適当な長さの糸足または根巻きを貫通させて止め具に縫付け、前記最上部のボタンを首回り方向に前記第２のボタンホール内で好みの位置に移動可能としたことを特徴とする首回り調節機能付シャツ。
【請求項４２】
シャツの台襟下前を前記シャツの下前本体から突出させ、またはシャツの台襟下前を前記シャツの下前本体から及び台襟上前を前記シャツの上前本体から突出させ、前記シャツの最上部のボタンまたはその役割をするものと止め具とを前記台襟下前上地に設けた第２のボタンホールを貫通する脚部を介して接続し、前記最上部のボタンまたはその役割をするものを首回り方向に前記第２のボタンホール内で好みの位置に移動可能としたことを特徴とする首回り調節機能付シャツ。
【請求項４３】
シャツの台襟下前を前記シャツの下前本体から突出させ、またはシャツの台襟下前を前記シャツの下前本体から及び台襟上前を前記シャツの上前本体から突出させ、前記シャツの最上部のボタンを前記台襟下前に設けた台襟貫通ボタンホールを適当な長さの糸足または根巻きを貫通させて止め具に縫付け、前記最上部のボタンを首回り方向に前記台襟貫通ボタンホール内で好みの位置に移動可能としたことを特徴とする首回り調節機能付シャツ。
【請求項４４】
シャツの台襟下前を前記シャツの下前本体から突出させ、またはシャツの台襟下前を前記シャツの下前本体から及び台襟上前を前記シャツの上前本体から突出させ、前記シャツの最上部のボタンまたはその役割をするものと止め具とを前記台襟下前に設けた台襟貫通ボタンホールを貫通する脚部を介して接続し、前記最上部のボタンまたはその役割をするものを首回り方向に前記台襟貫通ボタンホール内で好みの位置に移動可能としたことを特徴とする首回り調節機能付シャツ。
【請求項４５】
前記止め具は前記最上部のボタンより大きいボタンであることを特徴とする請求項４１乃至請求項４４のいずれか１つに記載の首回り調節機能付シャツ。
【請求項４６】
前記最上部のボタンの役割をするものと前記止め具と前記脚部のいずれかまたは全てが金属製、プラスティック製、エラストマー製、ゴム製、木製、セラミックス製、ガラス製のいずれかであることを特徴とする請求項４１乃至請求項４４のいずれか１つに記載の首回り調節機能付シャツ。
【請求項４７】
シャツの台襟下前を前記シャツの下前本体から突出させ、またはシャツの台襟下前を前記シャツの下前本体から及び台襟上前を前記シャツの上前本体から突出させ、前記シャツの台襟の上前端に弾性材料からなるループを取付けて、前記シャツを着用したときに前記台襟下前の前記ループが適当な付勢力を持って係合する位置に係合具を取付けたことを特徴とする首回り調節機能付シャツ。
【請求項４８】
シャツの台襟下前を前記シャツの下前本体から突出させ、またはシャツの台襟下前を前記シャツの下前本体から及び台襟上前を前記シャツの上前本体から突出させ、前記シャツの台襟下前端に弾性材料からなるループを取付けて、前記シャツを着用したときに前記台襟の上前裏側の前記ループが適当な付勢力を持って係合する位置に係合具を取付けたことを特徴とする首回り調節機能付シャツ。
【発明の詳細な説明】
【技術分野】
【０００１】
本発明は、スーツ・礼服等の上着の下に着用してネクタイを締めるワイシャツを始めとする首回りをボタンで締めるシャツ（ブラウス等も含む）に関するもので、特に、見た目を全く損なうことなく首回りを楽に着用できる首回り調節機能付シャツに関するものである。
【背景技術】
【０００２】
スーツ・礼服等の上着の下に着用するワイシャツは、首回りにネクタイを締めることを前提として作られているので、首回りの最上部までボタンで止めるようになっており、小売店では首回りと裄丈をそれぞれ１ｃｍ刻みで用意して、着用する人に最も合ったものを選ばせるようになっている。それでも、首回りにぴったりのワイシャツを着てその上からネクタイを締めた状態を長時間維持するのは窮屈だと感じる人が多い。
【０００３】
そこで、下記特許文献１においては、首回りの長さ調整を可能にするとともに、ネクタイをある程度ルーズに締めても違和感を与えない襟の構造を有するカッターシャツ（ワイシャツ）についての発明が開示されている。この特許文献１にかかる発明においては、ボタンホールの代わりにストッパー付のスライドファスナーを用いたり、ボタンの代わりにフックまたは足袋に使うコハゼを取付け、ボタンホールの代わりに複数のアイ（メンカン）またはコハゼ掛けを取付けたり、１対の面ファスナー（接着布）でカッターシャツの最上部を止める構造としたりすることによって、カッターシャツの首回りの長さ調整を可能としている。そして、カッターシャツの首回り長さを最も短くしたときに襟の中央部が重なるように襟を取付けることによって、カッターシャツの首回り長さを長くしたときに丁度カッターシャツの両襟の中央部が合わさって、見る者に首回りを緩めているという印象を与えないようにしている。
【特許文献１】特開平５−３０２２０１号公報
【発明の開示】
【発明が解決しようとする課題】
【０００４】
しかしながら、上記特許文献１にかかる技術においては、最初にカッターシャツの首回りをある程度タイトに締めていて、途中で窮屈になってきて首回り長さを長くしようとする場合には、一度ネクタイを大きく緩めて、スライドファスナーをスライドさせたり、フックまたはコハゼを別の位置に掛け直したり、面ファスナーを一旦剥がして貼り付け直したりしなければならない。このような動作は人目に付き、特に結婚式や通夜・葬儀といった冠婚葬祭の場においては、無作法にあたるため実行するのは事実上不可能である。
【０００５】
また、この技術においては、襟の下側に当る台襟（通常のワイシャツにおいて最上部のボタンとボタンホールがそれぞれ設けられる部分）の表面に直接スライドファスナーや接着布・複数のメンカン・複数のコハゼ掛けといった硬い部品を取付けるため、襟で隠してもアタリが出たり、何かの拍子に襟が上がって見えたりする恐れがあり、見栄えを損なうことになる。さらに、縫製が面倒であり、また、ネクタイを締めない場合に首回りを大きく拡げると見栄えが悪いという問題点があった。
【０００６】
そこで、本発明は、ワイシャツを始めとするシャツの首回りを目立つ動作をすることなく好みの長さに調節することができ、襟に治具等のアタリが出たり襟が上がって治具等が見えたりすることなく、さらに縫製が容易で、かつネクタイを締めない場合にも首回りを大きく拡げても見栄えを損なうことがなく、デザイン的にも優れた首回り調節機能付シャツの提供を課題とするものである。
【課題を解決するための手段】
【０００７】
請求項１の発明にかかる首回り調節機能付シャツは、シャツの台襟（襟のあるシャツでは襟の下に隠れる首回りの部分、外襟のあるシャツでは外襟の下に隠れる首回りの部分）の下前を前記シャツの下前本体から突出させ、最上部のボタンを前記台襟下前に設けた第２のボタンホール内部の移動布に取付け、前記最上部のボタンを首回り方向に前記第２のボタンホール内で好みの位置に移動可能としたものである。
【０００８】
請求項２の発明にかかる首回り調節機能付シャツは、請求項１の構成において、前記台襟の上前をも前記シャツの上前本体から突出させたものである。
【０００９】
請求項３の発明にかかる首回り調節機能付シャツは、請求項１または請求項２の構成において、前記台襟下前の突出部及び前記台襟上前の突出部の先端形状を角張った形状にしたものである。
【００１０】
請求項４の発明にかかる首回り調節機能付シャツは、請求項１または請求項２の構成において、前記台襟下前の突出部及び前記台襟上前の突出部を三角形にしたものである。
【００１１】
請求項５の発明にかかる首回り調節機能付シャツは、請求項１乃至請求項４のいずれか１つの構成において、前記最上部のボタンを伸縮自在の弾性材に直接または前記弾性材の先端に前記移動布を縫付けて前記移動布に取付け、前記弾性材の他端を前記台襟下前の下地に縫付けたものである。
【００１２】
請求項６の発明にかかる首回り調節機能付シャツは、請求項５の構成において、前記弾性材または前記移動布の上下方向への振れを規制するために前記台襟下前の下地に縦テープを取付けて前記弾性材または前記移動布の裏側に横方向テープを前記縦テープの下を横方向に移動可能に通して縫付けたものである。
【００１３】
請求項７の発明にかかる首回り調節機能付シャツは、請求項５の構成において、前記弾性材または前記移動布の下の前記台襟下前の下地の前記第２のボタンホールに相当する位置に横長のテープを前記第２のボタンホール長さ分だけ空けた両端を縫付け、前記弾性材または前記移動布の裏側に前記横長のテープの空けた部分に縦方向テープを通して上下端を縫付けたものである。
【００１４】
請求項８の発明にかかる首回り調節機能付シャツは、請求項５の構成において、前記弾性材または前記移動布の下の前記台襟下前の下地の前記第２のボタンホールに相当する位置に横長のテープを左端だけ縫付け、前記弾性材または前記移動布の裏側に前記横長のテープの空けた部分に縦方向テープを通して上下端を縫付け、前記第２のボタンホールの右端に相当する位置に前記台襟下前の下地に縦テープを取付けて前記弾性材または前記移動布の裏側に前記横長のテープの調節機能付シャツは、請求項５の構成において、前記弾性材または前記移動布右端を縫付けたものである。
【００１５】
請求項９の発明にかかる首回りに「く」の字形に折り曲げたテープを折り曲げ線において縫付け、前記テープの両端は前記台襟下前の下地に縫付け、前記縫付けられた折り曲げ線の左右の余ったテープはタックに折りたたんだものである。
【００１６】
請求項１０の発明にかかる首回り調節機能付シャツは、請求項６乃至請求項９のいずれか１つの構成において、前記縦テープ及び／または前記横長のテープ或いは「く」の字形に折り曲げたテープを前記台襟下前の下地の内側に縫付けられる裏地のみに縫付けたものである。
【００１７】
請求項１１の発明にかかる首回り調節機能付シャツは、請求項１乃至請求項４のいずれか１つの構成において、前記台襟下前の中に前記台襟下前とは分離して移動可能な移動布を設け、該移動布に前記最上部のボタンを適当な長さの糸足または根巻き（ボタンの糸足に硬く巻き付けて止めたもの）を持たせて縫付けて、内側から前記第２のボタンホールの周囲に前記第２のボタンホール部分に長穴を開けた硬めの芯を貼り付け、前記最上部のボタンを前記第２のボタンホールより外側に位置するようにしたものである。
【００１８】
請求項１２の発明にかかる首回り調節機能付シャツは、請求項１乃至請求項１１のいずれか１つの構成において、前記移動布は芯をシャツの布地と共布の布地またはその他の布地で包（くる）んでなるものである。
【００１９】
請求項１３の発明にかかる首回り調節機能付シャツは、請求項１乃至請求項１１のいずれか１つの構成において、前記台襟下前の中に前記台襟下前とは分離して移動可能な芯のみからなる移動布を設け、該移動布に前記最上部のボタンを適当な長さの糸足または根巻き（ボタンの糸足に硬く巻き付けて止めたもの）を持たせて縫付けて、前記台襟下前の上地内側から前記第２のボタンホールが形成される周囲に大きめの硬めの芯を取付け、またはさらにその上から前記第２のボタンホールが形成される部分に前記第２のボタンホールの長さ程度に切った小さめの硬めの芯を取付け、前記大きめの硬めの芯の上から全体を覆う大きさの、または前記第２のボタンホールが形成される部分に前記第２のボタンホールの長さ程度の大きさのシャツの布地と共布の布地またはその他の布地を貼り付けまたは縫付けて、若しくは前記小さめの硬めの芯の上から前記大きめの硬めの芯全体を覆う大きさの、または前記小さめの硬めの芯を覆う大きさのシャツの布地と共布の布地またはその他の布地を貼り付けまたは縫付けて、前記第２のボタンホールを形成し、前記最上部のボタンを前記第２のボタンホールから外側に位置するようにしたものである。
【００２０】
請求項１４の発明にかかる首回り調節機能付シャツは、請求項１乃至請求項１１のいずれか１つの構成において、前記移動布は布地または硬めの芯に布地を接着したものを前記移動布の形状にレーザカットまたはヒートカットで切り出してなるものである。
【００２１】
請求項１５の発明にかかる首回り調節機能付シャツは、請求項１１の構成において、前記台襟下前の前記突出部を含む先端部分の前記第２のボタンホール側全体に前記第２のボタンホール部分に長穴を開けた前記硬めの芯を貼り付けたものである。
【００２２】
請求項１６の発明にかかる首回り調節機能付シャツは、請求項１乃至請求項５，請求項１１または請求項１５のいずれか１つの構成において、前記移動布の裏側に前記硬めの芯を縫付けたものである。
【００２３】
請求項１７の発明にかかる首回り調節機能付シャツは、請求項１１乃至請求項１６のいずれか１つの構成において、前記硬めの芯の代わりに薄い耐熱性プラスティック板を用いたものである。
【００２４】
請求項１８の発明にかかる首回り調節機能付シャツは、請求項１乃至請求項４のいずれか１つの構成において、前記移動布の代わりに耐熱性プラスティック板を用いて前記最上部のボタンを適当な長さの糸足または根巻きを持たせて縫付けて前記第２のボタンホールから外側に位置するようにしたものである。
【００２５】
請求項１９の発明にかかる首回り調節機能付シャツは、請求項１８の構成において、前記移動布の代わりの耐熱性プラスティック板に布テープを縫付けて、該布テープまたは該布テープ及び前記耐熱性プラスティック板に前記最上部のボタンを適当な長さの糸足または根巻きを持たせて縫付けて前記第２のボタンホールから外側に位置するようにしたものである。
【００２６】
請求項２０の発明にかかる首回り調節機能付シャツは、請求項１１乃至請求項１９のいずれか１つの構成において、前記移動布、前記裏側に硬めの芯を縫付けた移動布、前記裏側に耐熱性プラスティック板を縫付けた移動布、または前記耐熱性プラスティック板に伸縮自在の弾性材を縫付け、前記弾性材の他端を前記台襟下前の下地に縫付けたものである。
【００２７】
請求項２１の発明にかかる首回り調節機能付シャツは、請求項１乃至請求項１９のいずれか１つの構成において、前記移動布、前記裏側に硬めの芯を縫付けた移動布、前記裏側に耐熱性プラスティック板を縫付けた移動布、または前記耐熱性プラスティック板の一端に伸縮自在の弾性材を縫付け、前記最上部のボタンを首回りが締まる方向へ付勢するように前記弾性材の他端を前記台襟下前の下地に縫付け、前記移動布、前記裏側に硬めの芯を縫付けた移動布、前記裏側に耐熱性プラスティック板を縫付けた移動布、または前記耐熱性プラスティック板の他端に伸縮性のない生地からなるストッパーを縫付け、前記最上部のボタンの首回りが締まる方向への移動を規制するように前記ストッパーの他端を前記台襟下前の下地に縫付けたものである。
【００２８】
請求項２２の発明にかかる首回り調節機能付シャツは、請求項１乃至請求項１９のいずれか１つの構成において、前記移動布、前記裏側に硬めの芯を縫付けた移動布、前記裏側に耐熱性プラスティック板を縫付けた移動布、または前記耐熱性プラスティック板を伸縮自在の長い弾性材の上に縫付け、前記弾性材の両端をそれぞれ前記台襟下前の下地に縫付けたものである。
【００２９】
請求項２３の発明にかかる首回り調節機能付シャツは、請求項５乃至請求項２２のいずれか１つの構成において、前記弾性材の端部を直接前記台襟下前の下地に縫付けず、芯材に縫付けて前記芯材を前記台襟下前の下地に接着し、前記台襟下前の下地と上地を縫い合せるときに前記芯材の上下端もともに縫付けるものである。
【００３０】
請求項２４の発明にかかる首回り調節機能付シャツは、請求項５乃至請求項２２のいずれか１つの構成において、前記弾性材の端部を台襟芯に縫付けてから前記台襟芯を台襟下地の内側に接着するものである。
【００３１】
請求項２５の発明にかかる首回り調節機能付シャツは、請求項１８乃至請求項２４のいずれか１つの構成において、前記耐熱性プラスティック板を布地で包んだものである。
【００３２】
請求項２６の発明にかかる首回り調節機能付シャツは、請求項１８乃至請求項２４のいずれか１つの構成において、前記耐熱性プラスティック板の表面に微細な凹凸を付けたものである。
【００３３】
請求項２７の発明にかかる首回り調節機能付シャツは、請求項５乃至請求項１５のいずれか１つの構成において、前記弾性材または前記移動布に前記最上部のボタンを適当な長さの糸足または根巻きを持たせて縫付けて前記第２のボタンホールから外側に位置するようにして、前記第２のボタンホールに熱硬化性樹脂を含浸して熱硬化させたものである。
【００３４】
請求項２８の発明にかかる首回り調節機能付シャツは、請求項５乃至請求項１５のいずれか１つの構成において、前記弾性材または前記移動布に前記最上部のボタンを適当な長さの糸足または根巻きを持たせて縫付けて、合成樹脂の糸で穴かがりをした前記第２のボタンホールから前記最上部のボタンを外側に位置するようにしたものである。
【００３５】
請求項２９の発明にかかる首回り調節機能付シャツは、請求項５乃至請求項１０、請求項１２乃至請求項１４、請求項１６または請求項１７、または請求項２０乃至請求項２８のいずれか１つの構成において、前記弾性材の両端に前記弾性材の伸びを規制する伸び止め材を縫付けたものである。
【００３６】
請求項３０の発明にかかる首回り調節機能付シャツは、請求項１乃至請求項４のいずれか１つの構成において、前記台襟下前の中に前記第２のボタンホールの位置に前記第２のボタンホールより長く横テープを張って両端を前記台襟下前の下地に縫付け、前記横テープの中空部分を挟むように２枚の縦方向テープを前記横テープの上下のきわで縫付け、前記横テープに沿って移動可能とし、前記２枚の縦方向テープのうち表側にボタンを縫付けて前記第２のボタンホールから外に出したものである。
【００３７】
請求項３１の発明にかかる首回り調節機能付シャツは、請求項３０の構成において、前記横テープを２本とし、前記２枚の縦方向テープを前記２本の横テープの上下のきわでそれぞれ縫付け、前記２本の横テープに沿って移動可能としたものである。
【００３８】
請求項３２の発明にかかる首回り調節機能付シャツは、請求項３０または請求項３１の構成において、前記横テープを前記台襟下前の下地の内側に縫付けられる裏地のみに縫付けたものである。
【００３９】
請求項３３の発明にかかる首回り調節機能付シャツは、請求項１乃至請求項３２のいずれか１つの構成において、前記移動布または前記耐熱性プラスティック板の一端に通常は前記移動布または前記耐熱性プラスティック板の動きを規制しないストッパーを縫付け、前記ストッパーの他端を前記台襟下前の端に縫付けたものである。
【００４０】
請求項３４の発明にかかる首回り調節機能付シャツは、請求項１乃至請求項３３のいずれか１つの構成において、前記移動布またはその役割をするものに力が掛かっていない状態で前記最上部のボタンが位置する台襟下前裏側の下地にほつれない貫通孔を設けたものである。
【００４１】
請求項３５の発明にかかる首回り調節機能付シャツは、請求項１乃至請求項３４のいずれか１つの構成において、前記最上部のボタンまたはその役割をするものと前記移動布またはその役割をするものと両者を接続する糸足または根巻きの役割をするもののいずれかまたは全てが金属製、プラスティック製、エラストマー製、ゴム製、木製、セラミックス製、ガラス製のいずれかであるものである。
【００４２】
請求項３６の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を拡げてプラスティック板に接着し、さらに該プラスティック板の周囲にエラストマー板を接着して、該エラストマー板を前記台襟下前の下地に縫付けたものである。
【００４３】
請求項３７の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を拡げてプラスティック板に接着し、さらに該プラスティック板の一端に弾性材を接着して、該弾性材を前記台襟下前の下地に縫付けたものである。
【００４４】
請求項３８の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンを短い棒状のエラストマーに取付け、前記短い棒状のエラストマーを台襟下前に設けた第２のボタンホールを通して、前記短い棒状のエラストマーの下端を小型の薄いプラスティック板に接着し、前記短い棒状のエラストマーの下端部がスライドする長円形の溝と前記小型の薄いプラスティック板がスライドする長方形の溝とを有するガイド板を被せて、該ガイド板の裏側を薄いプラスティック板または硬めの芯材で塞いだものである。
【００４５】
請求項３９の発明にかかる首回り調節機能付シャツは、請求項１乃至請求項３８のいずれか１つの構成において、前記第２のボタンホールは前記台襟下前の内端側がやや下がって斜めになっているものである。
【００４６】
請求項４０の発明にかかる首回り調節機能付シャツは、請求項１乃至請求項３９のいずれか１つの構成において、前記第２のボタンホールは前記台襟下前と前記外襟の付け根部分の真下から前記第２のボタンホール内端が前記台襟下前の外側へ離れて設けられているものである。
【００４７】
請求項４１の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンを前記台襟下前上地に設けた第２のボタンホールを適当な長さの糸足または根巻きを貫通させて止め具に縫付け、前記最上部のボタンを首回り方向に前記第２のボタンホール内で好みの位置に移動可能としたものである。
【００４８】
請求項４２の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンまたはその役割をするものと止め具とを前記台襟下前上地に設けた第２のボタンホールを貫通する脚部を介して接続し、前記最上部のボタンまたはその役割をするものを首回り方向に前記第２のボタンホール内で好みの位置に移動可能としたものである。
【００４９】
請求項４３の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンを前記台襟下前に設けた台襟貫通ボタンホールを適当な長さの糸足または根巻きを貫通させて止め具に縫付け、前記最上部のボタンを首回り方向に前記台襟貫通ボタンホール内で好みの位置に移動可能としたものである。
【００５０】
請求項４４の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの最上部のボタンまたはその役割をするものと止め具とを前記台襟下前に設けた台襟貫通ボタンホールを貫通する脚部を介して接続し、前記最上部のボタンまたはその役割をするものを首回り方向に前記台襟貫通ボタンホール内で好みの位置に移動可能としたものである。
【００５１】
請求項４５の発明にかかる首回り調節機能付シャツは、請求項４１乃至請求項４４のいずれか１つの構成において、前記止め具は前記最上部のボタンより大きいボタンであるものである。
【００５２】
請求項４６の発明にかかる首回り調節機能付シャツは、請求項４１乃至請求項４４のいずれか１つの構成において、前記最上部のボタンの役割をするものと前記止め具と前記脚部のいずれかまたは全てが金属製、プラスティック製、エラストマー製、ゴム製、木製、セラミックス製、ガラス製のいずれかであるものである。
【００５３】
請求項４７の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの台襟の上前端に弾性材料からなるループを取付けて、前記シャツを着用したときに前記台襟下前の前記ループが適当な付勢力を持って係合する位置に係合具を取付けたものである。
【００５４】
請求項４８の発明にかかる首回り調節機能付シャツは、シャツの台襟下前を前記シャツの下前本体から突出させ、またはシャツの台襟下前を前記シャツの下前本体から及び台襟上前を前記シャツの上前本体から突出させ、前記シャツの台襟下前端に弾性材料からなるループを取付けて、前記シャツを着用したときに前記台襟の上前裏側の前記ループが適当な付勢力を持って係合する位置に係合具を取付けたものである。
【発明の効果】
【００５５】
請求項１の発明にかかる首回り調節機能付シャツは、シャツの台襟の下前をシャツの下前本体から突出させ、シャツの最上部のボタンを台襟下前の上地に設けた第２のボタンホール内部の移動布に取付け、最上部のボタンを首回り方向に第２のボタンホール内で好みの位置に移動可能としたものである。したがって、ボタンが第２のボタンホールの最も通常のボタンホールから離れた位置にある最も首回りが締まった状態から、ボタンが第２のボタンホールの最も通常のボタンホール側にある最も首回りが緩んだ状態まで、最上部のボタンを通常のボタンホールに掛けたままでちょっとシャツの襟元を両手で、または片手の指先で摘んで引張るだけの動作で好みの締め付け具合に調節することができる。
【００５６】
そして、シャツの台襟下前がシャツの下前本体から突出しているため、第２のボタンホールを長くしても第２のボタンホールの先端から台襟下前の先端まで余裕があり、縫製作業が容易になる。また、着用時には、ネクタイをしない場合でも、首回りが緩んだ状態でも台襟下前の突出部は台襟上前によって覆い隠されるため見栄えを損なうことはなく、さらに突出部の形状を工夫することによってデザイン的にも優れたものとなる。
【００５７】
このようにして、ワイシャツを始めとするシャツの首回りを目立つ動作をすることなく好みの長さに調節することができ、襟に治具等のアタリが出たり襟が上がって治具等が見えたりすることもなく、寒いときは締め、暑いときは広げることができ、周囲の温度変化に素早く対応することができ、また外襟の間を大きく広げたラフな状態から、外襟をぴったり合わせたフォーマルな状態に素早く切り替えることができて、快適に長時間着用できる。さらに縫製が容易で、ネクタイを締めない場合にも首回りを大きく拡げても見栄えを損なうことがなく、デザイン的にも優れた首回り調節機能付シャツとなる。
【００５８】
請求項２の発明にかかる首回り調節機能付シャツは、台襟下前に加えて、台襟の上前をもシャツの上前本体から突出させたものである。これによって、デザイン的により優れたものとなり、また着用時には、ネクタイをしない場合でも首回りが緩んだ状態でも台襟下前の突出部は台襟上前によって覆い隠されるため、見栄えを損なうことはない。さらに、台襟下前及び台襟上前の突出部の形状を工夫することによってデザイン的にも優れたものとなる。
【００５９】
請求項３の発明にかかる首回り調節機能付シャツは、台襟下前の突出部及び（台襟上前も突出させた場合は）台襟上前の突出部の先端形状を角張った形状にしたものである。これによって、第２のボタンホール内を移動する移動布の形状もほぼ長方形にすることができ、縫製がより容易になる。
【００６０】
請求項４の発明にかかる首回り調節機能付シャツは、台襟下前の突出部及び（台襟上前も突出させた場合は）台襟上前の突出部を三角形にしたものである。これによって、突出部の面積が小さくなって目立たず、またデザイン的にも落ち着いたものになる。
【００６１】
請求項５の発明にかかる首回り調節機能付シャツは、最上部のボタンを伸縮自在の弾性材に直接または弾性材の先端に移動布を縫付けて移動布に取付け、弾性材の他端を台襟下前の下地に縫付けたものである。
【００６２】
ここで、「弾性材」としては、ゴム板、ゴムテープ、網ゴムテープ、パワーネット、等を用いることができる。このように、最上部のボタンを通常のボタンホールに掛けた状態で首が締まる方向に弾性材で付勢することによって、弾性材としてゴム板、ゴムテープのような強力な引張り力を有する部材を用いた場合には、ちょっと首回りに風を入れようと両手で両襟元を摘んで緩めても、手を離せば弾性材の付勢力によってまた元のぴったり締められた状態に戻る。
【００６３】
また、弾性材として網ゴムテープのような引張り力の弱い部材を用いた場合には、首回りがきつくなって来たと感じた場合に、両手で両襟元を摘んで最上部のボタンを好みの位置まで移動させて緩めれば、弾性材の付勢力が弱いため第２のボタンホールの穴かがり部分との摩擦によって最上部のボタンはすぐには元の位置に戻らず、ゆっくり時間をかけてそれと分からないほどの動きで元の位置に復帰するので、着用者は首回りが楽な状態をしばらく維持することができる。これによって、葬儀等の参列時において長時間同じ姿勢を保っていなければならない場合においても、周囲に目立たないように首回りを楽にしていられる。
【００６４】
このようにして、ワイシャツを始めとするシャツの首回りを目立つ動作をすることなく好みの長さに調節することができ、弾性材の付勢力を選択することによってすぐまた元のぴったり締まった状態に復帰させたり、しばらく首回りを緩めた状態を維持したりすることができ、襟に治具等のアタリが出たり襟が上がって治具等が見えたりすることもなく、さらに縫製が容易で、ネクタイを締めない場合にも首回りを大きく拡げても見栄えを損なうことがなく、デザイン的にも優れた首回り調節機能付シャツとなる。
【００６５】
請求項６の発明にかかる首回り調節機能付シャツは、弾性材または移動布の上下方向への振れを規制するために、台襟下前の下地に縦テープを取付けて、弾性材または移動布の裏側に横方向テープを縦テープの下を横方向に移動可能に通して縫付けたものである。これによって、弾性材または移動布が首回りに沿って移動する際に上下方向へ振れることなくスムーズに移動させることができる。したがって、一瞬で首回りを緩めることができ、人目に付く恐れがない。
【００６６】
このようにして、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【００６７】
請求項７の発明にかかる首回り調節機能付シャツは、弾性材または移動布の下の台襟下前の下地の第２のボタンホールに相当する位置に横長のテープを第２のボタンホール長さ分だけ空けた両端を縫付け、弾性材または移動布の裏側に横長のテープの空けた部分に縦方向テープを通して上下端を縫付けたものである。これによって、弾性材または移動布が首回りに沿って移動する際に上下方向へ振れることなくスムーズに移動させることができる。したがって、一瞬で首回りを緩めることができ、人目に付く恐れがない。
【００６８】
このようにして、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【００６９】
請求項８の発明にかかる首回り調節機能付シャツは、弾性材または移動布の下の台襟下前の下地の第２のボタンホールに相当する位置に横長のテープを左端だけ縫付け、弾性材または移動布の裏側に横長のテープの空けた部分に縦方向テープを通して上下端を縫付け、第２のボタンホールの右端に相当する位置に台襟下前の下地に縦テープを取付けて弾性材または移動布の裏側に横長のテープの右端を縫付けたものである。これによって、最上部のボタンの移動範囲が左端でも右端でも限定され、弾性材に無理な力が掛かる恐れがなく、しかもスムーズに最上部のボタンを第２のボタンホール内で移動させることができる。
【００７０】
このようにして、ワイシャツを始めとするシャツの首回りを目立つ動作をすることなく好みの長さに調節することができ、弾性材を長持ちさせることができ、さらに縫製が容易で、ネクタイを締めない場合にも首回りを大きく拡げても見栄えを損なうことがなく、デザイン的にも優れた首回り調節機能付シャツとなる。
【００７１】
請求項９の発明にかかる首回り調節機能付シャツは、弾性材または移動布に「く」の字形に折り曲げたテープを折り曲げ線において縫付け、テープの両端は台襟下前の下地に縫付け、縫付けられた折り曲げ線の左右の余ったテープはタックに折りたたんだものである。これによって、最上部のボタンが第２のボタンホール内で首回りが緩む方向に引張られたとき、テープの中央のタックが上下に分散されるので、遊びが少なくなる。したがって、最上部のボタンを無理に第２のボタンホール外へ引張っても、それに釣られて最上部のボタンが止められた移動布や弾性材の一部が第２のボタンホールの外へ飛び出す、いわゆる「噴き出し」が起こり難い。また、テープの中央部分がタックに折りたたまれているため、弾性材の引張り力が強い場合の戻りが良くなる。
【００７２】
このようにして、ワイシャツを始めとするシャツの首回りを目立つ動作をすることなく好みの長さに調節することができ、また噴き出しが起こり難く、さらに縫製が容易で、ネクタイを締めない場合にも首回りを大きく拡げても見栄えを損なうことがなく、デザイン的にも優れた首回り調節機能付シャツとなる。
【００７３】
請求項１０の発明にかかる首回り調節機能付シャツは、縦テープ及び／または横長のテープ或いは「く」の字形に折り曲げたテープを台襟下前の下地の内側に縫付けられる裏地のみに縫付けたものである。したがって、これらの部材の縫付け糸が台襟下前の下地の表面に表れることがなく、表れるのは弾性材の他端を縫付けた糸のみ（弾性材だけは裏地のみに縫付けただけでは持ち堪えられない）であるため、見栄えが良くなる。
【００７４】
このようにして、ワイシャツを始めとするシャツの首回りを目立つ動作をすることなく好みの長さに調節することができ、また見栄えが良くさらに縫製が容易で、ネクタイを締めない場合にも首回りを大きく拡げても見栄えを損なうことがなく、デザイン的にも優れた首回り調節機能付シャツとなる。
【００７５】
請求項１１の発明にかかる首回り調節機能付シャツは、台襟下前の中に台襟下前とは分離して移動可能な移動布を設け、移動布に最上部のボタンを適当な長さの糸足または根巻き（ボタンの糸足に硬く巻き付けて止めたもの）を持たせて縫付けて、内側から第２のボタンホールの周囲に第２のボタンホール部分に長穴を開けた硬めの芯を貼り付け、最上部のボタンを第２のボタンホールより外側に位置するようにしたものである。
【００７６】
ここで、「硬めの芯」としては、バイリーン芯（ポリエステル、ナイロン等からなる不織布の芯で種々の厚さのものがある。）、インベル芯（ベルト芯とも単に芯とも言い、例えばポリエステル等の織物芯で風合いはソフトからハードまで各種ある。）等を用いることができる。
【００７７】
これによって、第２のボタンホールの周囲に貼り付けられた硬めの芯があるため、第２のボタンホールは自由に変形することができず、「噴き出し」を効果的に防止することができる。
【００７８】
このようにして、ワイシャツを始めとするシャツの首回りを目立つ動作をすることなく好みの長さに調節することができ、また噴き出しが起こり難く、さらに縫製が容易で、ネクタイを締めない場合にも首回りを大きく拡げても見栄えを損なうことがなく、デザイン的にも優れた首回り調節機能付シャツとなる。
【００７９】
請求項１２の発明にかかる首回り調節機能付シャツは、移動布は芯をシャツの布地と共布の布地またはその他の布地で包（くる）んでなるものである。ここで、「芯」としては、例えば上述したようなバイリーン芯、インベル芯等を用いることができる。芯の表面には大きな凹凸があり、布地の表面の凹凸は小さい。そこで、移動布として芯を布地で包んだものを用いると、特に請求項１１の発明にかかる首回り調節機能付シャツのように内側から第２のボタンホールの周囲に第２のボタンホール部分に長穴を開けた硬めの芯を貼り付けた場合には、移動布の表面の小さい凹凸を有する布地と、硬めの芯の表面の大きな凹凸とが丁度良い摩擦力を生じて、第２のボタンホールの適当な位置で移動布を止めたり、また動かしたりすることができる。
【００８０】
このようにして、ワイシャツを始めとするシャツの首回りを目立つ動作をすることなく好みの長さに調節することができ、また噴き出しが起こり難く、さらに縫製が容易で、ネクタイを締めない場合にも首回りを大きく拡げても見栄えを損なうことがなく、デザイン的にも優れた首回り調節機能付シャツとなる。
【００８１】
請求項１３の発明にかかる首回り調節機能付シャツは、台襟下前の中に台襟下前とは分離して移動可能な芯のみからなる移動布を設け、該移動布に最上部のボタンを適当な長さの糸足または根巻きを持たせて縫付けて、台襟下前の上地内側から第２のボタンホールが形成される周囲に大きめの硬めの芯を取付け、またはさらにその上から第２のボタンホールが形成される部分に第２のボタンホールの長さ程度に切った小さめの硬めの芯を取付け、大きめの硬めの芯の上から全体を覆う大きさの、または第２のボタンホールが形成される部分に第２のボタンホールの長さ程度の大きさのシャツの布地と共布の布地またはその他の布地を貼り付けまたは縫付けて、若しくは小さめの硬めの芯の上から大きめの硬めの芯全体を覆う大きさの、または小さめの硬めの芯を覆う大きさのシャツの布地と共布の布地またはその他の布地を貼り付けまたは縫付けて、第２のボタンホールを形成し、最上部のボタンを第２のボタンホールから外側に位置させたものである。
【００８２】
即ち、本発明にかかる首回り調節機能付シャツは、請求項１２の発明について述べたような芯と布地との相性の良さを利用して、請求項１２の発明とは逆に第２のボタンホールの周囲を布地表面として、移動布を芯としたものである。これによって、第２のボタンホール周囲の表面の小さい凹凸を有する布地と、移動布を構成する芯の表面の大きな凹凸とが丁度良い摩擦力を生じて、第２のボタンホールの適当な位置で移動布を止めたり、また動かしたりすることができる。台襟上地内側に大きめの硬めの芯を取付けた上からさらに小さめの硬めの芯を取付けるか否かは、シャツの素材等に合わせて最も適切な摩擦力が生ずるように決定すれば良い。
【００８３】
このようにして、ワイシャツを始めとするシャツの首回りを目立つ動作をすることなく好みの長さに調節することができ、また噴き出しが起こり難く、さらに縫製が容易で、ネクタイを締めない場合にも首回りを大きく拡げても見栄えを損なうことがなく、デザイン的にも優れた首回り調節機能付シャツとなる。
【００８４】
請求項１４の発明にかかる首回り調節機能付シャツにおいては、移動布は布地または硬めの芯に布地を接着したものを移動布の形状にレーザカットまたはヒートカットで切り出してなるものである。これによって、移動布の周囲はレーザカットまたはヒートカットによる熱で固められるのでほつれることがなく、移動布を製作するのにミシンで縫う工程を省くことができ、移動布の厚みを薄くできるという利点が得られる。
【００８５】
このようにして、ワイシャツを始めとするシャツの首回りを目立つ動作をすることなく好みの長さに調節することができ、また製作が容易で、さらに縫製が容易で、ネクタイを締めない場合にも首回りを大きく拡げても見栄えを損なうことがなく、デザイン的にも優れた首回り調節機能付シャツとなる。
【００８６】
請求項１５の発明にかかる首回り調節機能付シャツは、台襟下前の突出部を含む先端部分の第２のボタンホール側全体に第２のボタンホール部分に長穴を開けた硬めの芯を貼り付けたものである。これによって、台襟下前の先端部分の第２のボタンホール側全体が硬めの芯で強化されるため、第２のボタンホールは自由に変形することができず、より噴き出しが起こり難くなる。また、台襟の先端部分に張りを持たせることによって移動布との間の摩擦を増して、最上部のボタンを第２のボタンホールの好みの位置で留めることができ、必要があれば指先で摘んで締めることができ、さらに移動布の移動範囲に皺がよったり曲がったりしないので、移動布をスムーズに移動させることができる。
【００８７】
このようにして、ワイシャツを始めとするシャツの首回りを目立つ動作をすることなく好みの長さに調節することができ、また噴き出しがさらに起こり難く、寒いときは締め、暑いときは広げることができ、周囲の温度変化に素早く対応することができ、また外襟の間を大きく広げたラフな状態から、外襟をぴったり合わせたフォーマルな状態に素早く切り替えることができて、快適に長時間着用でき、さらに縫製が容易で、ネクタイを締めない場合にも首回りを大きく拡げても見栄えを損なうことがなく、デザイン的にも優れた首回り調節機能付シャツとなる。
【００８８】
請求項１６の発明にかかる首回り調節機能付シャツは、移動布の裏側に硬めの芯を縫付けたものである。これによって、移動布全体の硬さが増すのでさらに噴き出しが起こり難くなり、また台襟下前の先端部分の内部を移動布がよりスムーズに移動することができるので、指先で摘んで小さい力で首回りを調節することができる。
【００８９】
このようにして、ワイシャツを始めとするシャツの首回りを目立つ動作をすることなく好みの長さに調節することができ、また噴き出しがさらに起こり難く、さらに縫製が容易で、ネクタイを締めない場合にも首回りを大きく拡げても見栄えを損なうことがなく、デザイン的にも優れた首回り調節機能付シャツとなる。
【００９０】
請求項１７の発明にかかる首回り調節機能付シャツは、硬めの芯の代わりに薄い耐熱性プラスティック板を用いたものである。ここで、耐熱性プラスティックとは狭義には約２００℃までは軟化しないプラスティック材料をいう。かかる材料であれば、アイロンをかける温度が最も高い（約２００℃）木綿製のワイシャツ等にも硬めの芯の代わりに使用することができる。なお、広義には、もっと軟化温度の低い（約１００℃〜約１８０℃）プラスティック材料も含まれる。ポリエステル製のワイシャツ等では、アイロンをかける温度が約１６０℃〜約１８０℃と低く、しかも耐熱性プラスティックに直接アイロンを当てるわけではなく生地を挟んで間接的に加熱されるので、耐熱性プラスティックの温度はずっと低いものと考えられるからである。
【００９１】
このようにして、ワイシャツを始めとするシャツの首回りを目立つ動作をすることなく好みの長さに調節することができ、また噴き出しがさらに起こり難く、さらに縫製が容易で、ネクタイを締めない場合にも首回りを大きく拡げても見栄えを損なうことがなく、デザイン的にも優れた首回り調節機能付シャツとなる。
【００９２】
請求項１８の発明にかかる首回り調節機能付シャツは、移動布の代わりに耐熱性プラスティック板を用いたものである。ここで、耐熱性プラスティックとは、上述の如く、狭義には約２００℃までは軟化しないプラスティック材料をいう。具体的には、ポリ塩化ビニリデンまたはポリ塩化ビニリデンとポリ塩化ビニル（ＰＶＣ）との共重合体や、ペットボトルに使用されるポリエチレンテレフタラート（ＰＥＴ）等がある。なお、広義には、もっと軟化温度の低い（約１００℃〜約１８０℃）プラスティック材料も含まれる。ポリエステル製のワイシャツ等では、アイロンをかける温度が約１６０℃〜約１８０℃と低く、しかも耐熱性プラスティックに直接アイロンを当てるわけではなく生地を挟んで間接的に加熱されるので、耐熱性プラスティックの温度はずっと低いものと考えられるからである。したがって、シャツの生地の種類や厚さによっては、ポリ塩化ビニル（ＰＶＣ）でも用いることができる。
【００９３】
これらの耐熱性プラスティック板は、余り厚くなければミシンで縫うことができるので、最上部のボタンを手縫い針やボタン付けミシンで縫付けることができる。そして、これらのプラスティック板は適度な硬さを有しているので、噴き出し防止のための縦テープや横テープ等を用いなくとも、噴き出しが起こることはない。
【００９４】
このようにして、ワイシャツを始めとするシャツの首回りを目立つ動作をすることなく好みの長さに調節することができ、また噴き出しがさらに起こり難く、さらに縫製が容易で、ネクタイを締めない場合にも首回りを大きく拡げても見栄えを損なうことがなく、デザイン的にも優れた首回り調節機能付シャツとなる。
【００９５】
請求項１９の発明にかかる首回り調節機能付シャツは、移動布の代わりの耐熱性プラスティック板に布テープを縫付けて、布テープまたは布テープ及び耐熱性プラスティック板に最上部のボタンを適当な長さの糸足または根巻きを持たせて縫付けて第２のボタンホールから外側に位置するようにしたものである。耐熱性プラスティック板は、余り厚くなければミシンで縫うことができるので、最上部のボタンを手縫い針やボタン付けミシンで縫付けることができる。そして、適度な硬さを有しているので、噴き出し防止のための縦テープや横テープ等を用いなくとも、噴き出しが起こることはないという利点を有しているが、最上部のボタンがとれた場合には一般消費者では付け直すことが困難である。そこで、耐熱性プラスティック板に布テープを縫付けることによって、最上部のボタンがとれた場合に一般消費者でも容易に付け直すことができる。
【００９６】
ここで、移動布の代わりの耐熱性プラスティック板に布テープを両端だけ縫付けて中央は耐熱性プラスティック板から浮かせて、布テープだけに最上部のボタンを縫付けても良いし、耐熱性プラスティック板に布テープの周囲を縫付けて耐熱性プラスティック板に密着させて、布テープと耐熱性プラスティック板を貫通させて最上部のボタンを縫付けても良い。前者の場合は最上部のボタンがとれた場合に消費者が布テープだけに最上部のボタンを縫付け直すのが容易であるが、布テープが浮いている分だけ噴き出しが起こる可能性があるという難点がある。一方、後者の場合は布テープが耐熱性プラスティック板に密着しているために消費者が布テープだけに最上部のボタンを縫付け直すのが難しそうに思えるが、耐熱性プラスティック板で針先が滑るので、案外容易に布テープだけに最上部のボタンを縫付け直すことができる。
【００９７】
さらに、長めの布テープを耐熱性プラスティック板の一端からはみ出すように縫付けることによって、はみ出し部分がストッパーの役目をするので、部品点数が減って工程短縮、コスト低減に繋げることもできる。
【００９８】
このようにして、ワイシャツを始めとするシャツの首回りを目立つ動作をすることなく好みの長さに調節することができ、また最上部のボタンがとれた場合にも容易に付け直すことができ、同時にストッパーを取付けることもでき、さらに縫製が容易で、ネクタイを締めない場合にも首回りを大きく拡げても見栄えを損なうことがなく、デザイン的にも優れた首回り調節機能付シャツとなる。
【００９９】
請求項２０の発明にかかる首回り調節機能付シャツは、移動布（レーザカットまたはヒートカットで切り出してなるものを含む）、裏側に硬めの芯を縫付けた移動布、裏側に耐熱性プラスティック板を縫付けた移動布、または移動布の代わりの耐熱性プラスティック板に弾性材を縫付けたものである。
【０１００】
ここで、「弾性材」としては、ゴム板、ゴムテープ、網ゴムテープ、パワーネット、等を用いることができる。このように、最上部のボタンを通常のボタンホールに掛けた状態で首が締まる方向に弾性材で付勢することによって、弾性材としてゴム板、ゴムテープのような強力な引張り力を有する部材を用いた場合には、ちょっと首回りに風を入れようと両手で両襟元を摘んで緩めても、手を離せば弾性材の付勢力によってまた元のぴったり締められた状態に戻る。
【０１０１】
また、弾性材として網ゴムテープのような引張り力の弱い部材を用いた場合には、首回りがきつくなって来たと感じた場合に、両手で両襟元を摘んで最上部のボタンを好みの位置まで移動させて緩めれば、弾性材の付勢力が弱いため第２のボタンホールの穴かがり部分との摩擦によって最上部のボタンはすぐには元の位置に戻らず、ゆっくり時間をかけてそれと分からないほどの動きで元の位置に復帰するので、着用者は首回りが楽な状態をしばらく維持することができる。これによって、葬儀等の参列時において長時間同じ姿勢を保っていなければならない場合においても、周囲に目立たないように首回りを楽にしていられる。
【０１０２】
さらに、弾性材として網ゴムテープのような引張り力の弱い部材を用いた場合には、首回りが最も締まった状態から首回りを任意の位置まで緩めた状態とすれば、移動布等、特に裏側に硬めの芯を縫付けた移動布や裏側に耐熱性プラスティック板を縫付けた移動布のように厚めのものと第２のボタンホールの穴かがり部分との摩擦によって最上部のボタンをその位置に留めることもでき、好みの締め付け具合とすることができる。そして、必要なときは指先で摘むだけで外襟と外襟の間を閉じることができる。
【０１０３】
このようにして、ワイシャツを始めとするシャツの首回りを目立つ動作をすることなく好みの長さに調節することができ、また噴き出しがさらに起こり難く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１０４】
請求項２１の発明にかかる首回り調節機能付シャツは、移動布、裏側に硬めの芯を縫付けた移動布、裏側に耐熱性プラスティック板を縫付けた移動布、または耐熱性プラスティック板の一端に伸縮自在の弾性材を縫付け、最上部のボタンを首回りが締まる方向へ付勢するように弾性材の他端を台襟下前の下地に縫付け、移動布、裏側に硬めの芯を縫付けた移動布、裏側に耐熱性プラスティック板を縫付けた移動布、または耐熱性プラスティック板の他端に伸縮性のない生地からなるストッパーを縫付け、最上部のボタンの首回りが締まる方向への移動を規制するようにストッパーの他端を台襟下前の下地に縫付けたものである。
【０１０５】
これによって、弾性材としてゴム板、ゴムテープのような強力な引張り力を有する部材を用いた場合でも、最上部のボタンが引張られ過ぎることなくストッパーによってバランスの取れた位置に保持される。また、弾性材として網ゴムテープのような引張り力の弱い部材を用いた場合には、ストッパーによって規制される首回りが最も締まった位置から首回りを任意の位置まで緩めた状態とすれば、移動布等、特に裏側に硬めの芯を縫付けた移動布や裏側に耐熱性プラスティック板を縫付けた移動布のように厚めのものと第２のボタンホールの穴かがり部分との摩擦によって最上部のボタンをその位置に留めることもでき、好みの締め付け具合とすることができる。さらに、ストッパーによって噴き出しが一層起こり難くなる。そして、必要なときは指先で摘むだけで外襟と外襟の間を閉じることができる。
【０１０６】
このようにして、ワイシャツを始めとするシャツの首回りを目立つ動作をすることなく好みの長さに調節することができ、また噴き出しがさらに起こり難く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１０７】
請求項２２の発明にかかる首回り調節機能付シャツは、移動布、裏側に硬めの芯を縫付けた移動布、裏側に耐熱性プラスティック板を縫付けた移動布、または耐熱性プラスティック板を伸縮自在の長い弾性材の上に縫付け、弾性材の両端をそれぞれ台襟下前の下地に縫付けたものである。これによって、弾性材の一方がストッパーと同様の働きをするため、縫製が簡単でストッパーを縫付けたのと同様の作用効果が得られる。
【０１０８】
このようにして、ワイシャツを始めとするシャツの首回りを目立つ動作をすることなく好みの長さに調節することができ、また噴き出しがさらに起こり難く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１０９】
請求項２３の発明にかかる首回り調節機能付シャツは、弾性材の端部を直接台襟下前の下地に縫付けず、芯材に縫付けて芯材を台襟下前の下地に接着し、台襟下前の下地と上地を縫い合せるときに芯材の上下端もともに縫付けるものである。ここで、「芯材」としてはバイリーン芯（ポリエステル、ナイロン等からなる不織布の芯で種々の厚さのものがある。）、インベル芯（ベルト芯とも単に芯とも言い、例えばポリエステル等の織物芯で風合いはソフトからハードまで各種ある。）等を用いることができる。バイリーン芯にもソフト芯とハード芯があるが、通常ソフト芯，ハード芯と言えば、インベル芯のソフト芯，ハード芯を指す。
【０１１０】
これによって、弾性材の端部の縫付け糸が外部から見えなくなり、通常のシャツと同様の縫い目のみが外部から見えることになる。さらに、芯材の上下端を台襟下前の下地と上地を縫い合せるときに縫付けることによって、何回も洗濯等するうちに接着面が剥がれてもとれることがない。
【０１１１】
このようにして、ワイシャツを始めとするシャツの首回りを目立つ動作をすることなく好みの長さに調節することができ、しかも余計な縫い目が外から見えずに見栄えが良く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１１２】
請求項２４の発明にかかる首回り調節機能付シャツは、弾性材の端部を台襟芯に縫付けてから台襟芯を台襟下地の内側に接着するものである。ここで、「台襟芯」とは台襟下地全周の内側に接着されている芯材である。この台襟芯を台襟下地の内側に接着する前に、所定の位置に弾性材の端部を縫付けておけば、弾性材の端部の縫付け糸が外部から見えなくなり、通常のシャツと同様の縫い目のみが外部から見えることになる。
【０１１３】
このようにして、ワイシャツを始めとするシャツの首回りを目立つ動作をすることなく好みの長さに調節することができ、しかも余計な縫い目が外から見えずに見栄えが良く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１１４】
請求項２５の発明にかかる首回り調節機能付シャツは、移動布の代わりの耐熱性プラスティック板を布地で包んだものである。これによって、耐熱性プラスティック板が薄い場合でも折れ曲がり難くなり、また第２のボタンホールから耐熱性プラスティック板部分が見えた場合でも、布地で包まれているためプラスティック板表面で光が反射して見た目に違和感を与える恐れがない。
【０１１５】
このようにして、ワイシャツを始めとするシャツの首回りを目立つ動作をすることなく好みの長さに調節することができ、また噴き出しがさらに起こり難く、見た目にも違和感を与えることがなく、さらに縫製が容易で、ネクタイを締めない場合にも首回りを大きく拡げても見栄えを損なうことがなく、デザイン的にも優れた首回り調節機能付シャツとなる。
【０１１６】
請求項２６の発明にかかる首回り調節機能付シャツは、耐熱性プラスティック板の表面に微小な凹凸を付けたものである。これによって、第２のボタンホールから耐熱性プラスティック板部分が見えた場合でも、布地で包まれていなくてもプラスティック板表面で光が反射せず、見た目に違和感を与える恐れがない。
【０１１７】
このようにして、ワイシャツを始めとするシャツの首回りを目立つ動作をすることなく好みの長さに調節することができ、また噴き出しがさらに起こり難く、見た目にも違和感を与えることがなく、さらに縫製が容易で、ネクタイを締めない場合にも首回りを大きく拡げても見栄えを損なうことがなく、デザイン的にも優れた首回り調節機能付シャツとなる。
【０１１８】
請求項２７の発明にかかる首回り調節機能付シャツは、弾性材または移動布に最上部のボタンを適当な長さの糸足または根巻きを持たせて縫付けて第２のボタンホールから外側に位置するようにして、第２のボタンホールに熱硬化性樹脂を含浸して熱硬化させたものである。ここで、熱硬化性樹脂としては、エポキシ樹脂、メラミン樹脂、フェノール樹脂、ウレタン樹脂等があるが、最上部のボタンを縫付けた糸が第２のボタンホールと何回も擦れ合うので、余り硬度の高い樹脂では糸が切れてしまう恐れがあるので、硬化後も弾力性を有する樹脂の方が好ましい。このように、第２のボタンホールを固めることによって、噴き出しが起こり難くなる。
【０１１９】
このようにして、ワイシャツを始めとするシャツの首回りを目立つ動作をすることなく好みの長さに調節することができ、また噴き出しが起こり難く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１２０】
請求項２８の発明にかかる首回り調節機能付シャツは、弾性材または移動布に最上部のボタンを適当な長さの糸足または根巻きを持たせて縫付けて、合成樹脂の糸で穴かがりをした第２のボタンホールから最上部のボタンを外側に位置するようにしたものである。
【０１２１】
近年、適度な張りがあり熱にも強い合成樹脂の糸が使用され始めており、かかる合成樹脂の糸で穴かがりをした第２のボタンホールは大きく変形し難く、したがって噴き出しが起こり難い。
【０１２２】
このようにして、ワイシャツを始めとするシャツの首回りを目立つ動作をすることなく好みの長さに調節することができ、また噴き出しが起こり難く、快適に長時間着用でき、さらに縫製が容易で、ネクタイを締めない場合にも首回りを大きく拡げても見栄えを損なうことがなく、デザイン的にも優れた首回り調節機能付シャツとなる。
【０１２３】
請求項２９の発明にかかる首回り調節機能付シャツは、弾性材の両端に弾性材の伸びを規制する伸び止め材を縫付けたものである。これによって、何らかの理由で弾性材に大きな引張り力がかかった場合でも、伸び止め材の長さまでしか弾性材は伸びないので、無理な応力が掛かることはなく、弾性材の寿命をいたずらに縮めることがない。
【０１２４】
このようにして、ワイシャツを始めとするシャツの首回りを目立つ動作をすることなく好みの長さに調節することができ、弾性材を長持ちさせることができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１２５】
請求項３０の発明にかかる首回り調節機能付シャツは、台襟下前の中に第２のボタンホールの位置に第２のボタンホールより長く横テープを張って両端を台襟下前の下地に縫付け、横テープの中空部分を挟むように２枚の縦方向テープを横テープの上下のきわで縫付け、横テープに沿って移動可能とし、２枚の縦方向テープのうち表側に最上部のボタンを縫付けて第２のボタンホールから外に出したものである。これによって、２枚の縦方向テープと横テープの間の摩擦が大きくなり、最上部のボタンが一度移動させた位置からずれ難くなる。また、弾性材を使用しないため、構造が簡単になって低コスト化することができる。
【０１２６】
このようにして、ワイシャツを始めとするシャツの首回りを目立つ動作をすることなく好みの長さに調節することができ、かつ構造が簡単で低コスト化でき、快適に長時間着用でき、さらに縫製が容易で、ネクタイを締めない場合にも首回りを大きく拡げても見栄えを損なうことがなく、デザイン的にも優れた首回り調節機能付シャツとなる。
【０１２７】
請求項３１の発明にかかる首回り調節機能付シャツは、横テープを２本とし、２枚の縦方向テープを２本の横テープの上下のきわでそれぞれ縫付け、２本の横テープに沿って移動可能としたものである。これによって、２枚の縦方向テープと２本の横テープの間の摩擦はさらに大きくなり、最上部のボタンが一度移動させた位置からさらにずれ難くなる。そして、必要なときは指先で摘むだけで外襟と外襟の間を閉じることができる。
【０１２８】
このようにして、ワイシャツを始めとするシャツの首回りを目立つ動作をすることなく好みの長さに調節することができ、かつ構造が簡単で低コスト化でき、快適に長時間着用でき、さらに縫製が容易で、ネクタイを締めない場合にも首回りを大きく拡げても見栄えを損なうことがなく、デザイン的にも優れた首回り調節機能付シャツとなる。
【０１２９】
請求項３２の発明にかかる首回り調節機能付シャツは、横テープを台襟下前の下地の内側に縫付けられる裏地のみに縫付けたものである。したがって、横テープの両端の縫付け糸が台襟下前の下地の表面に表れることはなく、また弾性材を使用していないため、台襟下前の下地の表面には縫付け糸は一切表れず、通常のシャツと変わらない外観となって、見栄えが非常に良くなる。
【０１３０】
このようにして、ワイシャツを始めとするシャツの首回りを目立つ動作をすることなく好みの長さに調節することができ、かつ構造が簡単で低コスト化でき、また非常に見栄えが良く、さらに縫製が容易で、ネクタイを締めない場合にも首回りを大きく拡げても見栄えを損なうことがなく、デザイン的にも優れた首回り調節機能付シャツとなる。
【０１３１】
請求項３３の発明にかかる首回り調節機能付シャツは、移動布または耐熱性プラスティック板の一端に通常は移動布または耐熱性プラスティック板の動きを規制しないストッパーを縫付け、ストッパーの他端を台襟下前の端に縫付けたものである。移動布または耐熱性プラスティック板は、通常時は縫付けられた最上部のボタンによって第２のボタンホール内で動きが規制されているが、最上部のボタンが取れてしまった場合には台襟下前の中を自由に動き回れる状態になるため、元の位置に戻すことが困難になる。しかし、このようなストッパーを取付けておくことによって、ストッパーを手繰れば移動布または耐熱性プラスティック板を容易に元の位置に戻すことができ、最上部のボタンを付け直すことができる。
【０１３２】
このようにして、ワイシャツを始めとするシャツの首回りを目立つ動作をすることなく好みの長さに調節することができ、最上部のボタンが取れた場合でも容易に付け直すことができ、さらに縫製が容易で、ネクタイを締めない場合にも首回りを大きく拡げても見栄えを損なうことがなく、デザイン的にも優れた首回り調節機能付シャツとなる。
【０１３３】
請求項３４の発明にかかる首回り調節機能付シャツは、移動布またはその役割をするものに力が掛かっていない状態で最上部のボタンが位置する台襟下前裏側の下地にほつれない貫通孔を設けたものである。この貫通孔は最上部のボタンが取れた場合のために設けられるもので、消費者が自分で最上部のボタンを移動布またはその役割をするものに付け直す場合に、台襟下前上地に設けられた第２のボタンホールをやや拡げて、移動布またはその役割をするものに力が掛かっていない状態で最上部のボタンがあるべき位置を縫い糸をつけた針で掬う。このとき、深く掬うと台襟下前の下地まで掬ってしまい、最上部のボタンを台襟下前の下地に縫付けてしまう恐れがある。
【０１３４】
そこで、台襟下前裏側の下地にほつれない貫通孔を設けて、下地を掬わないために始めから掬うのではなく、針を貫通孔の中に貫通確認してそれを数回繰り返すことによって、移動布またはその役割をするものに最上部のボタンを縫付ける。これによって、消費者が間違いなく簡単に最上部のボタンを付け直すことができる。ここで、ほつれない貫通孔としては、菊穴や金属・プラスティック等のリング穴等を用いることができる。
【０１３５】
このようにして、最上部のボタンが取れた場合でも消費者が簡単かつ確実に最上部のボタンを付け直すことができ、ワイシャツを始めとするシャツの首回りを目立つ動作をすることなく好みの長さに調節することができ、さらに縫製が容易で、ネクタイを締めない場合にも首回りを大きく拡げても見栄えを損なうことがなく、デザイン的にも優れた首回り調節機能付シャツとなる。
【０１３６】
請求項３５の発明にかかる首回り調節機能付シャツは、最上部のボタンまたはその役割をするものと移動布またはその役割をするものと両者を接続する糸足または根巻きの役割をするもののいずれかまたは全てが金属製、プラスティック製、エラストマー製、ゴム製、木製、セラミックス製、ガラス製のいずれかであるものである。請求項１〜請求項３２の発明にかかる首回り調節機能付シャツにおいては、最上部のボタンと移動布と両者を接続する糸足または根巻きとして通常の衣服に使われる材料で構成することを考えているが、これらの素材としては必ずしも通常の衣服に使われる材料に限られるものではない。
【０１３７】
例えば、最上部のボタンまたはその役割をするものが金属製であっても良く、糸足または根巻きの役割をするものがゴム製の糸状のものであっても良い。さらに、最上部のボタンと移動布と両者を接続する部分を一体に成形されたプラスティック製とすれば、大量生産が可能となり大幅なコストダウンにつながる。また、最上部のボタンまたはその役割をするもの及び糸足または根巻きの役割をするものを、金属製、木製、セラミックス製、ガラス製等にすれば、外観も美しく意匠的にも優れたシャツとなる。
【０１３８】
このようにして、ワイシャツを始めとするシャツの首回りを目立つ動作をすることなく好みの長さに調節することができ、大量生産を可能としたり、意匠的に優れたものとできる上に快適に長時間着用でき、さらに縫製が容易で、ネクタイを締めない場合にも首回りを大きく拡げても見栄えを損なうことがなく、デザイン的にも優れた首回り調節機能付シャツとなる。
【０１３９】
請求項３６の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンを短い棒状のエラストマーに取付け、短い棒状のエラストマーを台襟に設けた第２のボタンホールを通して、短い棒状のエラストマーの下端を拡げてプラスティック板に接着し、さらにプラスティック板の周囲にエラストマー板を接着して、エラストマー板を台襟の下地に縫付けたものである。かかる構造により、エラストマー板の変形力によって最上部のボタンは第２のボタンホール内で首回り方向に移動させることができ、力を加えるのを止めるとエラストマー板の弾性力によって最上部のボタンは元の位置に戻る。
【０１４０】
このようにして、ワイシャツを始めとするシャツの首回りを目立つ動作をすることなく緩めることができ、手を離せばまた元のぴったり締まった状態に戻り、さらに縫製が容易で、ネクタイを締めない場合にも首回りを大きく拡げても見栄えを損なうことがなく、デザイン的にも優れた首回り調節機能付シャツとなる。
【０１４１】
請求項３７の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンを短い棒状のエラストマーに取付け、短い棒状のエラストマーを台襟下前に設けた第２のボタンホールを通して、短い棒状のエラストマーの下端を拡げてプラスティック板に接着し、さらにプラスティック板の一端に弾性材を接着して、弾性材を台襟下前の下地に縫付けたものである。かかる構造により、弾性材の伸縮力によって最上部のボタンは第２のボタンホール内で首回り方向に移動させることができ、力を加えるのを止めると弾性材の伸縮力によって最上部のボタンは元の位置に戻る。
【０１４２】
このようにして、ワイシャツを始めとするシャツの首回りを目立つ動作をすることなく緩めることができ、手を離せばまた元のぴったり締まった状態に戻り、さらに縫製が容易で、ネクタイを締めない場合にも首回りを大きく拡げても見栄えを損なうことがなく、デザイン的にも優れた首回り調節機能付シャツとなる。
【０１４３】
請求項３８の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンを短い棒状のエラストマーに取付け、短い棒状のエラストマーを台襟下前に設けた第２のボタンホールを通して、短い棒状のエラストマーの下端を小型の薄いプラスティック板に接着し、短い棒状のエラストマーの下端部がスライドする長円形の溝と小型の薄いプラスティック板がスライドする長方形の溝とを有するガイド板を被せて、ガイド板の裏側を薄いプラスティック板または硬めの芯材で塞いだものである。これによって、スライド方向を第２のボタンホールの長手方向に合わせて台襟下前の内部に取付ければ、最上部のボタンは第２のボタンホール内をスライド可能となり、短い棒状のエラストマーの下端部と長円形の溝との摩擦によって、好みの位置で止めることができる。そして、必要なときは指先で摘むだけで外襟と外襟の間を閉じることができる。
【０１４４】
このようにして、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１４５】
請求項３９の発明にかかる首回り調節機能付シャツは、第２のボタンホールは台襟下前の内端側（台襟下前の先端から遠い側）がやや下がって斜めになっているものである。第２のボタンホールの周辺に硬めの芯を貼り付けて最上部のボタンとの摩擦を調節し、弾性材の弾性力を調節する等によって、最上部のボタンが第２のボタンホール内の任意の位置で留まるようになっても、第２のボタンホールが水平に設けられていると、最上部のボタンの台襟下前内側への戻りが余り良くない。そこで、本発明者は鋭意実験研究の結果、第２のボタンホールの内側が下がって斜めになっていると最上部のボタンの台襟下前内側への戻りが良いことを見出し、この知見に基いて本発明を完成したものである。具体的には、第２のボタンホールの長さは１．２ｃｍ〜２．０ｃｍ程度であり、これに対して第２のボタンホールの内側端が約２ｍｍ程度下がっていると最上部のボタンの台襟下前内側への戻りが良い。そして、必要なときは指先で摘むだけで外襟と外襟の間を閉じることができる。
【０１４６】
このようにして、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１４７】
請求項４０の発明にかかる首回り調節機能付シャツは、第２のボタンホールが台襟下前と外襟の付け根部分の真下から第２のボタンホール内端が台襟下前の外側へ離れて設けられているものである。台襟下前と外襟の付け根部分の真下に第２のボタンホール内端が位置していても、最上部のボタンを第２のボタンホール外端に移動させ、通常のボタンホールの外端に掛けることによって、外襟と外襟の間を開くことができる。したがって、第２のボタンホールの長さを長くすることによって、外襟と外襟の間をより大きく開くことができるが、第２のボタンホールを余り長くすると見た目が悪くなり、第２のボタンホールが開き易くなって噴き出しも起こり易くなる。これに対して、第２のボタンホールを外側へずらすことによって最大開き幅を大きくすれば、第２のボタンホールの長さは短いままで済み、見た目も良く噴き出しも起こらない。
【０１４８】
請求項４１の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンを台襟下前上地に設けた第２のボタンホールを適当な長さの糸足または根巻きを貫通させて止め具に縫付け、最上部のボタンを首回り方向に第２のボタンホール内で好みの位置に移動可能としたものである。糸足または根巻きを適切な長さとすることによって、台襟下前上地と止め具との摩擦を利用して、第２のボタンホール内の好みの位置で留めることができる。しかも、ストッパーや弾性材を使用していない簡単な構造なので、容易にかつ安価に製造することができる。
【０１４９】
このようにして、ワイシャツを始めとするシャツの首回りを目立つ動作をすることなく好みの長さに調節することができ、容易にかつ安価に製造することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１５０】
請求項４２の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンまたはその役割をするものと止め具とを台襟下前上地に設けた第２のボタンホールを貫通する脚部を介して接続し、最上部のボタンまたはその役割をするものを首回り方向に第２のボタンホール内で好みの位置に移動可能としたものである。首回り調節機能付シャツはネクタイをすれば最上部のボタンは見えなくなるからボタン以外のものを用いても良いし、ネクタイをしない場合でも、金属等の光物やセラミックス等を最上部のボタンの代わりに用いれば、意匠的にも優れたものとなる。また、最上部のボタンまたはその役割をするものと止め具とを接続するものも糸足または根巻きに限らず、適当な長さと強度を持っているものであれば、何でも用いることができる。しかも、ストッパーや弾性材を使用していない簡単な構造なので、容易にかつ安価に製造することができる。
【０１５１】
このようにして、ワイシャツを始めとするシャツの首回りを目立つ動作をすることなく好みの長さに調節することができ、容易にかつ安価に製造することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１５２】
請求項４３の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンを台襟下前に設けた台襟貫通ボタンホールを適当な長さの糸足または根巻きを貫通させて止め具に縫付け、最上部のボタンを首回り方向に台襟貫通ボタンホール内で好みの位置に移動可能としたものである。これまで説明した第２のボタンホールは、いずれも台襟下前上地に設けられたものであり、台襟下前下地は貫通していなかったため台襟下前内部での作業が必要であり、消費者が簡単に内部構造を変えることは困難なものであった。
【０１５３】
しかし、本発明にかかる首回り調節機能付シャツにおいては、台襟下前を貫通した台襟貫通ボタンホールを設けて、最上部のボタンと止め具とをこの台襟貫通ボタンホールを貫通させた糸足または根巻きによって接続させている。したがって、台襟下前内部での作業が必要なくなって製造がより容易になりコストダウンにつながり、また消費者の好みに応じて最上部のボタンや止め具を他のものに交換することも容易にできる。
【０１５４】
このようにして、ワイシャツを始めとするシャツの首回りを目立つ動作をすることなく好みの長さに調節することができ、容易にかつ安価に製造することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１５５】
請求項４４の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの最上部のボタンまたはその役割をするものと止め具とを台襟下前に設けた台襟貫通ボタンホールを貫通する脚部を介して接続し、最上部のボタンまたはその役割をするものを首回り方向に台襟貫通ボタンホール内で好みの位置に移動可能としたものである。首回り調節機能付シャツはネクタイをすれば最上部のボタンは見えなくなるからボタン以外のものを用いても良いし、ネクタイをしない場合でも、金属等の光物やセラミックス等を最上部のボタンの代わりに用いれば、意匠的にも優れたものとなる。また、最上部のボタンまたはその役割をするものと止め具とを接続する脚部も、適当な長さと強度を持っているものであれば、何でも用いることができる。しかも、ストッパーや弾性材を使用していない簡単な構造なので、容易にかつ安価に製造することができる。
【０１５６】
このようにして、ワイシャツを始めとするシャツの首回りを目立つ動作をすることなく好みの長さに調節することができ、容易にかつ安価に製造することができ、意匠的にも優れたものとすることが可能で快適に長時間着用でき、さらに縫製が容易で、ネクタイを締めない場合にも首回りを大きく拡げても見栄えを損なうことがなく、デザイン的にも優れた首回り調節機能付シャツとなる。
【０１５７】
請求項４５の発明にかかる首回り調節機能付シャツは、止め具として最上部のボタンより大きいボタンを用いたものである。止め具としてボタンを用いれば、最上部のボタンとの接続も糸足または根巻きによって簡単にでき、最上部のボタンより大きいボタンを用い
れば第２のボタンホールや台襟貫通ボタンホールを擦り抜けて外れてしまう恐れもない。また、ボタンはシャツ生地に対して滑り易いので、第２のボタンホール内や台襟貫通ボタンホール内をスムーズに移動させることができる。
【０１５８】
このようにして、ワイシャツを始めとするシャツの首回りを目立つ動作をすることなく好みの長さに調節することができ、容易にかつ安価に製造することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１５９】
請求項４６の発明にかかる首回り調節機能付シャツは、最上部のボタンの役割をするものと止め具と脚部のいずれかまたは全てが金属製、プラスティック製、エラストマー製、ゴム製、木製、セラミックス製、ガラス製のいずれかであるものである。
【０１６０】
例えば、最上部のボタンの役割をするものが金属製であっても良く、脚部がゴム製の糸状のものや硬質のプラスティックであっても良い。さらに、最上部のボタンの役割をする部分と脚部と止め具の部分とを一体に成形されたプラスティック製とすれば、大量生産が可能となり大幅なコストダウンにつながる。また、最上部のボタンの役割をするもの及び脚部を、金属製、木製、セラミックス製、ガラス製等にすれば、外観も美しく意匠的にも優れたシャツとなる。さらに、脚部をエラストマー製またはゴム製とすれば、伸縮自在となる。
【０１６１】
このようにして、ワイシャツを始めとするシャツの首回りを目立つ動作をすることなく好みの長さに調節することができ、大量生産を可能としたり、意匠的に優れたものとできる上に快適に長時間着用でき、さらに縫製が容易で、ネクタイを締めない場合にも首回りを大きく拡げても見栄えを損なうことがなく、デザイン的にも優れた首回り調節機能付シャツとなる。
【０１６２】
請求項４７の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの台襟の上前端に弾性材料からなるループを取付けて、シャツを着用したときに台襟の下前のループが適当な付勢力を持って係合する位置に係合具を取付けたものである。これによって、台襟上前の通常のボタンホールに最上部のボタンを掛けるとともに、弾性材料からなるループを台襟の下前の係合具に掛けることによって、通常のボタンホールの長さ範囲内で襟元を拡げた場合に、ループの弾性力が強く設定されていれば手を離せば自然に襟元が締まった状態に戻るし、ループの弾性力に対して通常のボタンホールと最上部のボタンとの摩擦力が（糸足・根巻きを短くすることによって）強くなっていれば、通常のボタンホールの長さ範囲内で襟元を拡げた場合に任意の位置で留まり、指先で摘まむことによって襟元が締まった状態に戻る。
【０１６３】
なお、弾性材料からなるループ及び台襟の下前の係合具は外襟の下に隠れるので見た目を損なうことはない。また、「弾性材料」としては、ゴム、ゴム紐、シャーリングゴム等を用いることができる。さらに、「係合具」としては、ボタン、フック等を用いることができる。
【０１６４】
このようにして、第２のボタンホールや台襟貫通ボタンホールを設けることなく、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【０１６５】
請求項４８の発明にかかる首回り調節機能付シャツは、シャツの台襟下前をシャツの下前本体から突出させ、またはシャツの台襟下前をシャツの下前本体から及び台襟上前をシャツの上前本体から突出させ、シャツの台襟の下前端に弾性材料からなるループを取付けて、シャツを着用したときに台襟の上前裏側のループが適当な付勢力を持って係合する位置に係合具を取付けたものである。これによって、台襟上前の通常のボタンホールに最上部のボタンを掛けるとともに、弾性材料からなるループを台襟の上前裏側の係合具に掛けることによって、通常のボタンホールの長さ範囲内で襟元を拡げた場合に、ループの弾性力が強く設定されていれば手を離せば自然に襟元が締まった状態に戻るし、ループの弾性力に対して通常のボタンホールと最上部のボタンとの摩擦力が（糸足・根巻きを短くすることによって）強くなっていれば、通常のボタンホールの長さ範囲内で襟元を拡げた場合に任意の位置で留まり、指先で摘まむことによって襟元が締まった状態に戻る。
【０１６６】
なお、弾性材料からなるループ及び台襟の上前裏側の係合具は台襟の上前裏側に隠れるので見た目を損なうことはない。
【０１６７】
このようにして、第２のボタンホールや台襟貫通ボタンホールを設けることなく、ワイシャツを始めとするシャツの首回りを目立つ動作をすることなく好みの長さに調節することができ、快適に長時間着用でき、さらに縫製が容易で、ネクタイを締めない場合にも首回りを大きく拡げても見栄えを損なうことがなく、デザイン的にも優れた首回り調節機能付シャツとなる。
【発明を実施するための最良の形態】
【０１６８】
以下、本発明の実施の形態について、図面を参照しつつ説明する。以下に示す本発明の各実施の形態は、本発明の首回り調節機能付シャツを主にワイシャツに適用した場合を例示するものである。
【０１６９】
実施の形態１
まず、本発明の実施の形態１について、図１乃至図５を参照して説明する。
【０１７０】
図１（ａ）は本発明の実施の形態１にかかる首回り調節機能付シャツの最上部のボタンを締めた状態を示す上部正面図、（ｂ）は首回り調節機能付シャツの最上部のボタンを通常のボタンホールから外して、台襟下前に設けられた第２のボタンホール及び台襟下前突出部が見えるようにした図である。図２（ａ）は本発明の実施の形態１の第１変形例にかかる首回り調節機能付シャツの下前側の外襟を開いた状態を示す部分拡大図、（ｂ）は本発明の実施の形態１の第２変形例にかかる首回り調節機能付シャツの下前側の外襟を開いた状態を示す部分拡大図である。
【０１７１】
図３は本発明の実施の形態１の第３変形例にかかる首回り調節機能付シャツの下前側の外襟を開いた状態を示す部分拡大図である。図４は本発明の実施の形態１の第４変形例にかかる首回り調節機能付シャツの最上部のボタンが取付けられた側の台襟下前を上下方向に開いて示す図であり、（ａ）は弾性材が縮んだ状態を示す図、（ｂ）は弾性材が引張られて伸びた状態を示す図である。図５は本発明の実施の形態１の第５変形例にかかる首回り調節機能付シャツの最上部のボタンが取付けられた側の台襟下前を上下方向に開いて示す図である。
【０１７２】
図１（ａ）に示されるように、本実施の形態１にかかる首回り調節機能付シャツ１は、外見はスーツ等の下に着る通常の長袖・外襟２付きのワイシャツである。そして、最上部のボタン４は台襟３の右腕側（図示左側）に縫付けられ、台襟３の左腕側（図示右側）に設けられた通常のボタンホール５に掛けられて止められる。
【０１７３】
図１（ｂ）に示されるように、最上部のボタン４を通常のボタンホール５から外すと台襟下前３Ｂ及び第２のボタンホール６が表れ、台襟下前先端は下前本体１Ｂから突出して突出部３Ｃを形成しており、最上部のボタン４はこの第２のボタンホール６内を、想像線で示されるように首回り方向に移動可能となっている。このように、最上部のボタン４を第２のボタンホール６内で移動させることによって、首回り調節機能付シャツ１の首回りを緩めたり締めたりすることができる。そして、このように突出部３Ｃがあることによって、第２のボタンホール６を形成することが容易になる。
【０１７４】
図２（ａ）に示されるように、本実施の形態１の第１変形例にかかる首回り調節機能付シャツ１Ｖは、台襟下前３Ｂの突出部３Ｃの形状が首回り調節機能付シャツ１と異なっている。即ち、首回り調節機能付シャツ１の下前本体１Ｂからの突出部３Ｃは上辺がＲ形状になっているのに対して、首回り調節機能付シャツ１Ｖにおいては台襟下前３Ｂの外襟２の付け根から突出部３Ｃにかけて直線的に窄まり、先端は角張った形状を有している。また、図２（ｂ）に示されるように、本実施の形態１の第２変形例にかかる首回り調節機能付シャツ１Ｗは、台襟下前３Ｂと外襟２の境界線が直線状に突出部３Ｃ先端まで伸びており、先端はやはり角張った形状を有している。
【０１７５】
なお、対になる台襟上前３Ａの先端の形状は、突出部３Ｃの形状に合わせて、例えば図１（ｂ）に示されるように上辺がＲ形状をなしている突出部３Ｃに対しては台襟上前３Ａの先端も上辺をＲ形状とし、図２（ａ），（ｂ）に示されるように突出部３Ｃが角張った形状を有している場合には、台襟上前３Ａの先端も角張った形状とするのが好ましい。
【０１７６】
さらに、図３に示されるように、本実施の形態１の第３変形例にかかる首回り調節機能付シャツ１Ｕは、台襟下前３Ｂと外襟２の境界線が直線状に突出部３Ｃ境界まで伸びており、突出部３Ｃは三角形の形状をしている。また、第２のボタンホール６は内端がやや下がって若干右上がりになっている。これによって、第２のボタンホール６内で先端側へ移動した図示しない最上部のボタンが、内端側へ戻り易くなる。なお、図２（ａ），図２（ｂ），図３のいずれの図でも最上部のボタン４は図示省略されている。
【０１７７】
次に、最上部のボタン４を第２のボタンホール６内で移動させる仕組みについて、本実施の形態１の第４変形例にかかる首回り調節機能付シャツの台襟下前３Ｂの内部を示した図４を参照して説明する。なお、簡単のため、図４以降の図においては、最上部のボタン４の４つまたは２つあるボタン穴とそこを通る糸は、全て図示省略する。図４（ａ）に示されるように、台襟３の下前３Ｂの先端部分を上下に開くと、台襟下前３Ｂの上地３ａには第２のボタンホール６が設けられており、台襟下前３Ｂの下地３ｂには弾性材としてのゴムテープ８が図示されない左端において縫付けられている。（なお、上地３ａにも、下地３ｂにも、強化のため全面に芯材が貼り付けられている。この点は、以下に述べる全ての実施の形態においても同様である。）
一方、ゴムテープ８の右端には移動布としての芯７ａの左端が縫付けられ、さらに芯７ａの右端にはストッパーとしての裏地７ｂが縫付けられて、裏地７ｂの右端は台襟下前３Ｂの下地３ｂ内に縫込まれている。そして、芯７ａには最上部のボタン４が適度な長さの根巻き（ボタンの糸足に硬く巻き付けて止めたもの）をとってしっかりと縫付けられている。これらの上地３ａと下地３ｂを合わせて縫付けると、第４変形例にかかる台襟下前３Ｂの突出部３Ｃの形状は矩形となる。
【０１７８】
なお、本実施の形態１においては、根巻きをとって縫付けたが、ボタン４を適度な長さの糸足で縫付けても良い。特に、シャツのボタンの場合には機械で縫付けられる場合が多いので、糸足のみの場合も多い。また、図４においては台襟下前３Ｂの先端が角張った形状（矩形）をしているために移動布としての芯７ａも長方形をしているが、台襟下前３Ｂの先端は流線形や窄まった形状になっている場合も多く、その場合には移動布としての芯７ａも台襟下前３Ｂの先端の形状に合わせて丸みを帯びた形状や先が窄まった形状とする。
【０１７９】
また、本実施の形態１においては、移動布としての芯７ａとストッパーとしての裏地７ｂを別体として縫付けているが、移動布７ａとストッパー７ｂを一体の筒状の布地として、移動布７ａの部分にのみ内部に芯材を縫い込んでも良い。さらに弾性材としてのゴムテープ８を台襟下前３Ｂの下地３ｂに縫付けているが、台襟下前３Ｂの上地３ａに縫付けても良い。この場合にも、ゴムテープ８の縫付け糸は外襟２で隠れるので外部からは見えない。これらの点に付いては以下の各実施の形態においても同様である。
【０１８０】
また、芯７ａの下には縦テープ９が上下端を台襟下前３Ｂの下地３ｂに縫付けられており、この縦テープ９と下地３ｂの間には横方向テープ１０が通されて、この横方向テープ１０の両端は芯７ａと裏地７ｂの裏側にそれぞれ縫付けられている。これによって、縦テープ９が芯７ａと裏地７ｂからなる移動布及びストッパーと横方向テープ１０とによって挟まれる構造になり、最上部のボタン４を上地３ａの第２のボタンホール６に掛けて弾性材としてのゴムテープ８の引張り力に抗して、図４（ｂ）に示されるように右側へ移動させる際に、上下にふらつくことなくスムーズに移動させることができる。
【０１８１】
これを、完成品としての首回り調節機能付シャツ１についてみると、図１（ａ）に示されるようにボタンを最上部のボタン４まで全部締めて、図示しないネクタイを外襟２の下、台襟３の周りに締めて、冠婚葬祭等のフォーマルな席に臨んだ場合、長時間同じ姿勢をとっていて首回りがきつく感じた場合には、さりげなく両手で左右の襟元を摘んで外側に力を加えれば、通常のボタンホール５の端で最上部のボタン４が引張られ、図４（ｂ）に示されるように第２のボタンホール６内を右側へ移動し、首回りが伸びて楽になり、風を入れることができる。
【０１８２】
そして、両手を襟元から離すと、弾性材としてのゴムテープ８が強力な引張り力を有する場合には、ゴムテープ８の付勢力によってまた元のぴったり締められた状態に戻る。また、ゴムテープ８として網ゴムテープのような引張り力の弱いものを用いた場合には、弾性材の付勢力が弱いため第２のボタンホール６の穴かがり部分との摩擦によって最上部のボタン４はすぐには元の位置に戻らず、ゆっくり時間をかけてそれと分からないほどの動きで元の位置に復帰するので、着用者は首回りが楽な状態をしばらく維持することができる。これによって、葬儀等の参列時において長時間同じ姿勢を保っていなければならない場合においても、周囲に目立たないように首回りを楽にしていられる。
【０１８３】
なお、ゴムテープ８の付勢力によって直ぐまた元のぴったり締められた状態に戻したい場合には最上部のボタン４の根巻き（ボタンの糸足に硬く巻き付けて止めたもの）を長めにするのが好ましく、ゆっくり時間をかけてそれと分からないほどの動きで元の位置に復帰させたい場合には最上部のボタン４の根巻きを短めにして、最上部のボタン４とボタンホール５の穴かがり部分との摩擦を大きくするのが好ましい。
【０１８４】
次に、本実施の形態１にかかる首回り調節機能付シャツの第５変形例について、図５を参照して説明する。図４に示されるように、本変形例は、縦テープ９を台襟下前３Ｂの下地３ｂに縫付けるところまでは、首回り調節機能付シャツの第４変形例と同様である。異なるのは、横方向テープ１０を用いずに、ゴムテープ８を縦テープ９と下地３ｂの間を通して最上部のボタン４の移動ストローク（即ち、第２のボタンホール６の長さ）分だけ間を空けて、２箇所を芯７ａの裏側に縫付ける。これによって、縦テープ９が芯７ａとゴムテープ８とによって挟まれる構造になり、最上部のボタン４をゴムテープ８の引張り力に抗して右側へ移動させる際に、上下にふらつくことなくスムーズに移動させることができる。そして、横方向テープ１０を用いない分だけ構造がより簡単になる。
【０１８５】
なお、図５においては台襟下前３Ｂの先端が角張った形状（矩形）をしているために移動布としての芯７ａも長方形をしているが、台襟下前３Ｂの先端は流線形や窄まった形状になっている場合も多く、その場合には移動布としての芯７ａも台襟下前３Ｂの先端の形状に合わせて丸みを帯びた形状や先が窄まった形状とする。
【０１８６】
このようにして、本実施の形態１にかかる首回り調節機能付シャツにおいては、ワイシャツを始めとするシャツの首回りを目立つ動作をすることなく好みの長さに調節することができ、弾性材の付勢力を選択することによってすぐまた元のぴったり締まった状態に復帰させたり、しばらく首回りを緩めた状態を維持したりすることができ、襟に治具等のアタリが出たり襟が上がって治具等が見えたりすることもなく、快適に長時間着用することができる。
【０１８７】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０１８８】
また、移動布としての芯７ａにはストッパーとしての裏地７ｂが縫付けられているため、最上部のボタン４が取れた場合でも裏地７ｂを手繰ることによって芯７ａを元の位置に戻すことができ、最上部のボタン４を芯７ａに付け直すことができる。
【０１８９】
実施の形態２
次に、本発明の実施の形態２について、図６及び図７を参照して説明する。
【０１９０】
図６は本発明の実施の形態２にかかる首回り調節機能付シャツの上前側及び下前側の外襟を開いた状態を示す部分拡大図である。図７（ａ）は本発明の実施の形態２の第１変形例にかかる首回り調節機能付シャツの上前側の外襟を開いた状態を示す部分拡大図、（ｂ）は本発明の実施の形態２の第２変形例にかかる首回り調節機能付シャツの上前側の外襟を開いた状態を示す部分拡大図である。なお、図６においては、第２のボタンホール６内の最上部のボタンは図示省略されている。
【０１９１】
図６に示されるように、本実施の形態２にかかる首回り調節機能付シャツ１Ｔは、台襟下前３Ｂの先端３Ｃが下前本体１Ｂから突出しているのみならず、台襟上前３Ａの先端３Ｄも上前本体１Ａから突出している。突出部３Ｃ，３Ｄはいずれも三角形の形状をしており、台襟上前３Ａには貫通した通常のボタンホール５が設けられており、台襟下前３Ｂには上地のみを貫通した第２のボタンホール６が設けられている。そして、第２のボタンホール６内には図４，図５で説明したような図示しない最上部のボタンの移動機構が設けられている。なお、第２のボタンホール６は内端がやや下がって若干右上がりになっている。これによって、第２のボタンホール６内で先端側へ移動した図示しない最上部のボタンが、内端側へ戻り易くなる。
【０１９２】
図７（ａ）に示されるように、本実施の形態２の第１変形例にかかる首回り調節機能付シャツ１Ｓにおいても、図示しない台襟下前３Ｂの先端３Ｃのみならず、台襟上前３Ａの先端３Ｄも上前本体１Ａから突出している。突出部３Ｄは窄まって先端は角張った形状をしているので、図２（ｂ）に示される首回り調節機能付シャツ１Ｗの台襟下前３Ｂの突出部３Ｃと組み合わせると、図６と同様に左右対称になってデザイン的にも落ち着いたものになる。
【０１９３】
また、図７（ｂ）に示されるように、本実施の形態２の第２変形例にかかる首回り調節機能付シャツ１Ｒにおいても、図示しない台襟下前３Ｂの先端３Ｃのみならず、台襟上前３Ａの先端３Ｄも上前本体１Ａから突出している。突出部３Ｄは上辺がＲ形状になっているので、図１（ｂ）に示される首回り調節機能付シャツ１の台襟下前３Ｂの突出部３Ｃと組み合わせると、図６と同様に左右対称になってデザイン的にも落ち着いたものになる。
【０１９４】
このようにして、本実施の形態２にかかる首回り調節機能付シャツにおいては、ワイシャツを始めとするシャツの首回りを目立つ動作をすることなく好みの長さに調節することができ、弾性材の付勢力を選択することによってすぐまた元のぴったり締まった状態に復帰させたり、しばらく首回りを緩めた状態を維持したりすることができ、襟に治具等のアタリが出たり襟が上がって治具等が見えたりすることもなく、快適に長時間着用することができる。
【０１９５】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。のみならず、シャツの台襟上前３Ａもシャツの上前本体１Ａから突出しているため、ネクタイをしない場合でも、首回りが緩んだ状態で台襟上前３Ａの突出部３Ｄ及び台襟下前３Ｂの突出部３Ｃによって襟元がカバーされるため見栄えを損なわず、さらに左右対称の突出形状とすることによってデザイン的にもより優れたものとなる。
【０１９６】
実施の形態３
次に、本発明の実施の形態３について、図８を参照して説明する。
【０１９７】
図８は本発明の実施の形態３にかかる首回り調節機能付シャツの最上部のボタンが取付けられた側の台襟下前を上下方向に開いて示す図であり、（ａ）は弾性材が縮んだ状態を示す図、（ｂ）は弾性材が引張られて伸びた状態を示す図である。
【０１９８】
最上部のボタン４を第２のボタンホール６内で移動させる仕組みについて、図８を参照して説明する。図８（ａ）に示されるように、台襟下前３Ｂの先端部分を上下に開くと、台襟下前３Ｂの上地３ａには第２のボタンホール６が設けられており、台襟下前３Ｂの下地３ｂには弾性材としてのゴムテープ８が図示されない左端において縫付けられている。なお、上述の如く、上地３ａにも、下地３ｂにも、強化のため全面に芯材が貼り付けられている。一方、ゴムテープ８の右端には移動布としての芯７ａの左端が縫付けられ、さらに芯７ａの右端にはストッパーとしての裏地７ｂが縫付けられて、裏地７ｂの右端は台襟３の下地３ｂ内に縫込まれている。そして、芯７ａには最上部のボタン４が適度な長さの根巻き（ボタンの糸足に硬く巻き付けて止めたもの）をとってしっかりと縫付けられている。なお、本実施の形態３においては根巻きをとって縫付けたが、ボタン４を適度な長さの糸足で縫付けても良い。
【０１９９】
また、芯７ａの下には横長のテープ１１が第２のボタンホール６に相当する位置に左右端を台襟下前３Ｂの下地３ｂに縫付けられており、この横長テープ１１と下地３ｂの間には縦方向テープ１２が通されて、この縦方向テープ１２の上下端は芯７ａの裏側にそれぞれ縫付けられている。これによって、横長テープ１１が芯７ａからなる移動布と縦方向テープ１２とによって挟まれる構造になり、最上部のボタン４を上地３ａの第２のボタンホール６に掛けて弾性材としてのゴムテープ８の引張り力に抗して、図８（ｂ）に示されるように右側へ移動させる際に、上下にふらつくことなくスムーズに移動させることができる。なお、図８においては台襟下前３Ｂの先端の突出部３Ｃが角張った形状をしているために移動布としての芯７ａも長方形をしているが、台襟下前３Ｂの先端の突出部３Ｃは流線形や先が窄まった形状になっている場合も多く、その場合には移動布としての芯７ａも台襟３の先端の形状に合わせた形状とする。
【０２００】
この実施の形態３にかかる首回り調節機能付シャツにおいても、実施の形態１と同様に、首回りを緩めてから両手を襟元から離すと、ゴムテープ８が強力な引張り力を有する場合にはゴムテープ８の付勢力によって元のぴったり締められた状態に戻る。また、ゴムテープ８として網ゴムテープのような引張り力の弱いものを用いた場合には、弾性材の付勢力が弱いため第２のボタンホール６の穴かがり部分との摩擦によって最上部のボタン４はすぐには元の位置に戻らず、ゆっくり時間をかけてそれと分からないほどの動きで元の位置に復帰するので、着用者は首回りが楽な状態をしばらく維持することができる。これによって、葬儀等の参列時において長時間同じ姿勢を保っていなければならない場合においても、周囲に目立たないように首回りを楽にしていられる。
【０２０１】
なお、ゴムテープ８の付勢力によって直ぐまた元のぴったり締められた状態に戻したい場合には最上部のボタン４の根巻きを長めにするのが好ましく、ゆっくり時間をかけてそれと分からないほどの動きで元の位置に復帰させたい場合には最上部のボタン４の根巻きを短めにして、最上部のボタン４とボタンホール５の穴かがり部分との摩擦を大きくするのが好ましい。
【０２０２】
このようにして、本実施の形態３にかかる首回り調節機能付シャツにおいては、ワイシャツを始めとするシャツの首回りを目立つ動作をすることなく好みの長さに調節することができ、弾性材の付勢力を選択することによってすぐまた元のぴったり締まった状態に復帰させたり、しばらく首回りを緩めた状態を維持したりすることができ、襟に治具等のアタリが出たり襟が上がって治具等が見えたりすることもなく、快適に長時間着用することができる。
【０２０３】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２０４】
実施の形態４
次に、本発明の実施の形態４について、図９を参照して説明する。図９は本発明の実施の形態４にかかる首回り調節機能付シャツの最上部のボタンが取付けられた側の台襟下前を上下方向に開いて示す図である。
【０２０５】
最上部のボタン４を第２のボタンホール６内で移動させる仕組みについて、図９を参照して説明する。図９に示されるように、本実施の形態４は、上記実施の形態１と実施の形態３とを組み合わせたような構造になっている。即ち、横長のテープ１１が左端では下地３ｂに縫付けられ、縦方向のテープ１２が移動布を構成する芯７ａの裏側に上下端を縫付けられて、縦方向のテープ１２と芯７ａとで横長のテープ１１を挟んだ状態になっているのに対して、横長のテープ１１の右端はストッパーを構成する裏地７ｂの裏側に縫付けられ、縦テープ９が横長のテープ１１の上を通って上下端が下地３ｂに縫付けられて、横長のテープ１１と裏地７ｂとで縦テープ９を挟んだ状態になっている。
【０２０６】
これによって、最上部のボタン４を第２のボタンホール６内で移動させる際に、より一層ふらつくことなく真っ直ぐ移動するとともに、移動する際の摩擦が大きくなるので、ゴムテープ８の付勢力を弱めにするとともに、最上部のボタン４を移動布を構成する芯７ａに縫付ける際の根巻きを短めにして、最上部のボタン４を第２のボタンホール６内の好みの位置に移動させて首回りを楽にした状態を保つのに適している。また、最上部のボタン４が移動する範囲が２つの縦テープでしっかり限定されるので、ゴムテープ８に無理な力が掛かることがなく寿命が長くなる。
【０２０７】
なお、図９においては台襟下前３Ｂの先端の突出部３Ｃが角張った形状をしているために移動布としての芯７ａも長方形をしているが、台襟下前３Ｂの先端の突出部３Ｃは流線形や先が窄まった形状になっている場合も多く、その場合には移動布としての芯７ａも台襟３の先端の形状に合わせた形状とする。
【０２０８】
このようにして、本実施の形態４にかかる首回り調節機能付シャツは、ワイシャツを始めとするシャツの首回りを目立つ動作をすることなく好みの長さに調節することができ、かつ弾性材を長持ちさせることができ、快適に長時間着用することができる。
【０２０９】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２１０】
実施の形態５
次に、本発明の実施の形態５について、図１０及び図１１を参照して説明する。
【０２１１】
図１０（ａ）は本発明の実施の形態５にかかる首回り調節機能付シャツの最上部のボタンが取付けられた側の台襟を上下方向に開いて示す図、（ｂ）は「く」の字形テープの先端部分を拡大して示す図、（ｃ）は最上部のボタンが移動したときの「く」の字形テープの先端部分を拡大して示す図である。図１１は本発明の実施の形態５の変形例にかかる首回り調節機能付シャツの最上部のボタンが取付けられた側の台襟下前を上下方向に開いて示す図である。
【０２１２】
図１０（ａ）に示されるように、本実施の形態５にかかる首回り調節機能付シャツにおいては、中央部にタックを設けて「く」の字形に折り畳んだテープ１４の上下を台襟下前３Ｂの下地３ｂに縫付けて、テープ１４の中央線に沿って移動布を構成する芯７ａを縫付け、芯７ａに最上部のボタン４を縫付けて、芯７ａの左端に弾性材としてのゴムテープ８を縫付けている。図１０（ｂ）の拡大図に示されるように、テープ１４の「く」の字形に折り畳んだ中央部分はタックになっていて、最上部のボタン４が首回りの緩む方向に引張られると、図１０（ｃ）に示されるように、中央部分のタックが上下に分散してテープ１４の遊びが小さくなり、最上部のボタン４を上に持ち上げる力が働いても、最上部のボタン４が取付けられている芯７ａ、テープ１４、ゴムテープ８等の中味が第２のボタンホール６から外へ飛び出してしまう所謂「噴き出し」が起こり難くなる。
【０２１３】
これまでに説明した実施の形態１〜４においては、最上部のボタン４が取付けられる芯７ａが縦方向のテープ或いは横方向のテープによって下地３ｂに押し付けられていたので、最上部のボタン４が引張られても噴き出しは起こり難くなっていたが、本実施の形態５のように芯７ａを押し付けるものがない場合でも、「く」の字形に折り畳んで中央部分をタックにしたテープ１４で芯７ａを下地３ｂに取付けることによって、噴き出しを起こり難くすることができる。
【０２１４】
次に、本実施の形態５の変形例にかかる首回り調節機能付シャツの台襟部分の構造について、図１１を参照して説明する。図１１に示されるように、この変形例においては、芯７ａを「く」の字形に折り畳んで中央部分をタックにしたテープ１４で下地３ｂに取付けるとともに、横方向テープ１３をテープ１４の下を通して両端を移動布とストッパーを構成する芯７ａと裏地７ｂの裏側にそれぞれ縫付ける。これによって、テープ１４が横方向テープ１３と芯７ａ，裏地７ｂで挟まれることになり、芯７ａに縫付けられた最上部のボタン４の右方向への移動がスムーズになるとともに、噴き出しを一層起こり難くすることができる。
【０２１５】
なお、図１１においては台襟下前３Ｂの先端の突出部３Ｃが角張った形状をしているために移動布としての芯７ａも長方形をしているが、台襟下前３Ｂの先端の突出部３Ｃは流線形や先が窄まった形状になっている場合も多く、その場合には移動布としての芯７ａも台襟３の先端の形状に合わせた形状とする。
【０２１６】
ここで、噴き出しの起こる場合と起こらない場合について、図１２を参照して説明する。図１２は噴き出しの起こる場合と起こらない場合とを、台襟下前の断面として示した模式図である。図１２（ａ）に示されるように弾性材８に引張り力がかからず、最上部のボタン４が第２のボタンホール６の左端に位置している状態から、図１２（ｂ）に示されるように最上部のボタン４に右方向（首回りが緩む方向）への引張り力が掛かるとともに上方向に引き上げる力が掛かった場合でも、上記各実施の形態においては、芯７ａが縦方向のテープ或いは横方向のテープによって下地３ｂに押し付けられているので、噴き出しは起こり難い。これに対して、何の対策も取られていない場合には、図１２（ｃ）に示されるように、芯７ａが第２のボタンホール６から引っ張り出され、さらに弾性材８，裏地７ｂも引き出されてしまう所謂「噴き出し」が起こってしまう。
【０２１７】
実施の形態６
そこで、本発明の実施の形態６にかかる首回り調節機能付シャツにおいては、噴き出しをより効果的に防ぐ工夫がされており、図１３を参照して説明する。
【０２１８】
図１３（ａ）は本発明の実施の形態６にかかる首回り調節機能付シャツの台襟下前の先端部分を上から見た図、（ｂ）は本発明の実施の形態６の第１の変形例にかかる首回り調節機能付シャツの台襟下前の先端部分を上から見た図、（ｃ）は本発明の実施の形態５の第２の変形例にかかる首回り調節機能付シャツの芯のみを取り出して見た図、（ｄ）は本発明の実施の形態５の第３の変形例にかかる首回り調節機能付シャツの台襟下前の先端部分を開いて見た図である。
【０２１９】
図１３（ａ）に示されるように、本実施の形態６においては、台襟下前３Ｂの上地３ａの第２のボタンホール６の周囲に裏側から第２のボタンホール６部分に長穴を開けた硬めの芯１５が貼り付けられている。これによって、最上部のボタン４に上方に引張る力が掛かっても、第２のボタンホール６は自由に変形することができないため芯７ａは第２のボタンホール６から外へ飛び出すことができず、「噴き出し」を効果的に防止することができる。
【０２２０】
また、第１の変形例においては、図１３（ｂ）に示されるように、台襟下前３Ｂの上地３ａの先端部分全体に裏側から第２のボタンホール６部分に長穴を開けた硬めの芯１６が貼り付けられている。これによって、台襟下前３Ｂの先端部分の第２のボタンホール６側全体が硬めの芯１６で強化されるため、第２のボタンホール６はますます自由に変形することができず、より噴き出しが起こり難くなる。
【０２２１】
さらに、第２の変形例においては、図１３（ｃ）に示されるように、最上部のボタン４が縫付けられて台襟下前３Ｂの内部で移動布を構成する芯７ａの裏側全体に硬めの芯１７が貼り付けられている。これによって、移動布の芯７ａ部分の硬さが増すのでさらに噴き出しが起こり難くなり、また台襟下前３Ｂの先端部分の内部を移動布の芯７ａ部分がよりスムーズに移動することができるので、小さい力で首回りを調節することができるという効果も同時に得られる。
【０２２２】
また、第３の変形例においては、図１３（ｄ）に示されるように、台襟下前３Ｂの上地３ａの第２のボタンホール６の周囲に裏側から第２のボタンホール６部分に長穴を開けた硬めの芯１５が貼り付けられるとともに、最上部のボタン４が縫付けられて台襟下前３Ｂの内部で移動布を構成する芯７ａの裏側全体に硬めの芯１７が貼り付けられている。なお、図１３（ｄ）においては芯７ａの左側のゴムテープ８と右側の裏地７ｂが図示省略されている。これによって、本実施の形態６と第２の変形例の相乗効果によって、完全に噴き出しを防止することができる。
【０２２３】
なお、本実施の形態６とその変形例における硬めの芯１５，１６，１７の代わりに薄い耐熱性プラスティック板を用いても良い。ここで、耐熱性プラスティックとは狭義には約２００℃までは軟化しないプラスティック材料をいう。かかる材料であれば、アイロンをかける温度が最も高い（約２００℃）木綿製のワイシャツ等にも硬めの芯１５，１６，１７の代わりに使用することができる。
【０２２４】
実施の形態７
次に、本発明の実施の形態７にかかる首回り調節機能付シャツについて、図１４を参照して説明する。図１４は本発明の実施の形態７にかかる首回り調節機能付シャツの最上部のボタンが取付けられた側の台襟下前を上下方向に開いて示す図である。
【０２２５】
図１４に示されるように、本実施の形態７にかかる首回り調節機能付シャツにおいては、弾性材としてのゴムテープ８を移動布を構成する芯７ａの奥深くまで縫付けて、第２のボタンホール６の位置に第２のボタンホール６よりも長く間を空けて下地３ｂに両端を縫付けられた横長のテープ１１をその下を通した縦方向テープ１２の上下端を芯７ａに縫付けて、横方向に移動布７ａ及びストッパー７ｂがスライド可能になっている。
【０２２６】
このように、ゴムテープ８を芯７ａの奥深くまで入り込ませることによって、最上部のボタン４を移動させる機構が短くなり、目立たなくなって通常のワイシャツと全く変わらなく見えるという効果がある。なお、図１４においては台襟下前３Ｂの先端の突出部３Ｃが角張った形状をしているために移動布としての芯７ａも長方形をしているが、台襟下前３Ｂの先端の突出部３Ｃは流線形や先が窄まった形状になっている場合も多く、その場合には移動布としての芯７ａも台襟３の先端の形状に合わせた形状とする。
【０２２７】
このようにして、本実施の形態７にかかる首回り調節機能付シャツは、ワイシャツを始めとするシャツの首回りを目立つ動作をすることなく好みの長さに調節することができ、かつ通常のシャツと代わらない外観で、快適に長時間着用することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２２８】
以上説明したように、上記各実施の形態にかかる首回り調節機能付シャツは、弾性材としてのゴムテープ８を強力なものにして最上部のボタン４の根巻き（ボタンの糸足に硬く巻き付けて止めたもの）を長めにすれば、指先で首回りを緩めて風を入れて手を離せば直ぐにまた首回りにぴったりフィットした元の状態に戻る。また、ゴムテープ８を弾力性の弱いものとして最上部のボタン４の根巻きを短かめにすれば、好みの位置まで最上部のボタン４を移動させて手を離しても直ぐには元の位置に戻らず、首回りの楽な状態を保つことができる。
【０２２９】
ここで、常にジャストフィットの状態を保てるシャツとするために、弾性材を強力にする方法について、図１５を参照して説明する。図１５（ａ），（ｂ）は、いずれも２本の弾性材を最上部のボタン４を取付ける芯７ａに縫付けた状態を示す図である。
【０２３０】
図１５（ａ），（ｂ）に示されるように、Ｖ字形に組み合わせたゴムテープ８ａ，８ｂ或いは８ｃ，８ｄを最上部のボタン４を取付ける芯７ａの左端に縫付け、図示されないゴムテープ８ａ，８ｂ或いは８ｃ，８ｄの左端を下地３ｂに縫付ければ、２本のゴムテープ８ａ，８ｂ或いは８ｃ，８ｄによってより強力な弾性力が得られ、指先で首回りを緩めて風を入れて手を離せば直ちに首回りにぴったりフィットした元の状態に戻る。
【０２３１】
実施の形態８
次に、本発明の実施の形態８にかかる首回り調節機能付シャツについて、図１６を参照して説明する。図１６（ａ）は本発明の実施の形態８にかかる首回り調節機能付シャツの最上部のボタンを移動させる機構について示す図、（ｂ）はその変形例にかかる最上部のボタンを移動させる機構について示す図である。
【０２３２】
図１６（ａ）に示されるように、本実施の形態８にかかる首回り調節機能付シャツにおいては、弾性材を用いず、台襟下前３Ｂの下地３ｂに最上部のボタン４の移動ストローク（即ち、第２のボタンホール６の長さ）分以上離して太い横テープ１９の両端を縫付け、この横テープ１９を表裏から挟んで２枚の縦方向テープ１８を横テープ１９の上下のきわで縫付けて、この縦方向テープ１８を横テープ１９に沿って移動可能とし、２枚の縦方向テープ１８のうち表側に最上部のボタン４を縫付けて、図示しない第２のボタンホール６から外に出している。これによって、２枚の縦方向テープ１８と横テープ１９の間の摩擦が大きくなり、最上部のボタン４が一度移動させた位置からずれ難くなる。また、弾性材を使用していないため、構造が簡単になって低コスト化することができる。
【０２３３】
また、本実施の形態８の変形例にかかる首回り調節機能付シャツにおいては、図１６（ｂ）に示されるように、２本の横テープ１９ａ，１９ｂを用いてこれらを平行に張って両端を台襟下前３Ｂの下地３ｂに縫付け、これらの横テープ１９ａ，１９ｂを表裏から挟んで２枚の縦方向テープ１８を２本の横テープ１９ａ，１９ｂの上下のきわでそれぞれ縫付けて、この縦方向テープ１８を２本の横テープ１９ａ，１９ｂに沿って移動可能とし、２枚の縦方向テープ１８のうち表側に最上部のボタン４を縫付けて、図示しない第２のボタンホール６から外に出している。これによって、２枚の縦方向テープと２本の横テープの間の摩擦はさらに大きくなり、最上部のボタン４が一度移動させた位置からさらにずれ難くなる。
【０２３４】
このようにして、本実施の形態８とその変形例にかかる首回り調節機能付シャツにおいては、ワイシャツを始めとするシャツの首回りを目立つ動作をすることなく好みの長さに調節することができ、かつ構造が簡単で低コスト化でき、快適に長時間着用することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２３５】
なお、本実施の形態８およびその変形例においては、横テープ１９，１９ａ，１９ｂの両端を台襟３の下地３ｂに縫付けているが、下地３ｂの裏地のみに縫付ければ下地３ｂの表側には縫い糸が全く表れないため、外見は通常のシャツと全く変わらないものとなり、極めて見栄えの良い首回り調節機能付シャツとなる。
【０２３６】
実施の形態９
次に、本発明の実施の形態９にかかる首回り調節機能付シャツについて、図１７を参照して説明する。図１７（ａ）は本発明の実施の形態９にかかる首回り調節機能付シャツの最上部のボタンを移動させる機構について示す斜視図、（ｂ）はその断面図である。
【０２３７】
図１７（ａ）に示されるように、本実施の形態９にかかる首回り調節機能付シャツにおいては、最上部のボタン４を糸で芯に縫付けるのではなく、棒状のエラストマー２０の先端に取付けている。棒状のエラストマー２０の下端は円形のプラスティック板２１に接着し、円形のプラスティック板２１の周りは図示しない第２のボタンホール６の長さに対応する略長方形のエラストマー板２２で覆われている。そして、図１７（ｂ）にも示されるように、このエラストマー板２２が外周に沿って縫い糸２３で台襟３の下地３ｂに縫付けられている。
【０２３８】
かかる構造により、エラストマー板２２の変形力によって最上部のボタン４は第２のボタンホール６内で首回り方向に移動させることができ、力を加えるのを止めるとエラストマー板２２の弾性力によって最上部のボタン４は即座に元の位置に戻る。
【０２３９】
このようにして、本実施の形態９にかかる首回り調節機能付シャツにおいては、ワイシャツを始めとするシャツの首回りを目立つ動作をすることなく緩めることができ、手を離せばまた元のぴったり締まった状態に戻ってジャストフィットの状態を維持することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２４０】
また、シャツの台襟下前３Ｂをシャツの下前本体１Ｂから突出させるだけでなく、台襟上前３Ａもシャツの上前本体１Ａから突出させても良い。
【０２４１】
実施の形態１０
次に、本発明の実施の形態１０にかかる首回り調節機能付シャツについて、図１８を参照して説明する。図１８は本発明の実施の形態１０にかかる首回り調節機能付シャツの最上部のボタンを移動させる機構について示す断面図である。
【０２４２】
図１８に示されるように、本実施の形態１０にかかる首回り調節機能付シャツにおいても、最上部のボタン４を糸で芯に縫付けるのではなく、棒状のエラストマー２０の先端に取付けている。棒状のエラストマー２０の下端は略長方形のプラスティック板２４に接着されており、略長方形のプラスティック板２４の側面には弾性材としてのゴムテープ８が接着され、ゴムテープ８の左端は台襟下前３Ｂの下地３ｂに縫付けられている。
【０２４３】
かかる構造により、弾性材としてのゴムテープ８の伸縮力によって最上部のボタン４は図示しない第２のボタンホール６内で首回り方向に移動させることができ、力を加えるのを止めるとゴムテープ８の伸縮力によって最上部のボタン４は元の位置に戻る。
【０２４４】
このようにして、本実施の形態１０にかかる首回り調節機能付シャツにおいては、ワイシャツを始めとするシャツの首回りを目立つ動作をすることなく緩めることができ、手を離せばまた元のぴったり締まった状態に戻ってジャストフィットの状態を維持することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。また、シャツの台襟下前３Ｂをシャツの下前本体１Ｂから突出させるだけでなく、台襟上前３Ａもシャツの上前本体１Ａから突出させても良い。
【０２４５】
実施の形態１１
次に、本発明の実施の形態１１にかかる首回り調節機能付シャツについて、図１９を参照して説明する。図１９は本発明の実施の形態１１にかかる首回り調節機能付シャツの最上部のボタンを移動させる機構について示す斜視断面図である。
【０２４６】
図１９に示されるように、本実施の形態１１にかかる首回り調節機能付シャツにおいても、最上部のボタン４を糸で芯に縫付けるのではなく、棒状のエラストマー２０の先端に取付けている。棒状のエラストマー２０の下端は略正方形の薄い小型のプラスティック板２５に接着されており、このプラスティック板２５の上には、棒状のエラストマー２０がスライド可能な長円形の溝２６ａと、略正方形の薄い小型のプラスティック板２５が棒状のエラストマー２０と同一方向へスライド可能な長方形の溝２６ｂとを有するガイド板２６によって覆われており、ガイド板２６の裏側には薄くて丈夫なプラスティック板２７が貼り付けられている。
【０２４７】
これによって、スライド方向を第２のボタンホール６の長手方向に合わせて台襟下前３Ｂの内部に取付ければ、最上部のボタン４は第２のボタンホール６内をスライド可能となり、短い棒状のエラストマー２０の下端部と長円形の溝２６ａとの摩擦によって、好みの位置で止めることができる。
【０２４８】
このようにして、本実施の形態１１にかかる首回り調節機能付シャツにおいては、ワイシャツを始めとするシャツの首回りを目立つ動作をすることなく好みの長さに調節することができ、快適に長時間着用することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。また、シャツの台襟下前３Ｂをシャツの下前本体１Ｂから突出させるだけでなく、台襟上前３Ａもシャツの上前本体１Ａから突出させても良い。
【０２４９】
実施の形態１２
次に、本発明の実施の形態１２にかかる首回り調節機能付シャツについて説明する。本実施の形態１２にかかる首回り調節機能付シャツにおいては、前記移動布としての芯７ａの代わりに耐熱性プラスティック板を用いるものである。具体的には、ポリエチレンテレフタラート（ＰＥＴ）の板を芯７ａと同程度の大きさに切って、最上部のボタン４を縫付け、一方の端には弾性材としてのゴムテープ８を縫付け、他方の端にはストッパーとしての裏地７ｂを縫付けて、ゴムテープ８と裏地７ｂの他端はそれぞれ上記各実施の形態と同様に縫付ける。
【０２５０】
ポリエチレンテレフタラートは軟化点が約２６０℃であり、約２００℃のアイロン掛けにも充分耐えることができる。また、厚い板でなければミシンで縫うことができるので、最上部のボタン４を手縫い針やボタン付けミシンで縫付けることができる。大量生産を考えた場合には、ＰＥＴ板の最上部のボタン４を付ける位置に小さな穴を２つ以上開けておくと、手縫い針及びミシン針が通し易く、針が曲がり難く、針先が潰れ難く、針先が折れ難い。
【０２５１】
そして、ＰＥＴ板は適度な硬さを有しているので、噴き出し防止のための縦テープや横テープ等を用いなくとも、噴き出しが起こることはない。なお、ＰＥＴ板の表面に微小な凹凸を付しておけば、第２のボタンホール６の間からＰＥＴ板の表面が見えても光を反射しないので、見た目の違和感を与えることはない。また、ＰＥＴ板を布地で包んでおけば、ＰＥＴ板が薄くても折れ曲がり難くなり、表面に凹凸を付さなくても光を反射しないので、見た目の違和感を与えることはない。
【０２５２】
このようにして、本実施の形態１２にかかる首回り調節機能付シャツにおいては、移動布の代わりに耐熱性プラスティック板を用いることによって、特別の工夫をしなくても噴き出しを防止することができる。そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２５３】
なお、本実施の形態１２においては、耐熱性プラスティックとしてＰＥＴを用いた例を示したが、他にもポリ塩化ビニリデン（軟化点１８５℃〜２００℃）、またはポリ塩化ビニリデンとポリ塩化ビニル（ＰＶＣ）との共重合体等を用いることができる。
【０２５４】
さらに、耐熱性プラスティックには、広義には、もっと軟化温度の低い（約１００℃〜約１８０℃）プラスティック材料も含まれる。ポリエステル製のワイシャツ等では、アイロンをかける温度が約１６０℃〜約１８０℃と低く、しかも耐熱性プラスティックに直接アイロンを当てるわけではなく生地を挟んで間接的に加熱されるので、耐熱性プラスティックの温度はずっと低いものと考えられるからである。したがって、シャツの生地の種類や厚さによっては、ポリ塩化ビニル（ＰＶＣ）でも用いることができる。
【０２５５】
実施の形態１３
次に、本発明の実施の形態１３にかかる首回り調節機能付シャツについて、図２０を参照して説明する。図２０は本発明の実施の形態１３にかかる首回り調節機能付シャツの台襟内部の構造を示す図である。本実施の形態１３にかかる首回り調節機能付シャツにおいては、弾性材を台襟の下地に縫付ける縫い目が外から見えないようになっている。
【０２５６】
即ち、図２０に示されるように、最上部のボタン４を移動布３０に適度な長さの根巻きをとってしっかりと縫付け、移動布３０の右端にはストッパーとしての伸縮性のない布テープ３１が縫付けられ、移動布３０の左端には弾性材としてのゴムテープ３２が縫付けられている。なお、本実施の形態１３においてはボタン４を根巻きをとって縫付けたが、ボタン４を適度な長さの糸足で縫付けても良い。そして、ゴムテープ３２の左端を台襟下前３Ｂの下地３ｂの幅とほぼ同じ長さを有する芯材としてのバイリーン芯３３に強固に縫付け、バイリーン芯３３を接着剤で台襟下前３Ｂの下地３ｂに貼り付ける。
【０２５７】
そして、台襟下前３Ｂの下地３ｂを図示しない上地と縫い合わせ糸３４によって縫い合せれば、ストッパーとしての伸縮性のない布テープ３１の右端も、芯材としてのバイリーン芯３３の上下端もともに縫付けられて、最上部のボタン４の移動機構が完成する。ここで、弾性材としてのゴムテープ３２の左端はバイリーン芯３３に縫付けられているので、台襟の下地３ｂを縫い目が貫通することなくゴムテープ３２の縫い目が首回り調節機能付シャツの表面から一切見えないため、非常に見栄えが良くなる。
【０２５８】
さらに、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２５９】
実施の形態１４
次に、本発明の実施の形態１４にかかる首回り調節機能付シャツについて、図２１を参照して説明する。図２１（ａ）は本発明の実施の形態１４にかかる首回り調節機能付シャツの台襟内部の構造を示す図、（ｂ）は第１の変形例にかかる首回り調節機能付シャツの台襟内部の構造を示す図、（ｃ）は第２の変形例にかかる首回り調節機能付シャツの台襟内部の構造を示す図、（ｄ）は第３の変形例にかかる首回り調節機能付シャツの台襟内部の構造を示す図である。
【０２６０】
図２１（ａ）に示されるように、本実施の形態１４にかかる首回り調節機能付シャツの台襟下前３Ｂの上地３ａの先端部分には、全面に硬めの芯としてのソフト芯３５が接着剤によって接着されており、ソフト芯３５の中央部分には第２のボタンホール６が上地３ａをも貫通して設けられている。台襟下前３Ｂの下地３ｂには、図示しない最上部のボタン４の移動機構が設けられて、移動布等に最上部のボタン４が適度な長さの根巻きまたは糸足をとってしっかりと縫付けられ、第２のボタンホール６を通して外に出される。そして、台襟下前３Ｂの下地３ｂを上地３ａと縫い合わせ糸３４によって縫い合せることによって、ソフト芯３５もともに縫付けられるので繰返し洗濯してもソフト芯３５がとれることはなく、いつまでも型崩れしない。
【０２６１】
これによって、台襟下前３Ｂの先端部分の第２のボタンホール６側全体が硬めの芯としてのソフト芯３５で強化されるため、第２のボタンホール６は自由に変形することができず、より噴き出しが起こり難くなる。また、台襟下前３Ｂの先端部分に張りを持たせることによって移動布等との間の摩擦を増して、最上部のボタン４を第２のボタンホール６の好みの位置で留めることができ、さらに移動布等の移動範囲に皺がよったり曲がったりしないので、移動布等をスムーズに移動させることができる。但し、最上部のボタン４を第２のボタンホール６の好みの位置で留められるようになっても、その代わりに戻りが悪くなる場合があるので、移動布等の種類（移動布の裏側に硬めの芯を縫付けたもの、耐熱プラスティック板、レーザカットまたはヒートカットによりなる移動布、等）と弾性材の強さを選択して、最上部のボタン４を好みの位置で留められ、かつ戻りもスムーズになるように調節する必要がある。
【０２６２】
さらに、本実施の形態１４にかかる首回り調節機能付シャツを、第２のボタンホール６内の図示しない最上部のボタン４を、図示しない台襟上前の通常のボタンホール５に掛けることによって着用すると、図１（ｂ）に示されるように、台襟下前３Ｂ側がやや「く」の字形に曲がって丸みが付き、図２１（ａ）に示されるように、台襟下前３Ｂの上地３ａと下地３ｂを縫い合わせて形成される空間が狭くなって、移動布等との間の摩擦が増して襟元を拡げたとき最上部のボタン４を好みの位置で留めることができる。
【０２６３】
ここで、「レーザカットまたはヒートカットによりなる移動布」とは、布地または硬めの芯に布地を接着したものを移動布の形状にレーザカットまたはヒートカットで切り出してなるものである。これによって、移動布の周囲はレーザカットまたはヒートカットによる熱で固められるのでほつれることがなく、移動布を製作するのにミシンで縫う工程を省くことができ、移動布の厚みを薄くできるという利点が得られる。
【０２６４】
次に、本実施の形態１４の第１の変形例にかかる首回り調節機能付シャツについて、図２１（ｂ）を参照して説明する。図２１（ｂ）に示されるように、本実施の形態１４の第１の変形例においては、図２１（ａ）におけるソフト芯３５の代わりに硬めの芯としてハード芯３６を用いている点が異なるのみで、その他の構造については同様である。このように、硬めの芯の種類を変えることによっても、最上部のボタン４の戻りを調節することができる。
【０２６５】
また、第１の変形例にかかる首回り調節機能付シャツを、第２のボタンホール６内の図示しない最上部のボタン４を、図示しない台襟上前の通常のボタンホール５に掛けることによって着用すると、図１（ｂ）に示されるように、台襟下前３Ｂ側がやや「く」の字形に曲がって丸みが付き、図２１（ｂ）に示されるように、台襟下前３Ｂの上地３ａと下地３ｂを縫い合わせて形成される空間が狭くなって、移動布等との間の摩擦が増して襟元を拡げたとき最上部のボタン４を好みの位置で留めることができる。
【０２６６】
次に、本実施の形態１４の第２の変形例にかかる首回り調節機能付シャツについて、図２１（ｃ）を参照して説明する。図２１（ｃ）に示されるように、本実施の形態１４の第２の変形例においては、図２１（ａ）におけるソフト芯３５の代わりに硬めの芯としてバイリーン芯３７を用い、さらに第２のボタンホール６の周囲のみにハード芯３８を重ねて貼り付けたものである。ここで、「バイリーン芯」とはポリエステル、ナイロン等の不織布の芯で種々の厚さのものがあるが、本実施の形態１４の第２の変形例においては、薄手の軟らかめのものを用いて台襟３の先端部分の第２のボタンホール６側全体を硬めの芯としてのバイリーン芯３７で軟らかめに強化して、第２のボタンホール６の周囲のみはハード芯３８で硬めに強化することによって、最上部のボタン４の戻りを調節するとともに噴き出しを確実に防止することができる。
【０２６７】
また、第２の変形例にかかる首回り調節機能付シャツを、第２のボタンホール６内の図示しない最上部のボタン４を、図示しない台襟上前の通常のボタンホール５に掛けることによって着用すると、図１（ｂ）に示されるように、台襟下前３Ｂ側がやや「く」の字形に曲がって丸みが付き、図２１（ｃ）に示されるように、台襟下前３Ｂの上地３ａと下地３ｂを縫い合わせて形成される空間が狭くなって、移動布等との間の摩擦が増して襟元を拡げたとき最上部のボタン４を好みの位置で留めることができる。
【０２６８】
次に、本実施の形態１４の第３の変形例にかかる首回り調節機能付シャツについて、図２１（ｄ）を参照して説明する。図２１（ｄ）に示されるように、本実施の形態１４の第３の変形例においては、図２１（ａ）におけるソフト芯３５の上に第２のボタンホール６の周囲のみにハード芯３８を重ねて貼り付けたものである。これによって、台襟下前３Ｂの先端部分の第２のボタンホール６側全体をバイリーン芯３７よりは硬めにハード芯３６よりは軟らかめに強化して、第２のボタンホール６の周囲のみはハード芯３８で硬めに強化することによって、最上部のボタン４の戻りを調節するとともに噴き出しを確実に防止することができる。
【０２６９】
また、第３の変形例にかかる首回り調節機能付シャツを、第２のボタンホール６内の図示しない最上部のボタン４を、図示しない台襟上前の通常のボタンホール５に掛けることによって着用すると、図１（ｂ）に示されるように、台襟下前３Ｂ側がやや「く」の字形に曲がって丸みが付き、図２１（ｄ）に示されるように、台襟下前３Ｂの上地３ａと下地３ｂを縫い合わせて形成される空間が狭くなって、移動布等との間の摩擦が増して襟元を拡げたとき最上部のボタン４を好みの位置で留めることができる。
【０２７０】
そして、本実施の形態１４にかかる首回り調節機能付シャツにおいては、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０２７１】
実施の形態１５
次に、本発明の実施の形態１５にかかる首回り調節機能付シャツについて、図２２乃至図２４を参照して説明する。図２２（ａ），（ｂ），（ｃ）は本発明の実施の形態１５及び第１の変形例及び第２の変形例にかかる首回り調節機能付シャツの移動布の構造及び弾性体とストッパーの構造を示す図である。図２３（ａ），（ｂ），（ｃ），（ｄ）は本発明の実施の形態１５にかかる首回り調節機能付シャツの移動布における芯を布地で包（くる）む種々の方法を示す図である。図２４（ａ），（ｂ），（ｃ）は本発明の実施の形態１５の第３の変形例にかかる首回り調節機能付シャツの移動布において、弾性材の上に芯を置いて布地で包む手順を示す図である。
【０２７２】
図２２（ａ）に示されるように、本実施の形態１５にかかる首回り調節機能付シャツの移動布８０は、芯８０ａをシャツの布地と同じ共布の布地８０ｂによって包（くる）んで周囲を糸で縫付けたものである。ここで、芯８０ａとしては、例えば上述したようなバイリーン芯、インベル芯等を用いることができる。本実施の形態１５においては、この移動布８０の両端に弾性材としてのパワーネット８１をそれぞれ縫付けて、右側のパワーネット８１にストッパーとしての役割をさせている。
【０２７３】
このように芯８０ａをシャツと共布の布地８０ｂで包んで移動布８０を構成しているのは、上記実施の形態１４で説明したように台襟３の先端部分の第２のボタンホール６側に硬めの芯３５，３６を貼って強化すると、これらの硬めの芯３５，３６の表面には大きな凹凸があるため、最上部のボタンの移動に伴ってこれらの硬めの芯３５，３６の表面と擦れ合う移動布８０として芯８０ａを布地８０ｂで包んだものを用いると、小さい凹凸を有する布地８０ｂと、硬めの芯３５，３６の表面の大きな凹凸とが丁度良い摩擦力を生じて、第２のボタンホール６の適当な位置で移動布を止めたり、また動かしたりすることができるからである。
【０２７４】
図２２（ｂ）に示されるのは、本実施の形態１５にかかる首回り調節機能付シャツの移動布８０の取付け方の第１変形例であり、芯８０ａをシャツの布地と同じ共布の布地８０ｂによって包（くる）んで周囲を糸で縫付けた移動布８０の左端に弾性材としてのパワーネット８１を縫付け、右端にはストッパーとしての弾性のない布テープ８２を縫付けている。さらに、本実施の形態１５にかかる首回り調節機能付シャツの移動布の取付け方の第２変形例として、図２２（ｃ）に示されるように、移動布８３の左端には弾性材としてのパワーネット８１を縫付け、右端は芯８０ａを包むシャツの布地と同じ共布の布地８３ａをそのまま筒状に伸ばすことによって、ストッパーとしての役割をさせている。即ち、第２変形例においては、芯８０ａを包む布地とストッパーとが一体化している。
【０２７５】
次に、芯８０ａを布地８０ｂで包む包み方について、図２３を参照して説明する。図２３（ａ）に示されるように、布地８０ｂを中心で縫い割ることによって芯８０ａを包む方法を始めとして、図２３（ｂ）に示されるように、布地８０ｂを中心で裁ち切って重ね縫いする方法、図２３（ｃ）に示されるように、２枚の布地８０ｂを重ねて上下を縫付けたものを裏返して中に芯８０ａを入れる方法、図２３（ｄ）に示されるように、合わせ目を片側に寄せて片方のみ縫う方法、等種々の方法がある。いずれの方法によるにしても、シャツの布地と同じ共布の布地８０ｂまたはその他の布地で芯８０ａを包むことによって、移動布８０，８３の表面を滑らかにすることができる。
【０２７６】
次に、本実施の形態１５にかかる首回り調節機能付シャツの移動布の第３変形例について、図２４を参照して説明する。この第３変形例においては、図２４（ｃ）に示されるように、弾性材としてのパワーネット８１の上に芯８０ａを載せてその上から共布の布地８０ｂで包むことによって、移動布８０Ａ部分を構成するものである。まず、図２４（ａ）に示されるように、１本のパワーネット８１の上に芯８０ａを載せ、一方図２４（ｂ）に示されるように、布地８０ｂの両端の縫代を折り畳んでおく。そして、図２４（ｃ）に示されるように、布地８０ｂを芯８０ａの上から巻き付けて下で折り曲げ、芯８０ａの周囲をステッチする。
【０２７７】
このようにして、本実施の形態１５にかかる移動布８０，８０Ａ，８３によれば、適度な摩擦力が得られて、ワイシャツを始めとするシャツの首回りを目立つ動作をすることなく好みの長さに調節することができ、また噴き出しが起こり難く、快適に長時間着用できる首回り調節機能付シャツとなる。
【０２７８】
実施の形態１６
次に、本発明の実施の形態１６にかかる首回り調節機能付シャツについて、図２５を参照して説明する。図２５（ａ）は本発明の実施の形態１６にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【０２７９】
本実施の形態１６においては、移動布として芯のみを用いて、この芯に最上部のボタン４を適当な長さの糸足または根巻きを持たせて縫付けて第２のボタンホール６から出して移動させる。この際に、噴き出しが起こらないように台襟下前の上地３ａの内側に硬めの芯３５（ソフト芯）または３６（ハード芯）を貼るが、そのままでは表面に大きな凹凸を有する移動布としての芯と硬めの芯３５，３６とが擦れ合うことになって摩擦が大きくなってしまう。そこで、逆転の発想として移動布側に布地を取付けるのではなく、台襟下前の上地３ａの内側に硬めの芯の上から布地を取付けることによって、上記実施の形態１４と同様の適度な摩擦が得られるようにしている。
【０２８０】
即ち、図２５（ａ）に示されるように、台襟３の下前の上地３ａ内側に上地３ａの先端全体を覆うように大きめの硬めの芯としてのソフト芯３５またはハード芯３６を縫付けて、さらに第２のボタンホール６が形成される部分に第２のボタンホール６の長さ程度に切った小さめの硬めの芯としてのソフト芯３５またはハード芯３６を縫付け、さらにその上から大きめの硬めの芯３５（３６）全体を覆う大きさの共布（シャツ布地）の布地８５を縫付けている。そして、第２のボタンホール６の貫通孔を開けて布地８５も含めて穴かがりして第２のボタンホール６を形成し、図示しない移動布としての芯に縫付けた図示しない最上部のボタンを第２のボタンホール６から外に出す。
【０２８１】
これによって、第２のボタンホール６を形成することによって穴かがりで布地８５の中央部分も固定される。そして、最上部のボタンが移動布としての芯と一体に第２のボタンホール６内を移動する際に、大きい凹凸を有する芯と布地８５とが擦れ合うので、適度な摩擦を得ることができる。さらに、台襟下前３Ｂの下地３ｂを上地３ａと縫い合わせ糸３４によって縫い合せることによって、ソフト芯３５またはハード芯３６及び布地８５もともに縫付けられるので繰返し洗濯してもソフト芯３５またはハード芯３６及び布地８５がとれることはなく、いつまでも型崩れしない。
【０２８２】
図２５（ｂ）に示される第１の変形例としては、大きめの硬めの芯としてのソフト芯３５またはハード芯３６を縫付けた上から、第２のボタンホール６の長さ程度に切った小さめの硬めの芯としてのソフト芯３５またはハード芯３６を共布の布地８６で包んでから縫付けている。その後、第２のボタンホール６を形成している。
【０２８３】
図２５（ｃ）に示される第２の変形例としては、大きめの硬めの芯としてのソフト芯３５またはハード芯３６を縫付けた上から、第２のボタンホール６の長さ程度に切った小さめの硬めの芯としてのソフト芯３５またはハード芯３６を縫付け、さらにその上から小さめの硬めの芯３５（３６）の大きさに切った共布の布地８６を全周で縫付けて、その上から第２のボタンホール６を形成することによって穴かがりで布地８６の中央部分も固定している。
【０２８４】
図２５（ｄ）に示される第３の変形例としては、大きめの硬めの芯としてのソフト芯３５またはハード芯３６を縫付けた上から、第２のボタンホール６の長さ程度に切った小さめの硬めの芯としてのソフト芯３５またはハード芯３６を縫付け、さらにその上から台襟上地３ａの上から下までに亘る長さの共布の布地８７を縫付けて、布地８７の左右の縁はロック始末している。その後、第２のボタンホール６を形成している。
【０２８５】
図２５（ｅ）に示される第４の変形例としては、大きめの硬めの芯としてのソフト芯３５またはハード芯３６を縫付けた上から、第２のボタンホール６の長さ程度に切った小さめの硬めの芯としてのソフト芯３５またはハード芯３６を縫付け、さらにその上から共布の布地８８を貼り付けて、小さめの硬めの芯の形状に沿ってヒートカットしている。その後、第２のボタンホール６を形成している。
【０２８６】
図２５（ｆ）に示される第５の変形例としては、大きめの硬めの芯としてのソフト芯３５またはハード芯３６を縫付けた上から、第２のボタンホール６の長さ程度に切った小さめの硬めの芯としてのソフト芯３５またはハード芯３６を縫付け、さらにその上から共布の布地８９を接着剤または両面テープで接着している。その上から第２のボタンホール６を形成することによって穴かがりで布地８９の中央部分も固定している。
【０２８７】
このように、本実施の形態１６及びその第１〜第５変形例においては、いずれも大きめの硬めの芯としてのソフト芯３５またはハード芯３６を縫付けた上から、第２のボタンホール６の長さ程度に切った小さめの硬めの芯としてのソフト芯３５またはハード芯３６を縫付けているが、シャツの素材その他によっては大きめの硬めの芯３５（３６）のみを縫付けて、小さめの硬めの芯は縫付けずに直接共布の布地８５，８６，８７，８８，８９を取付けても良い。また、布地８５，８６，８７，８８，８９としては、シャツと共布の布地を使用した場合について説明したが、その他の布地を用いることもできる。
【０２８８】
実施の形態１７
次に、本発明の実施の形態１７にかかる首回り調節機能付シャツについて、図２６を参照して説明する。図２６（ａ）は本発明の実施の形態１７にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【０２８９】
図２６に示されるように、本実施の形態１７にかかる首回り調節機能付シャツにおいては、台襟下前３Ｂの突出部３Ｃが角張った形状をしている。その他の部分については、上記実施の形態１６と同様の構成をとったものである。
【０２９０】
即ち、本実施の形態１７においても、移動布として芯のみを用いて、この芯に最上部のボタン４を適当な長さの糸足または根巻きを持たせて縫付けて第２のボタンホール６から出して移動させる。この際に、噴き出しが起こらないように台襟下前の上地３ａの内側に硬めの芯３５Ａ（ソフト芯）または３６Ａ（ハード芯）を貼るが、そのままでは表面に大きな凹凸を有する移動布としての芯と硬めの芯３５Ａ，３６Ａとが擦れ合うことになって摩擦が大きくなってしまう。そこで、逆転の発想として移動布側に布地を取付けるのではなく、台襟下前の上地３ａの内側に硬めの芯の上から布地を取付けることによって、上記実施の形態１５，１６と同様の適度な摩擦が得られるようにしている。
【０２９１】
即ち、図２６（ａ）に示されるように、台襟３の下前の上地３ａ内側に上地３ａの先端全体を覆うように大きめの硬めの芯としてのソフト芯３５Ａまたはハード芯３６Ａを縫付けて、さらに第２のボタンホール６が形成される部分に第２のボタンホール６の長さ程度に切った小さめの硬めの芯としてのソフト芯３５またはハード芯３６を縫付け、さらにその上から大きめの硬めの芯３５Ａ（３６Ａ）全体を覆う大きさの共布（シャツ布地）の布地８５Ａを縫付けている。そして、第２のボタンホール６の貫通孔を開けて布地８５Ａも含めて穴かがりして第２のボタンホール６を形成し、図示しない移動布としての芯に縫付けた図示しない最上部のボタンを第２のボタンホール６から外に出す。
【０２９２】
これによって、第２のボタンホール６を形成することによって穴かがりで布地８５Ａの中央部分も固定される。そして、最上部のボタンが移動布としての芯と一体に第２のボタンホール６内を移動する際に、大きい凹凸を有する芯と布地８５Ａとが擦れ合うので、適度な摩擦を得ることができる。さらに、台襟下前３Ｂの下地３ｂを上地３ａと縫い合わせ糸３４によって縫い合せることによって、ソフト芯３５Ａまたはハード芯３６Ａ及び布地８５Ａもともに縫付けられるので繰返し洗濯してもソフト芯３５Ａまたはハード芯３６Ａ及び布地８５Ａがとれることはなく、いつまでも型崩れしない。
【０２９３】
図２６（ｂ）に示される第１の変形例としては、大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を共布の布地８６Ａで包んでから縫付けている。その後、第２のボタンホール６を形成している。
【０２９４】
図２６（ｃ）に示される第２の変形例としては、大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を縫付け、さらにその上から小さめの硬めの芯３５（３６）の大きさに切った共布の布地８６Ａを全周で縫付けて、その上から第２のボタンホール６を形成することによって穴かがりで布地８６Ａの中央部分も固定している。
【０２９５】
図２６（ｄ）に示される第３の変形例としては、大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を縫付け、さらにその上から台襟上地３ａの上から下までに亘る長さの共布の布地８７Ａを縫付けて、布地８７Ａの左右の縁はロック始末している。その後、第２のボタンホール６を形成している。
【０２９６】
図２６（ｅ）に示される第４の変形例としては、大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を縫付け、さらにその上から共布の布地８８Ａを貼り付けて、小さめの硬めの芯の形状に沿ってヒートカットしている。その後、第２のボタンホール６を形成している。
【０２９７】
図２６（ｆ）に示される第５の変形例としては、大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を縫付け、さらにその上から共布の布地８９Ａを接着剤または両面テープで接着している。その上から第２のボタンホール６を形成することによって穴かがりで布地８９Ａの中央部分も固定している。
【０２９８】
このように、本実施の形態１７及びその第１〜第５変形例においては、いずれも大きめの硬めの芯としてのソフト芯３５Ａまたはハード芯３６Ａを縫付けた上から、第２のボタンホール６の長さ程度に切った小さめの硬めの芯としてのソフト芯３５またはハード芯３６を縫付けているが、シャツの素材その他によっては大きめの硬めの芯３５Ａ（３６Ａ）のみを縫付けて、小さめの硬めの芯は縫付けずに直接共布の布地８５Ａ，８６Ａ，８７Ａ，８８Ａ，８９Ａを取付けても良い。また、布地８５Ａ，８６Ａ，８７Ａ，８８Ａ，８９Ａとしては、シャツと共布の布地を使用した場合について説明したが、その他の布地を用いることもできる。
【０２９９】
実施の形態１８
次に、本発明の実施の形態１８にかかる首回り調節機能付シャツについて、図２７を参照して説明する。図２７（ａ）は本発明の実施の形態１８にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【０３００】
図２７に示されるように、本実施の形態１８にかかる首回り調節機能付シャツにおいては、台襟下前３Ｂの突出部３Ｃの先端が三角形をしている。その他の部分については、上記実施の形態１６，１７と同様の構成をとったものである。
【０３０１】
即ち、本実施の形態１８においても、移動布として芯のみを用いて、この芯に最上部のボタン４を適当な長さの糸足または根巻きを持たせて縫付けて第２のボタンホール６から出して移動させる。この際に、噴き出しが起こらないように台襟下前の上地３ａの内側に硬めの芯３５Ｂ（ソフト芯）または３６Ｂ（ハード芯）を貼るが、そのままでは表面に大きな凹凸を有する移動布としての芯と硬めの芯３５Ｂ，３６Ｂとが擦れ合うことになって摩擦が大きくなってしまう。そこで、逆転の発想として移動布側に布地を取付けるのではなく、台襟下前の上地３ａの内側に硬めの芯の上から布地を取付けることによって、上記実施の形態１５，１６，１７と同様の適度な摩擦が得られるようにしている。
【０３０２】
即ち、図２７（ａ）に示されるように、台襟３の下前の上地３ａ内側に上地３ａの先端全体を覆うように大きめの硬めの芯としてのソフト芯３５Ｂまたはハード芯３６Ｂを縫付けて、さらに第２のボタンホール６が形成される部分に第２のボタンホール６の長さ程度に切った小さめの硬めの芯としてのソフト芯３５またはハード芯３６を縫付け、さらにその上から大きめの硬めの芯３５Ｂ（３６Ｂ）全体を覆う大きさの共布（シャツ布地）の布地８５Ｂを縫付けている。そして、第２のボタンホール６の貫通孔を開けて布地８５Ｂも含めて穴かがりして第２のボタンホール６を形成し、図示しない移動布としての芯に縫付けた図示しない最上部のボタンを第２のボタンホール６から外に出す。
【０３０３】
これによって、第２のボタンホール６を形成することによって穴かがりで布地８５Ｂの中央部分も固定される。そして、最上部のボタンが移動布としての芯と一体に第２のボタンホール６内を移動する際に、大きい凹凸を有する芯と布地８５Ｂとが擦れ合うので、適度な摩擦を得ることができる。さらに、台襟下前３Ｂの下地３ｂを上地３ａと縫い合わせ糸３４によって縫い合せることによって、ソフト芯３５Ｂまたはハード芯３６Ｂ及び布地８５Ｂもともに縫付けられるので繰返し洗濯してもソフト芯３５Ｂまたはハード芯３６Ｂ及び布地８５Ｂがとれることはなく、いつまでも型崩れしない。
【０３０４】
図２７（ｂ）に示される第１の変形例としては、大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を共布の布地８６Ｂで包んでから縫付けている。その後、第２のボタンホール６を形成している。
【０３０５】
図２７（ｃ）に示される第２の変形例としては、大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を縫付け、さらにその上から小さめの硬めの芯３５（３６）の大きさに切った共布の布地８６Ｂを全周で縫付けて、その上から第２のボタンホール６を形成することによって穴かがりで布地８６Ｂの中央部分も固定している。
【０３０６】
図２７（ｄ）に示される第３の変形例としては、大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を縫付け、さらにその上から台襟上地３ａの上から下までに亘る長さの共布の布地８７Ｂを縫付けて、布地８７Ｂの左右の縁はロック始末している。その後、第２のボタンホール６を形成している。
【０３０７】
図２７（ｅ）に示される第４の変形例としては、大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を縫付け、さらにその上から共布の布地８８Ｂを貼り付けて、小さめの硬めの芯の形状に沿ってヒートカットしている。その後、第２のボタンホール６を形成している。
【０３０８】
図２７（ｆ）に示される第５の変形例としては、大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を縫付け、さらにその上から共布の布地８９Ｂを接着剤または両面テープで接着している。その上から第２のボタンホール６を形成することによって穴かがりで布地８９Ｂの中央部分も固定している。
【０３０９】
このように、本実施の形態１８及びその第１〜第５変形例においては、いずれも大きめの硬めの芯としてのソフト芯３５Ｂまたはハード芯３６Ｂを縫付けた上から、第２のボタンホール６の長さ程度に切った小さめの硬めの芯としてのソフト芯３５またはハード芯３６を縫付けているが、シャツの素材その他によっては大きめの硬めの芯３５Ｂ（３６Ｂ）のみを縫付けて、小さめの硬めの芯は縫付けずに直接共布の布地８５Ｂ，８６Ｂ，８７Ｂ，８８Ｂ，８９Ｂを取付けても良い。また、布地８５Ｂ，８６Ｂ，８７Ｂ，８８Ｂ，８９Ｂとしては、シャツと共布の布地を使用した場合について説明したが、その他の布地を用いることもできる。
【０３１０】
実施の形態１９
次に、本発明の実施の形態１９にかかる首回り調節機能付シャツについて、図２８を参照して説明する。図２８（ａ）は本発明の実施の形態１９にかかる首回り調節機能付シャツの移動布代わりの耐熱性プラスティック板を示す平面図、（ｂ）は耐熱性プラスティック板にストッパーを付けたところを示す平面図、（ｃ）はさらに弾性材を付けたところを示す平面図である。
【０３１１】
先に、実施の形態１２で説明したように、移動布の代わりに耐熱性プラスティック板を用いることによって様々な利点が得られるが、最上部のボタンがとれた場合には一般消費者では付け直すことが困難である。そこで、図２８（ａ）に示されるように、耐熱性プラスティック（ＰＥＴ）板４０に布テープ４１を縫付けることによって、最上部のボタン４がとれた場合に一般消費者でも容易に付け直すことができる。ここで、移動布の代わりの耐熱性プラスティック板４０に布テープ４１を両端だけ縫付けて中央は耐熱性プラスティック板４０から浮かせて、布テープ４１だけに最上部のボタン４を縫付けても良いが、本実施の形態１９においては耐熱性プラスティック板４０に布テープ４１の周囲を縫い糸４２で縫付けて耐熱性プラスティック板に密着させて、布テープ４１と耐熱性プラスティック板４０を貫通させて最上部のボタン４を縫付けている。
【０３１２】
前者の場合は最上部のボタン４がとれた場合に消費者が布テープ４１だけに最上部のボタン４を縫付け直すのが容易であるが、布テープ４１の中間部が浮いている分だけ噴き出しが起こる可能性がある。一方、本実施の形態１９の場合は布テープ４１が耐熱性プラスティック板４０に密着しているために消費者が布テープ４１だけに最上部のボタン４を縫付け直すのが難しそうに思えるが、耐熱性プラスティック板４１で針先が滑るので、案外容易に布テープ４１だけに最上部のボタン４を縫付け直すことができる。
【０３１３】
また、図２８（ｂ）に示されるように、長めの布テープ４１Ａを耐熱性プラスティック板４０の右端からはみ出すように縫付けることによって、はみ出し部分４１ａがストッパーの役目をするので、部品点数が減って工程短縮、コスト低減に繋げることもできる。
【０３１４】
さらに、図２８（ｃ）に示されるように、耐熱性プラスティック板４０の左端に弾性材としての網ゴムテープ４３を縫い付けることによって、最上部のボタン４を図示しない第２のボタンホール６の中で移動させる構造が完成する。本実施の形態１９においては、最上部のボタン４を任意の位置まで移動させて留められるように、弾性材として引っ張り力の余り強くない網ゴムテープ４３を使用している。
【０３１５】
このようにして、ワイシャツを始めとするシャツの首回りを目立つ動作をすることなく好みの長さに調節することができ、また最上部のボタンがとれた場合にも容易に付け直すことができ、同時にストッパーを取付けることもでき、快適に長時間着用できる首回り調節機能付シャツとなる。
【０３１６】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３１７】
実施の形態２０
次に、本発明の実施の形態２０にかかる首回り調節機能付シャツについて、図２９を参照して説明する。図２９（ａ）は本発明の実施の形態２０にかかる首回り調節機能付シャツの移動布を長い弾性材に取付けたところを示す平面図、（ｂ）は移動布代わりの耐熱性プラスティック板を長い弾性材に取付けたところを示す平面図である。
【０３１８】
図２９（ａ）に示されるように、本実施の形態２０においては、移動布４５の両端が長い弾性材としての網ゴムテープ４４の上に縫い糸４６で縫付けられ、その上から最上部のボタン４が移動布４５及び網ゴムテープ４４を貫通して縫付けられている。これによって、長い弾性材としての網ゴムテープ４４の右側がストッパーと同様の働きをするため、縫製が簡単でストッパーを縫付けたのと同様の作用効果が得られる。
【０３１９】
同様に、図２９（ｂ）に示されるように、本実施の形態２０の変形例においては、上記実施の形態１９と同様の耐熱性プラスティック（ＰＥＴ）板４０に布テープ４１を縫付けたものの両端が長い弾性材としての網ゴムテープ４４の上に縫い糸４６で縫付けられ、その上から最上部のボタン４が布テープ４１、耐熱性プラスティック板４０及び網ゴムテープ４４を貫通して縫付けられている。これによって、長い弾性材としての網ゴムテープ４４の右側がストッパーと同様の働きをするため、縫製が簡単でストッパーを縫付けたのと同様の作用効果が得られる。
【０３２０】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３２１】
実施の形態２１
次に、本発明の実施の形態２１にかかる首回り調節機能付シャツについて、図３０を参照して説明する。
【０３２２】
図３０（ａ）は本発明の実施の形態２１にかかる首回り調節機能付シャツの外襟を開いて台襟の通常のボタンホールと第２のボタンホールの位置関係を示す図、（ｂ）は最も首回りを短くした状態を示す図、（ｃ）は首回りを少し長くして外襟がぴったり合った状態を示す図、（ｄ）は首回りをより長くして外襟が少し開いた状態を示す図、（ｅ）は首回りをさらに長くして外襟がさらに開いた状態を示す図、（ｆ）は本発明の実施の形態２１の第１の変形例にかかる首回り調節機能付シャツの外襟を開いて台襟の通常のボタンホールと第２のボタンホールの位置関係を示す図、（ｇ）は本発明の実施の形態２１の第２の変形例にかかる首回り調節機能付シャツの外襟を開いて台襟の通常のボタンホールと第２のボタンホールの位置関係を示す図である。
【０３２３】
図３０（ａ）に示されるように、本実施の形態２１にかかる首回り調節機能付シャツ１Ｘは台襟３の端が実線で示されるように丸くなっているが、想像線で示されるように角張っている場合でも、以下に述べる作用効果は全く同じである。首回り調節機能付シャツ１Ｘが店頭で販売される場合、首回りと袖丈が「３９（ｃｍ）−７８（ｃｍ）」のように１ｃｍ刻みで表示され、消費者はこれらの数字を目安にして自分に合った寸法のものを購入するが、首回りは図３０（ａ），（ｆ），（ｇ）に示されるように、台襟３の上前３Ａに設けられた通常のボタンホール５の中間点βから台襟３の下前３Ｂに設けられた第２のボタンホール６の内端δまでの長さで表される。
【０３２４】
ここで、第２のボタンホール６は図３０（ａ）においては水平に設けられているように図示されているが、実際には内端δ側が約２ｍｍ下がって右上がりになっている。これによって、外端ε側へ移動した図示しない最上部のボタンが戻り易くなる。これに対して、第２のボタンホール６を水平に設けると、最上部のボタンが戻り難くなってしまう。
【０３２５】
本実施の形態２１にかかる首回り調節機能付シャツ１Ｘは首回りが４１ｃｍであり、図示しない最上部のボタンを掛けて首の周囲の寸法が最も小さくなるのは、図３０（ｂ）に示されるように、最上部のボタンを第２のボタンホール６の内端δに位置させて、最上部のボタンを通常のボタンホール５の内端γに掛けた場合であり、首の周囲の寸法は４０．４ｃｍとなる。外襟２がぴったり合わさるのは、図３０（ｃ）に示されるように、最上部のボタンを第２のボタンホール６の内端δに位置させて通常のボタンホール５の中間点βに掛けた場合で、首の周囲の寸法は４１ｃｍの首回り寸法となる。
【０３２６】
さらに、図３０（ｄ）に示されるように、最上部のボタンを第２のボタンホール６の内端δに位置させて通常のボタンホール５の外端αに掛けた場合には、外襟２が少し開いて首の周囲の寸法は４１．６ｃｍとなる。そして、本実施の形態２１にかかる首回り調節機能付シャツ１Ｘの首の周囲の寸法が最も大きくなるのは、図３０（ｅ）に示されるように、最上部のボタンを第２のボタンホール６の外端εに移動させて通常のボタンホール５の外端αに掛けた場合であり、首の周囲の寸法は４２．８ｃｍとなる。
【０３２７】
このように、本実施の形態２１の首回り調節機能付シャツ１Ｘにおいては、首の周囲の寸法が最小４０．４ｃｍから最大４２．８ｃｍまで２．４ｃｍの範囲で変化するので、寒いときは締め、暑いときは広げることができ、周囲の温度変化に素早く対応することができる。また、外襟２の間を大きく広げた図３０（ｅ）のラフな状態から、外襟２をぴったり合わせた図３０（ｃ）のフォーマルな状態に素早く切り替えることができる。
【０３２８】
次に、本実施の形態２１の第１の変形例にかかる首回り調節機能付シャツについて、図３０（ｆ）を参照して説明する。図３０（ｆ）に示されるように、第１の変形例にかかる首回り調節機能付シャツ１Ｙは外襟２の付け根からの台襟上前３Ａ側の突出長さが２．５ｃｍであり、０．５ｃｍ増えている。その分、通常のボタンホール５の位置も外側へずれており、また第２のボタンホール６の長さも１．５ｃｍと長くなっている。この第１の変形例にかかる首回り調節機能付シャツ１Ｙにおいては、図示しない最上部のボタンを掛けて首の周囲の寸法が最も小さくなるのは、最上部のボタンを第２のボタンホール６の内端δに位置させて、最上部のボタンを通常のボタンホール５の内端γに掛けた場合であり、首の周囲の寸法は４０．４ｃｍとなる。
【０３２９】
また、最上部のボタンを第２のボタンホール６の内端δに位置させて通常のボタンホール５の中間点βに掛けた場合には、首の周囲の寸法は４１ｃｍの首回り寸法となるが、外襟２の間が少し開いた状態となる。そして、第１の変形例にかかる首回り調節機能付シャツ１Ｙの首の周囲の寸法が最も大きくなるのは、最上部のボタンを第２のボタンホール６の外端εに移動させて通常のボタンホール５の外端αに掛けた場合であり、首の周囲の寸法は４３．１ｃｍとなる。このように、第１の変形例の首回り調節機能付シャツ１Ｙにおいては、首の周囲の寸法が最小４０．４ｃｍから最大４３．１ｃｍまで２．７ｃｍの範囲で変化する。
【０３３０】
ここで、第２のボタンホール６は図３０（ｆ）においても水平に設けられているように図示されているが、実際にはやはり内端δ側が約２ｍｍ下がって右上がりになっている。これによって、外端ε側へ移動した図示しない最上部のボタンが戻り易くなる。
【０３３１】
次に、本実施の形態２１の第２の変形例にかかる首回り調節機能付シャツについて、図３０（ｇ）を参照して説明する。図３０（ｇ）に示されるように、第２の変形例にかかる首回り調節機能付シャツ１Ｚは外襟２の付け根からの台襟上前３Ａ側への突出長さが３．０ｃｍであり、さらに０．５ｃｍ増えている。その分、通常のボタンホール５の位置もさらに外側へずれており、また第２のボタンホール６の長さも１．８ｃｍと長くなっている。この第２の変形例にかかる首回り調節機能付シャツ１Ｚにおいては、図示しない最上部のボタンを掛けて首の周囲の寸法が最も小さくなるのは、最上部のボタンを第２のボタンホール６の内端δに位置させて、最上部のボタンを通常のボタンホール５の内端γに掛けた場合であり、首の周囲の寸法は４０．４ｃｍとなる。
【０３３２】
また、最上部のボタンを第２のボタンホール６の内端δに位置させて通常のボタンホール５の中間点βに掛けた場合には、首の周囲の寸法は４１ｃｍの首回り寸法となるが、外襟２の間が少し開いた状態となる。そして、第２の変形例にかかる首回り調節機能付シャツ１Ｚの首の周囲の寸法が最も大きくなるのは、最上部のボタンを第２のボタンホール６の外端εに移動させて通常のボタンホール５の外端αに掛けた場合であり、首の周囲の寸法は４３．４ｃｍとなる。このように、第２の変形例の首回り調節機能付シャツ１Ｚにおいては、首の周囲の寸法が最小４０．４ｃｍから最大４３．４ｃｍまで３．０ｃｍの範囲で変化する。
【０３３３】
ここで、第２のボタンホール６は図３０（ｇ）においても水平に設けられているように図示されているが、実際にはやはり内端δ側が約２ｍｍ下がって右上がりになっている。これによって、外端ε側へ移動した図示しない最上部のボタンが戻り易くなる。
【０３３４】
このようにして、本実施の形態２１の首回り調節機能付シャツ１Ｘ，１Ｙ，１Ｚにおいては、首の周囲の寸法が２．４ｃｍ〜３．０ｃｍの範囲で変化するので、寒いときは締め、暑いときは広げることができ、周囲の温度変化に素早く対応することができる。また、外襟２の間を大きく広げたラフな状態から、外襟２をぴったり合わせたフォーマルな状態に素早く切り替えることができる。
【０３３５】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３３６】
実施の形態２２
次に、本発明の実施の形態２２にかかる首回り調節機能付シャツについて、図３１及び図３２を参照して説明する。図３１（ａ）は本発明の実施の形態２２にかかる首回り調節機能付シャツの外襟を開いて台襟の通常のボタンホールと第２のボタンホールの位置関係を示す図、（ｂ）は最も首回りを短くして外襟がぴったり合った状態を示す図、（ｃ）は首回りを少し長くして外襟が少し開いた状態を示す図、（ｄ）は首回りをより長くして外襟がさらに開いた状態を示す図、（ｅ）は首回りをさらに長くして外襟が大きく開いた状態を示す図、（ｆ）は本発明の実施の形態２２の第１の変形例にかかる首回り調節機能付シャツの外襟を開いて台襟の通常のボタンホールと第２のボタンホールの位置関係を示す図である。
【０３３７】
図３２（ａ）は本発明の実施の形態２２の第２の変形例にかかる首回り調節機能付シャツの外襟を開いて台襟の通常のボタンホールと第２のボタンホールの位置関係を示す図、（ｂ）は最も首回りを短くした状態を示す図、（ｃ）は首回りを少し長くして外襟がぴったり合った状態を示す図、（ｄ）は首回りをより長くして外襟が少し開いた状態を示す図、（ｅ）は首回りをさらに長くして外襟がさらに開いた状態を示す図、（ｆ）は首回りをさらに長くして外襟が大きく開いた状態を示す図、（ｇ）は本発明の実施の形態２２の第３の変形例にかかる首回り調節機能付シャツの外襟を開いて台襟の通常のボタンホールと第２のボタンホールの位置関係を示す図である。
【０３３８】
ここで、図３１（ａ），（ｆ），図３２（ａ），（ｇ）においても、第２のボタンホール６は水平に設けられているように図示されているが、実際にはやはり内端δ側或いは内端ε側が約２ｍｍ下がって右上がりになっている。これによって、外端ε側或いは外端ζ側へ移動した図示しない最上部のボタンが内端側へ戻り易くなる。
【０３３９】
図３１（ａ）に示されるように、本実施の形態２２にかかる首回り調節機能付シャツ５１Ａは首回りが４１．５ｃｍであり、図示しない最上部のボタンを掛けて首の周囲の寸法が最も小さくなるのは、図３１（ｂ）に示されるように、最上部のボタンを第２のボタンホール６の内端δに位置させて、最上部のボタンを通常のボタンホール５の内端γに掛けた場合であり、首の周囲の寸法は４０．９ｃｍとなって外襟２がぴったり合わさった状態となる。したがって、首回りが４１ｃｍの人でも着用することができ、店頭で販売するときには「首回り４１ｃｍ」のシャツとして販売しても良い。
【０３４０】
図３１（ｃ）に示されるように、最上部のボタンを第２のボタンホール６の内端δに位置させて、最上部のボタンを通常のボタンホール５の中間位置βにかけた場合には、首の周囲の寸法は４１．５ｃｍ（首回り寸法）となって、外襟２の間が少し開いた状態となる。また、図３１（ｄ）に示されるように、最上部のボタンを第２のボタンホール６の内端δに位置させて、最上部のボタンを通常のボタンホール５の外端αにかけた場合には、首の周囲の寸法は４２．１ｃｍとなって、外襟２の間がより開いた状態となる。さらに、図３１（ｅ）に示されるように、最上部のボタンを第２のボタンホール６の外端εに移動させて、最上部のボタンを通常のボタンホール５の外端αにかけた場合には、首の周囲の寸法は最大の４３．３ｃｍとなって外襟２の間が大きく開いた状態となる。
【０３４１】
このように、本実施の形態２２の首回り調節機能付シャツ５１Ａにおいては、首の周囲の寸法が最小４０．９ｃｍから最大４３．３ｃｍまで２．４ｃｍの範囲で変化するので、寒いときは締め、暑いときは広げることができ、周囲の温度変化に素早く対応することができる。また、外襟２の間を大きく広げた図３１（ｅ）のラフな状態から、外襟２をぴったり合わせた図３１（ｂ）のフォーマルな状態に素早く切り替えることができる。さらに、通常に着用したとき（図３１（ｃ）の状態）襟元が０．５ｃｍ開いているので、ワイシャツ等ではネクタイがし易く適度なフィット感を作り易い。
【０３４２】
また、上記実施の形態２１の首回り調節機能付シャツ１Ｘにおいては、外襟２の最大開き幅が１．８ｃｍであったのに対して、本実施の形態２２の首回り調節機能付シャツ５１Ａにおいては、第２のボタンホール６を外側へ０．５ｃｍずらしたため、上前のボタンホール５の長さも第２のボタンホール６の長さも１．２ｃｍと同一でありながら、外襟２の最大開き幅が２．３ｃｍと大きくなっている。第２のボタンホール６の長さを長くすれば最大開き幅を大きくすることはできるが、第２のボタンホール６を余り長くすると見た目が悪くなり、第２のボタンホール６が開き易くなって噴き出しも起こり易くなる。これに対して、第２のボタンホール６を外側へずらすことによって最大開き幅を大きくすれば、第２のボタンホール６の長さは短いままで済み、見た目も良く噴き出しも起こらない。
【０３４３】
次に、本実施の形態２２の第１の変形例にかかる首回り調節機能付シャツについて、図３１（ｆ）を参照して説明する。図３１（ｆ）に示されるように、第１の変形例にかかる首回り調節機能付シャツ５１Ｂは、首回り調節機能付シャツ５１Ａと同様に第２のボタンホール６を外側へ０．５ｃｍずらし、さらに第２のボタンホール６の長さを１．５ｃｍと少し長くしている。第１の変形例にかかる首回り調節機能付シャツ５１Ｂも首回りが４１．５ｃｍであり、図示しない最上部のボタンを掛けて首の周囲の寸法が最も小さくなるのは、最上部のボタンを第２のボタンホール６の内端δに位置させて、最上部のボタンを通常のボタンホール５の内端γに掛けた場合であり、首の周囲の寸法は４０．９ｃｍとなって外襟２がぴったり合わさった状態となる。
【０３４４】
最上部のボタンを第２のボタンホール６の内端δに位置させて、最上部のボタンを通常のボタンホール５の中間位置βにかけた場合には、首の周囲の寸法は４１．５ｃｍ（首回り寸法）となって、外襟２の間が少し開いた状態となる。さらに、最上部のボタンを第２のボタンホール６の外端εに移動させて、最上部のボタンを通常のボタンホール５の外端αにかけた場合には、首の周囲の寸法は最大の４３．６ｃｍとなって外襟２の間が２．６ｃｍと大きく開いた状態となる。
【０３４５】
次に、本実施の形態２２の第２の変形例にかかる首回り調節機能付シャツについて、図３２（ａ）〜（ｆ）を参照して説明する。図３２（ａ）に示されるように、第２の変形例にかかる首回り調節機能付シャツ５１Ｃは、首回り調節機能付シャツ５１Ａと同様に第２のボタンホール６を外側へ０．５ｃｍずらし、さらに通常のボタンホール５を０．５ｃｍ内側へ伸ばして長さを１．７ｃｍと長くしている。第２の変形例にかかる首回り調節機能付シャツ５１Ｃも首回りが４１．５ｃｍであり、図示しない最上部のボタンを掛けて首の周囲の寸法が最も小さくなるのは、図３２（ｂ）に示されるように、最上部のボタンを第２のボタンホール６の内端εに位置させて、最上部のボタンを通常のボタンホール５の内端δに掛けた場合であり、首の周囲の寸法は４０．４ｃｍとなって外襟２の先端が少し重なった状態となる。
【０３４６】
次に、最上部のボタンを第２のボタンホール６の内端εに位置させて、最上部のボタンを通常のボタンホール５の中間右よりγに掛けた場合には、首の周囲の寸法は４１．０ｃｍとなって、図３２（ｃ）に示されるように外襟２の先端がぴったり合わさった状態となる。最上部のボタンを第２のボタンホール６の内端εに位置させて、最上部のボタンを通常のボタンホール５の中間左よりβにかけた場合には、首の周囲の寸法は４１．５ｃｍ（首回り寸法）となって、図３２（ｄ）に示されるように外襟２の間が少し開いた状態となる。
【０３４７】
さらに、最上部のボタンを第２のボタンホール６の内端εに位置させて、最上部のボタンを通常のボタンホール５の外端αに掛けた場合には、首の周囲の寸法は４２．１ｃｍとなって、図３２（ｅ）に示されるように外襟２の間がさらに開いた状態となる。そして、最上部のボタンを第２のボタンホール６の外端ζに移動させて、最上部のボタンを通常のボタンホール５の外端αに掛けた場合には、首の周囲の寸法は最大の４３．３ｃｍとなって、図３２（ｆ）に示されるように外襟２の間が２．３ｃｍと大きく開いた状態となる。
【０３４８】
次に、本実施の形態２２の第３の変形例にかかる首回り調節機能付シャツについて、図３２（ｇ）を参照して説明する。図３２（ｇ）に示されるように、第３の変形例にかかる首回り調節機能付シャツ５１Ｄは、首回り調節機能付シャツ５１Ａと同様に第２のボタンホール６を外側へ０．５ｃｍずらし、さらに第２のボタンホール６の長さを１．５ｃｍと少し長くしている。第３の変形例にかかる首回り調節機能付シャツ５１Ｄも首回りが４１．５ｃｍであり、図示しない最上部のボタンを掛けて首の周囲の寸法が最も小さくなるのは、最上部のボタンを第２のボタンホール６の内端εに位置させて、最上部のボタンを通常のボタンホール５の内端δに掛けた場合であり、首の周囲の寸法は４０．４ｃｍとなって外襟２が少し重なった状態となる。
【０３４９】
次に、最上部のボタンを第２のボタンホール６の内端εに位置させて、最上部のボタンを通常のボタンホール５の中間右よりγに掛けた場合には、首の周囲の寸法は４１．０ｃｍとなって、外襟２の先端がぴったり合わさった状態となる。最上部のボタンを第２のボタンホール６の内端εに位置させて、最上部のボタンを通常のボタンホール５の中間左よりβにかけた場合には、首の周囲の寸法は４１．５ｃｍ（首回り寸法）となって、外襟２の間が少し開いた状態となる。そして、最上部のボタンを第２のボタンホール６の外端ζに移動させて、最上部のボタンを通常のボタンホール５の外端αに掛けた場合には、首の周囲の寸法は最大の４３．６ｃｍとなって、外襟２の間が２．６ｃｍと大きく開いた状態となる。
【０３５０】
このようにして、本実施の形態２２にかかる首回り調節機能付シャツ５１Ａ，５１Ｂ，５１Ｃ，５１Ｄにおいては、首の周囲の寸法が最小から最大まで２．４ｃｍ〜３．２ｃｍの範囲で変化するので、寒いときは締め、暑いときは広げることができ、周囲の温度変化に素早く対応することができる。また、外襟２の間を大きく広げたラフな状態から、外襟２をぴったり合わせたフォーマルな状態に素早く切り替えることができる。さらに、通常に着用したとき襟元が０．５ｃｍ開いているので、ワイシャツ等ではネクタイがし易く適度なフィット感を作り易い。
【０３５１】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３５２】
また、上記実施の形態２１の首回り調節機能付シャツ１Ｘにおいては、外襟２の最大開き幅が１．８ｃｍであったのに対して、本実施の形態２２の首回り調節機能付シャツ５１Ａ，５１Ｂ，５１Ｃ，５１Ｄにおいては、第２のボタンホール６を外側へ０．５ｃｍずらしたため、外襟２の最大開き幅が２．３ｃｍ或いは２．６ｃｍと大きくなっている。第２のボタンホール６の長さを長くすれば最大開き幅を大きくすることはできるが、第２のボタンホール６を余り長くすると見た目が悪くなり、第２のボタンホール６が開き易くなって噴き出しも起こり易くなる。これに対して、第２のボタンホール６を外側へずらすことによって最大開き幅を大きくすれば、第２のボタンホール６の長さは短いままで済み、見た目も良く噴き出しも起こらない。
【０３５３】
実施の形態２３
次に、本発明の実施の形態２３にかかる首回り調節機能付シャツについて、図３３を参照して説明する。
【０３５４】
図３３（ａ）は本発明の実施の形態２３にかかる首回り調節機能付シャツの外襟を開いて台襟の通常のボタンホールと弾性材料からなるループ及び係合具の位置関係を示す図、（ｂ）は本発明の実施の形態２３の第１の変形例にかかる首回り調節機能付シャツの外襟を開いて台襟上前の通常のボタンホールと弾性材料からなるループの位置関係を示す図、（ｃ）は第２の変形例にかかる首回り調節機能付シャツの外襟を開いて台襟上前の通常のボタンホールと弾性材料からなるループの位置関係を示す図、（ｄ）は第３の変形例にかかる首回り調節機能付シャツの外襟を開いて台襟上前の通常のボタンホールと弾性材料からなるループの位置関係を示す図、（ｅ）は第４の変形例にかかる首回り調節機能付シャツの外襟を開いて台襟上前の通常のボタンホールと弾性材料からなるループの位置関係を示す図、（ｆ）は第５の変形例にかかる首回り調節機能付シャツの外襟を開いて台襟上前の通常のボタンホールと弾性材料からなるループの位置関係を示す図である。
【０３５５】
図３３（ａ）に示されるように、本実施の形態２３にかかる首回り調節機能付シャツ５２Ａは、上記実施の形態１〜実施の形態２２と異なり、台襟下前３Ｂに第２のボタンホールが設けられておらず、最上部のボタン４は台襟下前３Ｂの突出部に縫付け固定されている。その代わりに、台襟上前３Ａの突出部先端に弾性材料としてのゴム紐からなるループ５４が縫付けられており、台襟下前３Ｂのゴム紐からなるループ５４に対応する位置に、係合具としてのボタン５３が縫付けられている。
【０３５６】
これによって、台襟上前３Ａの通常のボタンホール５に最上部のボタン４を掛けるとともに、ゴム紐からなるループ５４を台襟下前３Ｂのボタン５３に掛けることによって、通常のボタンホール５の長さ範囲内で襟元を拡げた場合に、ループ５４の弾性力が強く設定されていれば手を離せば自然に襟元が締まった状態に戻るし、ループ５４の弾性力に対して通常のボタンホール５と最上部のボタン４との摩擦力が強くなっていれば、通常のボタンホール５の長さ範囲内で襟元を拡げた場合に任意の位置で留まり、指先で摘まむことによって襟元が締まった状態に戻る。
【０３５７】
本実施の形態２３においては、糸足を０．２ｃｍと短くしたことによってループ５４の弾性力に対して通常のボタンホール５と最上部のボタン４との摩擦力が強くなっているため、通常のボタンホール５の長さ範囲内で襟元を拡げた場合に任意の位置で留まり、指先で摘まむことによって襟元が締まった状態に戻る。
【０３５８】
図３３（ｂ）に示されるように、本実施の形態２３の第１変形例にかかる首回り調節機能付シャツ５２Ｂは、通常のボタンホール５が外襟２の付け根を中心として１．２ｃｍの長さを有しており、糸足を０．２ｃｍと短くしているため１．２ｃｍの範囲内で襟元を拡げた任意の位置で留まり、指先で摘まむことによって襟元が締まった状態に戻る。
【０３５９】
図３３（ｃ）に示されるように、本実施の形態２３の第２変形例にかかる首回り調節機能付シャツ５２Ｃは、通常のボタンホール５が外襟２の付け根を跨いで１．７ｃｍの長さを有しており、やはり糸足を０．２ｃｍと短くしているため１．７ｃｍのより広い範囲内で襟元を拡げた任意の位置で留まり、指先で摘まむことによって襟元が締まった状態に戻る。
【０３６０】
図３３（ｄ）に示されるように、本実施の形態２３の第３変形例にかかる首回り調節機能付シャツ５２Ｄは、通常のボタンホール５が外襟２の付け根から外へ１．５ｃｍの長さを有しており、根巻きを０．２ｃｍと短くしているため１．５ｃｍの範囲内で襟元を拡げた任意の位置で留まり、指先で摘まむことによって襟元が締まった状態に戻る。
【０３６１】
図３３（ｅ）に示されるように、本実施の形態２３の第４変形例にかかる首回り調節機能付シャツ５２Ｅは、通常のボタンホール５が外襟２の付け根から離れて外へ１．２ｃｍの長さを有しており、根巻きを０．２ｃｍと短くしているため１．２ｃｍの範囲内で襟元を拡げた任意の位置で留まり、指先で摘まむことによって襟元が締まった状態に戻る。
【０３６２】
図３３（ｆ）に示されるように、本実施の形態２３の第５変形例にかかる首回り調節機能付シャツ５２Ｆは、通常のボタンホール５が外襟２の付け根から外へ１．７ｃｍの長さを有しており、根巻きを０．２ｃｍと短くしているため１．７ｃｍのより広い範囲内で襟元を拡げた任意の位置で留まり、指先で摘まむことによって襟元が締まった状態に戻る。
【０３６３】
なお、「弾性材料」としては、ゴム紐以外にも、ゴム、シャーリングゴム等を用いることができる。さらに、「係合具」としては、ボタン以外にも、フック等を用いることができる。
【０３６４】
このようにして、本実施の形態２３にかかる首回り調節機能付シャツ５２，５２Ａ，５２Ｂ，５２Ｃ，５２Ｄ，５２Ｅ，５２Ｆは、第２のボタンホール６や後述する台襟貫通ボタンホールを設けることなく、ワイシャツを始めとするシャツの首回りを目立つ動作をすることなく好みの長さに調節することができ、ゴム紐からなるループ５４及び台襟の下前のボタン５３は外襟２の下に隠れるので見た目を損なうことはなく、快適に長時間着用することができる。
【０３６５】
そして、シャツの台襟下前３Ｂがシャツの下前本体１Ｂから突出しているが、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３６６】
実施の形態２４
次に、本発明の実施の形態２４にかかる首回り調節機能付シャツについて、図３４を参照して説明する。図３４は本発明の実施の形態２４にかかる首回り調節機能付シャツの外襟を開いて台襟の通常のボタンホールと弾性材料からなるループの位置関係を示す図である。なお、図示省略されているが、台襟下前側には図３３（ａ）と同様に係合具としてのボタン５３が縫付けられており、台襟下前に最上部のボタン４が縫付けられているのも同様である。
【０３６７】
図３４に示されるように、本実施の形態２４にかかる首回り調節機能付シャツ５２Ｇが図３３に示される実施の形態２３と異なるのは、台襟上前３Ａの突出部先端に縫付けられている弾性材料としてのゴム紐からなるループ５５が、ループ５４と比べて縦長になっており、したがって付勢力も強くなっている点である。これによって、台襟上前３Ａの通常のボタンホール５に最上部のボタン４を掛けるとともに、ゴム紐からなるループ５５を台襟の下前のボタン５３に掛けることによって、通常のボタンホール５の長さ範囲内で襟元を拡げた場合に、ループ５５の弾性力が強く設定されているために、手を離せば自然に襟元が締まった状態に戻る。
【０３６８】
このようにして、本実施の形態２４にかかる首回り調節機能付シャツ５２Ｇは、第２のボタンホール６や後述する台襟貫通ボタンホールを設けることなく、ワイシャツを始めとするシャツの首回りを目立つ動作をすることなく襟元を拡げることができ、手を離せば自然に襟元が締まった状態に戻り、ゴム紐からなるループ５５及び台襟の下前のボタン５３は外襟２の下に隠れるので見た目を損なうことはなく、快適に長時間着用することができる。
【０３６９】
そして、シャツの台襟下前３Ｂがシャツの下前本体１Ｂから突出しているが、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３７０】
実施の形態２５
次に、本発明の実施の形態２５にかかる首回り調節機能付シャツについて、図３５を参照して説明する。図３５は本発明の実施の形態２５にかかる首回り調節機能付シャツの外襟を開いて台襟の通常のボタンホールと弾性材料からなるループの位置関係を示す図である。
【０３７１】
図３５に示されるように、本実施の形態２５にかかる首回り調節機能付シャツ５６が図３３に示される実施の形態２３と異なるのは、弾性材料としてのゴム紐からなるループ５８が、台襟上前３Ａでなく台襟下前３Ｂの突出部３Ｃ先端に縫付けられている点と、台襟上前３Ａの裏側（内側）のゴム紐からなるループ５８に対応する位置に、係合具としてのボタン５７が縫付けられている点である。
【０３７２】
これによって、ゴム紐からなるループ５８を台襟の上前裏側のボタン５７に掛けるとともに、台襟上前３Ａの通常のボタンホール５に最上部のボタン４を掛けることによって、通常のボタンホール５の長さ範囲内で襟元を拡げた場合に、ループ５８の弾性力が強く設定されていれば手を離せば自然に襟元が締まった状態に戻るし、ループ５８の弾性力に対して通常のボタンホール５と最上部のボタン４との摩擦力が強くなっていれば、通常のボタンホール５の長さ範囲内で襟元を拡げた場合に任意の位置で留まり、指先で摘まむことによって襟元が締まった状態に戻る。
【０３７３】
本実施の形態２５においては、糸足を０．２ｃｍと短くしたことによってループ５８の弾性力に対して通常のボタンホール５と最上部のボタン４との摩擦力が強くなっているため、通常のボタンホール５の長さ範囲内で襟元を拡げた場合に任意の位置で留まり、指先で摘まむことによって襟元が締まった状態に戻る。なお、ゴム紐からなるループ５８及び台襟の上前裏側のボタン５７は台襟の上前３Ａ裏側に隠れるので見た目を損なうことはなく、通常のシャツに見える。
【０３７４】
このようにして、本実施の形態２５にかかる首回り調節機能付シャツ５６は、第２のボタンホール６や後述する台襟貫通ボタンホールを設けることなく、ワイシャツを始めとするシャツの首回りを目立つ動作をすることなく好みの長さに調節することができ、ゴム紐からなるループ５８及び台襟上前裏側のボタン５７は隠れて見た目を損なうことはなく、快適に長時間着用することができる。
【０３７５】
そして、シャツの台襟下前３Ｂがシャツの下前本体１Ｂから突出しているが、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３７６】
実施の形態２６
次に、本発明の実施の形態２６にかかる首回り調節機能付シャツについて、図３６及び図３７を参照して説明する。
【０３７７】
図３６（ａ）は本発明の実施の形態２６にかかる首回り調節機能付シャツの外襟を開いて台襟上前の通常のボタンホールと台襟下前を貫通して設けられた台襟貫通ボタンホールを示す図、（ｂ）は上前と下前を重ねて最上部のボタンを通常のボタンホールに掛けた状態を示す断面図である。
【０３７８】
図３７（ａ）は本発明の実施の形態２６の第１の変形例にかかる首回り調節機能付シャツの最上部のボタンと止め具との接続構造を示す斜視図、（ｂ）は第２の変形例にかかる首回り調節機能付シャツの最上部のボタンの役割をするものと止め具との接続構造を示す斜視図、（ｃ）は第３の変形例にかかる首回り調節機能付シャツの最上部のボタンの役割をするものと止め具との接続構造を示す斜視図、（ｄ）は第４の変形例にかかる首回り調節機能付シャツの最上部のボタンの役割をするものと止め具との接続構造を示す斜視図、（ｅ）は第５の変形例にかかる首回り調節機能付シャツの最上部のボタンの役割をするものと止め具との接続構造を示す斜視図、（ｆ）は第６の変形例にかかる首回り調節機能付シャツの最上部のボタンの役割をするものと止め具との接続構造を示す斜視図である。
【０３７９】
上記各実施の形態においては、第２のボタンホール６として図２〜図１１，図１７〜図２７に示されるように、台襟下前の上地３ａのみを貫通して下地３ｂは貫通しない構造について説明してきた。即ち、これまで説明した第２のボタンホール６は、いずれも台襟下前３Ｂの上地３ａに設けられたものであり、台襟下前３Ｂの下地３ｂは貫通していなかったため台襟下前３Ｂ内部での作業が必要であり、消費者が簡単に内部構造を変えることは困難なものであった。
【０３８０】
しかし、図３６に示されるように、本実施の形態２６にかかる首回り調節機能付シャツ６０においては、台襟下前３Ｂの下地３ｂをも貫通した台襟貫通ボタンホール６１を設けて、最上部のボタン４と止め具としての一回り大きいボタン６２とをこの台襟貫通ボタンホール６１を貫通させた根巻き６３によって接続させている。したがって、台襟下前３Ｂ内部での作業が必要なくなって製造がより容易になりコストダウンにつながり、また消費者の好みに応じて最上部のボタン４や止め具６２を他のものに交換することも容易にできる。
【０３８１】
このようにして、本実施の形態２６にかかる首回り調節機能付シャツ６０においては、ワイシャツを始めとするシャツの首回りを目立つ動作をすることなく好みの長さに調節することができ、容易にかつ安価に製造することができ、快適に長時間着用することができる。本実施の形態２６にかかる首回り調節機能付シャツ６０においては、最上部のボタン４と止め具としての一回り大きいボタン６２とをこの台襟貫通ボタンホール６１を貫通させた根巻き６３によって接続させているが、他にも様々な変形例が可能である。
【０３８２】
図３７（ａ）に示されるように、本実施の形態２６の第１変形例にかかる首回り調節機能付シャツにおいては、最上部のボタン４と止め具としての一回り大きいボタン６２とをこの台襟貫通ボタンホール６１を貫通させた脚部としてのゴム足６４によって接続させている。また、図３７（ｂ）に示されるように、第２の変形例においては、最上部のボタンの役割をするものとしての金属製円板６５と止め具としての一回り大きい金属製円板６７とを台襟貫通ボタンホール６１を貫通させた脚部としての１対の雄ねじ・雌ねじ６６によって接続させている。
【０３８３】
また、図３７（ｃ）に示されるように、第３の変形例においては、最上部のボタンの役割をするものとしての凹側ホック６８と止め具としての一回り大きい凸側ホック６９とを台襟貫通ボタンホール６１を貫通させた脚部としての凸側ホック凸部６９ａによって接続させている。
【０３８４】
さらに、図３７（ｄ）に示されるように、第４の変形例においては、最上部のボタン４を脚部としての棒状のエラストマー２０の先端に取付けている。棒状のエラストマー２０の下端は円形のプラスティック板２１に接着し、円形のプラスティック板２１の周りは台襟貫通ボタンホール６１の長さに対応する略長方形のエラストマー板２２で覆われている。そして、このエラストマー板２２が外周に沿って縫い糸で台襟下前３Ｂの下地３ｂの裏側に縫付けられている。かかる構造により、エラストマー板２２の変形力によって最上部のボタン４は台襟貫通ボタンホール６１内で首回り方向に移動させることができ、力を加えるのを止めるとエラストマー板２２の弾性力によって最上部のボタン４は即座に元の位置に戻る。
【０３８５】
また、図３７（ｅ）に示されるように、第５の変形例においては、最上部のボタンの役割をするものとしての金属製円板７０と金属製脚部７０ａと止め具としての金属製の細長い楕円形板７１とが一体に製作されており、細長い楕円形板７１は金属製脚部７０ａに対して回動可能に取付けられている。したがって、細長い楕円形板７１を実線で示される向きで台襟貫通ボタンホール６１に平行にして貫通させた後、想像線で示されるように約９０度回動させれば、台襟貫通ボタンホール６１から抜けなくなる。さらに、図３７（ｆ）に示されるように、第６の変形例においては、最上部のボタンの役割をするものとしての円板部分７２ａと脚部７２ｂと止め具としての大きい円板部分７２ｃが強度のあるプラスティックで一体成形されて、１個のプラスティック部品７２となっており、大量生産が可能で大幅なコストダウンにつながる。
【０３８６】
首回り調節機能付シャツはネクタイをすれば最上部のボタン４は見えなくなるからボタン以外のものを用いても良いし、ネクタイをしない場合でも、金属等の光物や木材、セラミックス、ガラス等を最上部のボタンの代わりに用いれば、外観的にも美しく意匠的にも優れたものとなる。また、最上部のボタンまたはその役割をするものと止め具とを接続する脚部も、適当な長さと強度を持っているものであれば、何でも用いることができる。さらに、脚部をエラストマー製またはゴム製とすれば、伸縮自在となる。しかも、ストッパーや弾性材を使用していない簡単な構造なので、容易にかつ安価に製造することができる。
【０３８７】
このようにして、本実施の形態２６にかかる首回り調節機能付シャツにおいては、ワイシャツを始めとするシャツの首回りを目立つ動作をすることなく好みの長さに調節することができ、容易にかつ安価に製造することができ、意匠的にも優れたものとすることが可能で快適に長時間着用できる。そして、シャツの台襟下前３Ｂがシャツの下前本体１Ｂから突出しているが、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３８８】
なお、本実施の形態２６においては図３６（ａ），（ｂ），図３７（ａ）〜（ｆ）に示されるような止め具のみによるスライド機構を台襟貫通ボタンホール６１に用いた場合についてのみ説明したが、これらを上記各実施の形態で説明したような第２のボタンホール６を有する首回り調節機能付シャツに適用することもできる。即ち、台襟下前上地３ａと下地３ｂとの間に止め具を挟んで、第２のボタンホール６に沿って最上部のボタン４またはその役割をするものをスライドさせるものである。これによって、ストッパーや弾性材を使用していない簡単な構造なので、容易にかつ安価に製造することができる。
【０３８９】
実施の形態２７
次に、本発明の実施の形態２７にかかる首回り調節機能付シャツについて、図３８及び図３９を参照して説明する。
【０３９０】
図３８（ａ）は本発明の実施の形態２７にかかる首回り調節機能付シャツの外襟を開いて台襟下前の上地に設けられた第２のボタンホールを示す図、（ｂ）は（ａ）を裏返して台襟下前の下地に設けられた貫通孔を示す図、（ｃ）は最上部のボタンが取れたときの縫付け方を示す図である。図３９（ａ）は本発明の実施の形態２７の変形例にかかる首回り調節機能付シャツの外襟を開いて台襟下前の上地に設けられた第２のボタンホールを示す図、（ｂ）は（ａ）を裏返して台襟下前の下地に設けられた変形例にかかる貫通孔を示す図、（ｃ）は最上部のボタンが取れたときの縫付け方を示す図である。
【０３９１】
図３８（ｃ）に示されるように、本実施の形態２７にかかる首回り調節機能付シャツにおいては、貫通孔としての菊穴７５は図示しない最上部のボタンが取れた場合のために設けられるもので、消費者が自分で最上部のボタンを移動布またはその役割をするものに付け直す場合に、図３８（ａ）に示されるように台襟下前３Ｂの上地に設けられた第２のボタンホール６をやや拡げて、移動布またはその役割をするものに力が掛かっていない状態で最上部のボタンがあるべき位置を縫い糸をつけた針Ｎで掬う。このとき、深く掬うと台襟下前３Ｂの下地まで掬ってしまい、最上部のボタンを台襟下前３Ｂの下地に縫付けてしまう恐れがある。
【０３９２】
そこで、台襟下前３Ｂの裏側の下地にほつれない貫通孔としての菊穴７５を設けて、下地を掬わないために始めから掬うのではなく、針Ｎを菊穴７５の中に貫通確認してそれを数回繰り返すことによって、移動布またはその役割をするものに最上部のボタンを縫付ける。これによって、消費者が間違いなく簡単に最上部のボタンを付け直すことができる。
【０３９３】
また、図３９（ａ）に示されるように、本実施の形態２７の変形例にかかる首回り調節機能付シャツにおいては、第２のボタンホール６の左端が外襟２の付け根に位置しているために、移動布またはその役割をするものに力が掛かっていない状態で最上部のボタンがあるべき位置も外襟２の付け根に移動するため、図３９（ｂ）に示されるように、ほつれない貫通孔としての金属製のリング穴７６も外襟２の付け根に設けられている。そして、図３９（ｃ）に示されるように、針Ｎをリング穴７６の中に貫通確認してそれを数回繰り返すことによって、移動布またはその役割をするものに最上部のボタンを縫付ける。これによって、消費者が間違いなく簡単に最上部のボタンを付け直すことができる。
【０３９４】
このようにして、本実施の形態２７にかかる首回り調節機能付シャツにおいては、最上部のボタンが取れた場合でも消費者が簡単かつ確実に最上部のボタンを付け直すことができ、ワイシャツを始めとするシャツの首回りを目立つ動作をすることなく好みの長さに調節することができる。
【０３９５】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
実施の形態２８
次に、本発明の実施の形態２８にかかる首回り調節機能付シャツについて、図４０を参照して説明する。図４０（ａ）は本発明の実施の形態２４にかかる首回り調節機能付シャツに用いられる最上部のボタンとしての貫通針付きプラスティックボタンを移動布に突き刺すところを示す拡大正面図、（ｂ）は貫通針付きプラスティックボタンを貫通させた後、貫通針部分を折り取った状態を示す拡大正面図である。
【０３９６】
図４０（ａ）に示されるように、本実施の形態２８にかかる首回り調節機能付シャツに用いられる最上部のボタンとしての貫通針付きプラスティックボタン７７は、ボタン部分７７ａ、軸部分７７ｂ、１対の抜け止め７７ｃ、括れ部７７ｄ、貫通針部分７７ｅから構成されており、貫通針部分７７ｅの先端は鋭く尖っていて移動布３０に突き刺して力を加えれば、１対の抜け止め７７ｃまでの部分を貫通させることができる。その後、括れ部７７ｄにおいて貫通針部分７７ｅを折り取ることによって、図４０（ｂ）に示されるように、最上部のボタンとしてのボタン部分７７ａが移動布３０に１対の抜け止め７７ｃによって取れないように強固に取付けられる。
【０３９７】
このようにして、本実施の形態２８にかかる首回り調節機能付シャツにおいては、最上部のボタン７７ａを極めて容易に移動布３０に取付けることができ、貫通針付きプラスティックボタン７７も一体成形で製造されて安価なので、大幅にコストダウンすることができ、ワイシャツを始めとするシャツの首回りを目立つ動作をすることなく好みの長さに調節することができる。
【０３９８】
そして、シャツの台襟下前３Ｂがシャツの下前本体１Ｂから突出しているため、第２のボタンホール６を長くしても第２のボタンホール６の先端から台襟下前３Ｂの先端まで余裕があり、縫製作業が容易になる。また、ネクタイをしない場合でも、首回りが緩んだ状態でも台襟上前３Ａによって台襟下前３Ｂの突出部３Ｃが隠れるため見栄えを損なわず、さらに突出部３Ｃの形状を工夫することによってデザイン的にも優れたものとなる。
【０３９９】
上記各実施の形態においては、本発明の首回り調節機能付シャツを主にワイシャツに適用した場合を想定して説明したが、本発明の首回り調節機能付シャツは台襟にボタンが付いたシャツ全般について適用できるものであり、カジュアルなシャツ、ブラウス、外襟なしシャツ等にも適用することができる。
【０４００】
また、上記各実施の形態においては、台襟の幅が通常な大きさの場合について説明しているが、台襟の幅が広い特殊な場合には、通常のボタンホール５及び第２のボタンホール６を上下二段に設けても良い。
【０４０１】
さらに、上記実施の形態２においては、台襟下前のみならず台襟上前もシャツの上前本体から突出している場合について説明したが、その他の実施の形態においても台襟下前のみならず台襟上前もシャツの上前本体から突出しているものとすることができる。この場合、突出部の形状は上前と下前で対称であっても良いし、異なる形状であっても良い。
【０４０２】
また、上記各実施の形態においては、縦テープ９，横方向テープ１０，横長のテープ１１，縦方向のテープ１２等を台襟３の下地３ｂに縫付けているが、これらのテープ類を台襟３の下地３ｂの裏地のみに縫付ければ、下地３ｂの表側にはゴムテープ８を縫付ける糸の縫い目しか表れないため、非常に見栄えが良くなる。
【０４０３】
さらに、上記各実施の形態においては、第２のボタンホールを通常の糸で穴かがりしているが、ボタンホールの穴かがりに熱硬化性樹脂を含浸して熱硬化させたり、合成樹脂製の糸で穴かがりすることもできる。これによって、第２のボタンホールが変形し難くなり、噴き出しを防止することができる。
【０４０４】
また、上記各実施の形態においては、ストッパーとして移動布７ａと同じ幅の裏地７ｂを使用しているが、ストッパーの材質は他にも生地、布テープ等種々選択できるものであり、幅も移動布７ａよりも細くても構わない。
【０４０５】
首回り調節機能付シャツのその他の部分の構造、形状、数量、材質、大きさ、接続関係等についても、上記各実施の形態に限定されるものではない。
【０４０６】
なお、ボタン４を取付けたボタンホール６を貫通する短い棒状のエラストマー２０の断面形状は、ボタンホール６内をスライド可能とするように、ボタンホールの長さ方向に長い断面長円または楕円の柱状体とすることができる。
【図面の簡単な説明】
【０４０７】
【図１】図１（ａ）は本発明の実施の形態１にかかる首回り調節機能付シャツの最上部のボタンを締めた状態を示す上部正面図、（ｂ）は首回り調節機能付シャツの最上部のボタンを通常のボタンホールから外して、台襟下前に設けられた第２のボタンホール及び台襟下前突出部が見えるようにした図である。
【図２】図２（ａ）は本発明の実施の形態１の第１変形例にかかる首回り調節機能付シャツの下前側の外襟を開いた状態を示す部分拡大図、（ｂ）は本発明の実施の形態１の第２変形例にかかる首回り調節機能付シャツの下前側の外襟を開いた状態を示す部分拡大図である。
【図３】図３は本発明の実施の形態１の第３変形例にかかる首回り調節機能付シャツの下前側の外襟を開いた状態を示す部分拡大図である。
【図４】図４は本発明の実施の形態１の第４変形例にかかる首回り調節機能付シャツの最上部のボタンが取付けられた側の台襟下前を上下方向に開いて示す図であり、（ａ）は弾性材が縮んだ状態を示す図、（ｂ）は弾性材が引張られて伸びた状態を示す図である。
【図５】図５は本発明の実施の形態１の第５変形例にかかる首回り調節機能付シャツの最上部のボタンが取付けられた側の台襟下前を上下方向に開いて示す図である。
【図６】図６は本発明の実施の形態２にかかる首回り調節機能付シャツの上前側及び下前側の外襟を開いた状態を示す部分拡大図である。
【図７】図７（ａ）は本発明の実施の形態２の第１変形例にかかる首回り調節機能付シャツの上前側の外襟を開いた状態を示す部分拡大図、（ｂ）は本発明の実施の形態２の第２変形例にかかる首回り調節機能付シャツの上前側の外襟を開いた状態を示す部分拡大図である。
【図８】図８は本発明の実施の形態３にかかる首回り調節機能付シャツの最上部のボタンが取付けられた側の台襟下前を上下方向に開いて示す図であり、（ａ）は弾性材が縮んだ状態を示す図、（ｂ）は弾性材が引張られて伸びた状態を示す図である。
【図９】図９は本発明の実施の形態４にかかる首回り調節機能付シャツの最上部のボタンが取付けられた側の台襟下前を上下方向に開いて示す図である。
【図１０】図１０（ａ）は本発明の実施の形態５にかかる首回り調節機能付シャツの最上部のボタンが取付けられた側の台襟を上下方向に開いて示す図、（ｂ）は「く」の字形テープの先端部分を拡大して示す図、（ｃ）は最上部のボタンが移動したときの「く」の字形テープの先端部分を拡大して示す図である。
【図１１】図１１は本発明の実施の形態５の変形例にかかる首回り調節機能付シャツの最上部のボタンが取付けられた側の台襟下前を上下方向に開いて示す図である。
【図１２】図１２は噴き出しの起こる場合と起こらない場合とを、台襟下前の断面として示した模式図である。
【図１３】図１３（ａ）は本発明の実施の形態６にかかる首回り調節機能付シャツの台襟下前の先端部分を上から見た図、（ｂ）は本発明の実施の形態６の第１の変形例にかかる首回り調節機能付シャツの台襟下前の先端部分を上から見た図、（ｃ）は本発明の実施の形態５の第２の変形例にかかる首回り調節機能付シャツの芯のみを取り出して見た図、（ｄ）は本発明の実施の形態５の第３の変形例にかかる首回り調節機能付シャツの台襟下前の先端部分を開いて見た図である。
【図１４】図１４は本発明の実施の形態７にかかる首回り調節機能付シャツの最上部のボタンが取付けられた側の台襟下前を上下方向に開いて示す図である。
【図１５】図１５（ａ），（ｂ）は、いずれも２本の弾性材を最上部のボタン４を取付ける芯７ａに縫付けた状態を示す図である。
【図１６】図１６（ａ）は本発明の実施の形態８にかかる首回り調節機能付シャツの最上部のボタンを移動させる機構について示す図、（ｂ）はその変形例にかかる最上部のボタンを移動させる機構について示す図である。
【図１７】図１７（ａ）は本発明の実施の形態９にかかる首回り調節機能付シャツの最上部のボタンを移動させる機構について示す斜視図、（ｂ）はその断面図である。
【図１８】図１８は本発明の実施の形態１０にかかる首回り調節機能付シャツの最上部のボタンを移動させる機構について示す断面図である。
【図１９】図１９は本発明の実施の形態１１にかかる首回り調節機能付シャツの最上部のボタンを移動させる機構について示す斜視断面図である。
【図２０】図２０は本発明の実施の形態１３にかかる首回り調節機能付シャツの台襟内部の構造を示す図である。
【図２１】図２１（ａ）は本発明の実施の形態１４にかかる首回り調節機能付シャツの台襟内部の構造を示す図、（ｂ）は第１の変形例にかかる首回り調節機能付シャツの台襟内部の構造を示す図、（ｃ）は第２の変形例にかかる首回り調節機能付シャツの台襟内部の構造を示す図、（ｄ）は第３の変形例にかかる首回り調節機能付シャツの台襟内部の構造を示す図である。
【図２２】図２２（ａ），（ｂ），（ｃ）は本発明の実施の形態１５及び第１の変形例及び第２の変形例にかかる首回り調節機能付シャツの移動布の構造及び弾性体とストッパーの構造を示す図である。
【図２３】図２３（ａ），（ｂ），（ｃ），（ｄ）は本発明の実施の形態１５にかかる首回り調節機能付シャツの移動布における芯を布地で包（くる）む種々の方法を示す図である。
【図２４】図２４（ａ），（ｂ），（ｃ）は本発明の実施の形態１５の第３の変形例にかかる首回り調節機能付シャツの移動布において、弾性材の上に芯を置いて布地で包む手順を示す図である。
【図２５】図２５（ａ）は本発明の実施の形態１６にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【図２６】図２６（ａ）は本発明の実施の形態１７にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【図２７】図２７（ａ）は本発明の実施の形態１８にかかる首回り調節機能付シャツの移動布としての芯が接触する硬めの芯に布地を貼り付けた例を示す図、（ｂ），（ｃ），（ｄ），（ｅ），（ｆ）はその第１〜第５変形例を示す図である。
【図２８】図２８（ａ）は本発明の実施の形態１９にかかる首回り調節機能付シャツの移動布代わりの耐熱性プラスティック板を示す平面図、（ｂ）は耐熱性プラスティック板にストッパーを付けたところを示す平面図、（ｃ）はさらに弾性材を付けたところを示す平面図である。
【図２９】図２９（ａ）は本発明の実施の形態２０にかかる首回り調節機能付シャツの移動布を長い弾性材に取付けたところを示す平面図、（ｂ）は移動布代わりの耐熱性プラスティック板を長い弾性材に取付けたところを示す平面図である。
【図３０】図３０（ａ）は本発明の実施の形態２１にかかる首回り調節機能付シャツの外襟を開いて台襟の通常のボタンホールと第２のボタンホールの位置関係を示す図、（ｂ）は最も首回りを短くした状態を示す図、（ｃ）は首回りを少し長くして外襟がぴったり合った状態を示す図、（ｄ）は首回りをより長くして外襟が少し開いた状態を示す図、（ｅ）は首回りをさらに長くして外襟がさらに開いた状態を示す図、（ｆ）は本発明の実施の形態２１の第１の変形例にかかる首回り調節機能付シャツの外襟を開いて台襟の通常のボタンホールと第２のボタンホールの位置関係を示す図、（ｇ）は本発明の実施の形態２１の第２の変形例にかかる首回り調節機能付シャツの外襟を開いて台襟の通常のボタンホールと第２のボタンホールの位置関係を示す図である。
【図３１】図３１（ａ）は本発明の実施の形態２２にかかる首回り調節機能付シャツの外襟を開いて台襟の通常のボタンホールと第２のボタンホールの位置関係を示す図、（ｂ）は最も首回りを短くして外襟がぴったり合った状態を示す図、（ｃ）は首回りを少し長くして外襟が少し開いた状態を示す図、（ｄ）は首回りをより長くして外襟がさらに開いた状態を示す図、（ｅ）は首回りをさらに長くして外襟が大きく開いた状態を示す図、（ｆ）は本発明の実施の形態２２の第１の変形例にかかる首回り調節機能付シャツの外襟を開いて台襟の通常のボタンホールと第２のボタンホールの位置関係を示す図である。
【図３２】図３２（ａ）は本発明の実施の形態２２の第２の変形例にかかる首回り調節機能付シャツの外襟を開いて台襟の通常のボタンホールと第２のボタンホールの位置関係を示す図、（ｂ）は最も首回りを短くした状態を示す図、（ｃ）は首回りを少し長くして外襟がぴったり合った状態を示す図、（ｄ）は首回りをより長くして外襟が少し開いた状態を示す図、（ｅ）は首回りをさらに長くして外襟がさらに開いた状態を示す図、（ｆ）は首回りをさらに長くして外襟が大きく開いた状態を示す図、（ｇ）は本発明の実施の形態２２の第３の変形例にかかる首回り調節機能付シャツの外襟を開いて台襟の通常のボタンホールと第２のボタンホールの位置関係を示す図である。
【図３３】図３３（ａ）は本発明の実施の形態２３にかかる首回り調節機能付シャツの外襟を開いて台襟の通常のボタンホールと弾性材料からなるループ及び係合具の位置関係を示す図、（ｂ）は本発明の実施の形態２３の第１の変形例にかかる首回り調節機能付シャツの外襟を開いて台襟上前の通常のボタンホールと弾性材料からなるループの位置関係を示す図、（ｃ）は第２の変形例にかかる首回り調節機能付シャツの外襟を開いて台襟上前の通常のボタンホールと弾性材料からなるループの位置関係を示す図、（ｄ）は第３の変形例にかかる首回り調節機能付シャツの外襟を開いて台襟上前の通常のボタンホールと弾性材料からなるループの位置関係を示す図、（ｅ）は第４の変形例にかかる首回り調節機能付シャツの外襟を開いて台襟上前の通常のボタンホールと弾性材料からなるループの位置関係を示す図、（ｆ）は第５の変形例にかかる首回り調節機能付シャツの外襟を開いて台襟上前の通常のボタンホールと弾性材料からなるループの位置関係を示す図である。
【図３４】図３４は本発明の実施の形態２４にかかる首回り調節機能付シャツの外襟を開いて台襟の通常のボタンホールと弾性材料からなるループの位置関係を示す図である。
【図３５】図３５は本発明の実施の形態２５にかかる首回り調節機能付シャツの外襟を開いて台襟の通常のボタンホールと弾性材料からなるループの位置関係を示す図である。
【図３６】図３６（ａ）は本発明の実施の形態２６にかかる首回り調節機能付シャツの外襟を開いて台襟上前の通常のボタンホールと台襟下前を貫通して設けられた台襟貫通ボタンホールを示す図、（ｂ）は上前と下前を重ねて最上部のボタンを通常のボタンホールに掛けた状態を示す断面図である。
【図３７】図３７（ａ）は本発明の実施の形態２６の第１の変形例にかかる首回り調節機能付シャツの最上部のボタンと止め具との接続構造を示す斜視図、（ｂ）は第２の変形例にかかる首回り調節機能付シャツの最上部のボタンの役割をするものと止め具との接続構造を示す斜視図、（ｃ）は第３の変形例にかかる首回り調節機能付シャツの最上部のボタンの役割をするものと止め具との接続構造を示す斜視図、（ｄ）は第４の変形例にかかる首回り調節機能付シャツの最上部のボタンの役割をするものと止め具との接続構造を示す斜視図、（ｅ）は第５の変形例にかかる首回り調節機能付シャツの最上部のボタンの役割をするものと止め具との接続構造を示す斜視図、（ｆ）は第６の変形例にかかる首回り調節機能付シャツの最上部のボタンの役割をするものと止め具との接続構造を示す斜視図である。
【図３８】図３８（ａ）は本発明の実施の形態２７にかかる首回り調節機能付シャツの外襟を開いて台襟下前の上地に設けられた第２のボタンホールを示す図、（ｂ）は（ａ）を裏返して台襟下前の下地に設けられた貫通孔を示す図、（ｃ）は最上部のボタンが取れたときの縫付け方を示す図である。
【図３９】図３９（ａ）は本発明の実施の形態２７の変形例にかかる首回り調節機能付シャツの外襟を開いて台襟下前の上地に設けられた第２のボタンホールを示す図、（ｂ）は（ａ）を裏返して台襟下前の下地に設けられた変形例にかかる貫通孔を示す図、（ｃ）は最上部のボタンが取れたときの縫付け方を示す図である。
【図４０】図４０（ａ）は本発明の実施の形態２８にかかる首回り調節機能付シャツに用いられる最上部のボタンとしての貫通針付きプラスティックボタンを移動布に突き刺すところを示す拡大正面図、（ｂ）は貫通針付きプラスティックボタンを貫通させた後、貫通針部分を折り取った状態を示す拡大正面図である。
【符号の説明】
【０４０８】
１，１Ｒ，１Ｓ，１Ｔ，１Ｕ，１Ｖ，１Ｗ，１Ｘ，１Ｙ，１Ｚ，５１Ａ，５１Ｂ，５１Ｃ，５１Ｄ，５２Ａ，５２Ｂ，５２Ｃ，５２Ｄ，５２Ｅ，５２Ｆ，５２Ｇ，５６  首回り調節機能付シャツ
１Ａ  上前本体
１Ｂ  下前本体
２  外襟
３  台襟
３Ａ  台襟上前
３Ｂ  台襟下前
３Ｃ  突出部
３Ｄ  台襟上前突出部
３ｂ  台襟の下地
４  最上部のボタン
６  第２のボタンホール
７ａ，３０，４５，８０，８０Ａ，８３  移動布
７ｂ，３１  ストッパー
８，３２，４３，８１  弾性材
８ａ，８ｂ，８ｃ，８ｄ  ２本の弾性材
９  縦テープ
１０，１３  横方向テープ
１１  横長のテープ
１２，１８  縦方向テープ
１４  折り曲げたテープ
１５，１６，１７，３５，３６，３７，３５Ａ，３６Ａ，３５Ｂ，３６Ｂ  硬めの芯
１９，１９ａ，１９ｂ  横テープ
２０  棒状のエラストマー
２１，２４，２５，２７  プラスティック板
２２  エラストマー板
２６  ガイド板
２６ａ  長円形の溝
２６ｂ  長方形の溝
３３  芯材
４０  耐熱性プラスティック板
４１，４１Ａ  布テープ
４４  長い弾性材
５３，５７  係合具
５４，５５，５８  ループ
６１  台襟貫通ボタンホール
６２，６７，６９，７１，７２ｃ  止め具
６３  根巻き
６４，６６，６９ａ，７０ａ，７２ｂ  脚部
６５，６８，７０，７２ａ  最上部のボタンの役割をするもの
７５，７６  貫通孔
８０ａ  芯
８０ｂ，８３ａ，８５，８６，８７，８８，８９，８５Ａ，８６Ａ，８７Ａ，
８８Ａ，８９Ａ，８５Ｂ，８６Ｂ，８７Ｂ，８８Ｂ，８９Ｂ  布地
Ｎ  針
【図１】
2006037326.tif 000003
【図２】
2006037326.tif 000004
【図３】
2006037326.tif 000005
【図４】
2006037326.tif 000006
【図５】
2006037326.tif 000007
【図６】
2006037326.tif 000008
【図７】
2006037326.tif 000009
【図８】
2006037326.tif 000010
【図９】
2006037326.tif 000011
【図１０】
2006037326.tif 000012
【図１１】
2006037326.tif 000013
【図１２】
2006037326.tif 000014
【図１３】
2006037326.tif 000015
【図１４】
2006037326.tif 000016
【図１５】
2006037326.tif 000017
【図１６】
2006037326.tif 000018
【図１７】
2006037326.tif 000019
【図１８】
2006037326.tif 000020
【図１９】
2006037326.tif 000021
【図２０】
2006037326.tif 000022
【図２１】
2006037326.tif 000023
【図２２】
2006037326.tif 000024
【図２３】
2006037326.tif 000025
【図２４】
2006037326.tif 000026
【図２５】
2006037326.tif 000027
【図２６】
2006037326.tif 000028
【図２７】
2006037326.tif 000029
【図２８】
2006037326.tif 000030
【図２９】
2006037326.tif 000031
【図３０】
2006037326.tif 000032
【図３１】
2006037326.tif 000033
【図３２】
2006037326.tif 000034
【図３３】
2006037326.tif 000035
【図３４】
2006037326.tif 000036
【図３５】
2006037326.tif 000037
【図３６】
2006037326.tif 000038
【図３７】
2006037326.tif 000039
【図３８】
2006037326.tif 000040
【図３９】
2006037326.tif 000041
【図４０】
2006037326.tif 000042